(57)【特許請求の範囲】
【請求項１】
２つ以上のピンを有する器具プラグ用の安全ソケットであって、前記安全ソケットが、互いに絶縁された２つ以上のレセプタクルを有し、かつ送電線接続回路と、中性線接続回路と、ロックおよび制御機構とを備える少なくとも１つのソケット本体と、を備え、前記器具プラグの前記２つ以上のピンが対応する前記ソケット本体の前記レセプタクルに挿入されると、前記ロックおよび制御機構が作動状態に作動し、前記ロックおよび制御機構がアイドル状態にある場合には、前記送電線接続回路および前記中性線接続回路を電気的に遮断することにより、感電を防止し、前記ソケット本体の前記レセプタクルが、送電線のレセプタクルと、中性線のレセプタクルと、アース線のレセプタクルとを備え、前記器具プラグの前記ピンが送電線のピンと、中性線のピンと、アース線のピンとを備え、前記器具プラグの前記送電線のピン、中性線のピン、およびアース線のピンを備え、前記器具プラグの前記送電線のピン、前記中性線のピン、および前記アース線のピンが、それぞれ同時に、対応する、前記送電線のレセプタクル、前記中性線のレセプタクル、および前記アース線のレセプタクルに挿入されると、前記ロックおよび制御機構が、前記アース線のレセプタクルに挿入された前記アース線のピンにより作動して、前記送電線接続回路および前記中性線接続回路を電気的に接続し、前記アース線のレセプタクルが側壁を有し、作動孔が前記アース線のレセプタクルの前記側壁に設けられており、前記ロックおよび制御機構が、押圧部、作動部、およびリセット部を備え、前記押圧部が、第１の端部および第２の端部を有し、前記押圧部の前記第１の端部が、前記作動孔を横切り、前記アース線のピンにより駆動される前記アース線のレセプタクルまで延在し、前記押圧部の前記第１の端部に対向する前記第２の端部が、前記作動部に接続されており、前記作動部が、前記作動状態で前記送電線接続回路および前記中性線接続回路を電気的に接続し、前記アース線のピンが前記アース線のレセプタクルから抜かれると、前記ロックおよび制御機構が前記初期アイドル状態に切り替わるように、前記リセット部が、前記押圧部および前記作動部のうちの１つに接続され、前記ソケット本体が、前記送電線接続回路の電気的な接続および遮断を制御する送電線接続スイッチと、前記中性線接続回路の電気的な接続および遮断を制御する中性線接続スイッチとを備え、前記ロックおよび制御機構の前記作動部が、前記押圧部の作動の下で前記送電線接続スイッチおよび前記中性線接続スイッチを同時にオンに切り替えることにより、前記中性線接続回路と前記送電線接続回路を電気的に接続し、前記作動部が、コネクタ部と、前記コネクタ部の２つの側部に接続された２つの作動ブロックとを備え、前記２つの作動ブロックが、それぞれ、前記送電線接続スイッチおよび前記中性線接続スイッチに作用する押力を加える作動表面を有することにより、前記送電線接続回路および前記中性線接続回路を電気的に接続し、前記作動ブロックが、それぞれ、ブロック中に設けられている受入スロットをさらに有し、前記受入スロットの内壁が、前記作動表面を形成し、前記送電線接続スイッチおよび前記中性線接続スイッチが、それぞれ、前記対応する受入スロットに収容されている２つのスイッチ部を有し、前記２つのスイッチ部が、それぞれ、接続端部を備え、前記２つのスイッチ部のうちの一方のスイッチ部の前記接触端部が、前記作動部の作動の下で移動し、かつ前記他方のスイッチ部の前記接触端部に接触して、前記対応する接続スイッチをオンにするように適合されている、安全ソケット。
【請求項２】
前記送電線接続スイッチおよび前記中性線接続スイッチの前記２つのスイッチ部の前記接触端部が、それぞれ、導電突起を有し、前記スイッチ部のうちの一方の前記導電突起の位置が、前記他方のスイッチ部の前記他方の導電突起の位置よりも高く、前記それぞれのスイッチ部の前記接触端部のうちの１つが、前記作動表面の作動の下で回転し、これにより前記２つのスイッチ部の前記導電突起が、２点間接触を形成するよう互いに接触する、請求項１に記載の安全ソケット。
【請求項３】
前記受入スロットの上壁が、傾斜した誘導表面を形成し、前記それぞれのスイッチ部の前記接触端部が、前記作動表面の作動の下で前記傾斜した誘導表面に沿って滑動し、前記２つのスイッチ部を互いに接触させる、請求項２に記載の安全ソケット。
【請求項４】
絶縁キャビティが、前記安全ソケットの２つ以上の前記レセプタクルの外側に形成されており、前記ソケット本体が、前記アース線のレセプタクル中の水または他の導電性液体が前記作動孔を介して前記絶縁キャビティに侵入しないようにするための密閉部材をさらに備える、請求項１に記載の安全ソケット。
【請求項５】
前記密閉部材が、前記アース線のレセプタクルの外側に固定されており、密閉体を備えるシーラーを備え、スルーホールが前記密閉体に設けられており、前記スルーホールが、前記アース線のレセプタクルの前記作動孔に対応して位置しており、前記スルーホールが、前記押圧部と一致するようなサイズおよび形状であることにより、前記押圧部が、前記スルーホールを介して適切に貫通することができる、請求項４に記載の安全ソケット。
【請求項６】
前記アース線のレセプタクルが、位置決めスロットを形成する外側の側壁を有し、前記密閉部材が、固定器体に形成された開口部を有する前記固定器体を備える固定器をさらに備え、前記開口部が、前記押圧部を、開口部を介して貫通させ、前記固定器体が、前記位置決めスロットを密閉するように前記アース線のレセプタクルの前記外側の側壁に固定されていることにより、確実に前記シーラーが前記位置決めスロットにしっかりと固定して取り付けられる、請求項５に記載の安全ソケット。
【請求項７】
２つ以上のピンを有する器具プラグ用の安全ソケットであって、前記安全ソケットが、
互いに絶縁された２つ以上のレセプタクルを有し、かつ送電線接続回路と、中性線接続回路と、ロックおよび制御機構とを備える少なくとも１つのソケット本体と
を備え、
前記器具プラグの前記２つ以上のピンが対応する前記ソケット本体の前記レセプタクルに挿入されると、前記ロックおよび制御機構が作動状態に作動し、前記ロックおよび制御機構がアイドル状態にある場合には、前記送電線接続回路および前記中性線接続回路を電気的に遮断することにより、感電を防止し、
前記ソケットの本体の前記２つ以上のレセプタクルが、送電線のレセプタクルおよび中性線のレセプタクルを備え、前記器具プラグの前記２つ以上のピンが、送電線のピンおよび中性線のピンを備え、前記器具プラグの前記送電線のピンおよび前記中性線のピンが、対応する、前記送電線のレセプタクルおよび前記中性線のレセプタクルにそれぞれ同時に挿入されると、前記ロックおよび制御機構が、前記送電線のレセプタクルに挿入された前記送電線のピンおよび前記中性線のレセプタクルに挿入された前記中性線のピンにより作動して、前記送電線接続回路および前記中性線接続回路を電気的に接続し、前記ロックおよび制御機構が、２つのロック制御ユニットを備え、前記送電線および中性線のレセプタクルが、それぞれ側壁を有し、送電線の作動孔が前記送電線のレセプタクルの前記側壁に設けられており、中性線の作動孔が前記中性線のレセプタクルの前記側壁に設けられており、前記２つのロック制御ユニットが、それぞれ前記送電線の作動孔および前記中性線の作動孔を介して配置かつ取り付けられており、前記器具プラグの前記送電線のピンおよび前記中性線のピンが、それぞれ同時に前記送電線のレセプタクルおよび前記中性線のレセプタクルに挿入されると、前記送電線のピンおよび前記中性線のピンが、前記２つのロック制御ユニットを同時に作動させ、前記２つのロック制御ユニットが同時に作動する場合にのみ、前記送電線接続回路および前記中性線接続回路が電気的に接続し、
前記２つのロック制御ユニットが、それぞれ、その一端に傾斜表面を有し、前記送電線の作動孔または前記中性線の作動孔を介して貫通する押圧部と、前記押圧部に接続され、かつ前記作動状態で前記送電線接続回路および前記中性線接続回路を電気的に接続する作動部と、前記押圧部または前記作動部に取り付けられたリセット部とを備え、前記器具プラグの前記送電線のピンおよび前記中性線のピンが、前記送電線のレセプタクルおよび前記中性線のレセプタクルにそれぞれ同時に挿入されると、前記送電線のピンおよび前記中性線のピンが、それぞれ前記押圧部を移動するよう押圧して、前記作動部をさらに移動させ、よって前記２つのロック制御ユニットが前記作動状態になり、前記器具プラグの前記送電線のピンおよび前記中性線のピンが、前記送電線のレセプタクルおよび前記中性線のレセプタクルから抜かれると、前記２つのロック制御ユニットが、前記リセット部のリセット作用の下で初期アイドル状態になり、
前記ソケット本体が、２つのセットの送電線接続スイッチおよび中性線接続スイッチを備え、前記作動状態で、前記２つのロック制御ユニットの前記作動部が、前記２つのセットの送電線接続スイッチおよび中性線接続スイッチをそれぞれオンにすることにより、前記送電線接続回路および前記中性線接続回路を電気的に接続し、
前記ロックおよび制御機構が、制動ユニットをさらに備え、前記２つのロック制御ユニットが同時に作動する場合には、前記制動ユニットが前記２つのロック制御ユニットを正常な作動状態で作動させ、前記２つのロック制御ユニットのうちの１つのみが作動する場合には、前記制動ユニットが、前記他方のロック制御ユニットが作動しないようにすることで、確実に前記送電線接続回路および前記中性線接続回路を電気的に遮断して、感電を防止し、
前記制動ユニットが、制動部と、抑止部と、回転軸とを備え、前記制動部が、前記作動状態に切り替わると、前記２つの作動部の前記相互作用の下で直線運動するように適合されており、前記器具プラグの前記送電線のピンおよび前記中性線のピンが、それぞれ前記送電線のレセプタクルおよび前記中性線のレセプタクルから抜かれると、前記制動部が、前記抑止部の前記リセット作用の下で前記初期アイドル状態に戻り、前記２つのロック制御ユニットのうちの１つのみが作動する場合には、前記制動部が、前記回転軸の周りを回転し、かつ前記他方のロック制御ユニットが作動しないようにすることで、確実に前記送電線接続回路および前記中性線接続回路を電気的に遮断して、感電を防止し、
前記制動部の２つの端部が、それぞれ前記端部に設けられた２つの作用表面を有し、前記２つの作動部が、それぞれ作動体を備え、前記作動体が、前記２つの作用表面に作用力を加え、前記制動部を、垂直方向または水平方向に沿って選択的に移動させる、安全ソケット。
【請求項８】
前記２つの作用表面が、傾斜表面であり、前記制動部の同一側に設けられており、前記２つの作動部の前記作動体が、前記制動部の同一の側に設けられており、それぞれ、前記同一方向および平行方向に沿って前記２つの作用表面に作用力を加えるように適合されている、請求項７に記載の安全ソケット。
【請求項９】
前記２つの作用表面が、傾斜表面であり、前記制動部の対向する側に設けられており、前記２つの作動部の前記作動体が、前記制動部の２つの対向する側に設けられており、それぞれ、平行であるが対向する方向に沿って前記２つの作用表面に作用力を加えるように適合されている、請求項７に記載の安全ソケット。
【請求項１０】
前記作動部が、それぞれ、前記２つの起動部のうちの一方が、１セットの送電線接続スイッチおよび中性線接続スイッチを同時にオンおよびオフにするために使用され、前記２つの起動部のうちの他方が、他方のセットの送電線接続スイッチおよび中性線接続スイッチを同時にオンおよびオフにするために使用されているような、前記起動部を備える、請求項７に記載の安全ソケット。
【請求項１１】
前記それぞれの２つの作動部の前記作動体の位置が配置され、前記２つのロック制御ユニットのうち１つのロック制御ユニットのみが起動する場合には、前記ロック制御ユニットの１つの作動体が、前記制動部が前記回転軸の周りを時計回りまたは反時計回りに回転するように前記作用表面の１つに作用することで、前記他方の作用表面および前記他方のロック制御ユニットの前記作動体が転位状態になり、よって確実に前記制動部が前記他方のロック制御ユニットを起動しないようにする、請求項１０に記載の安全ソケット。
【請求項１２】
絶縁キャビティが、前記安全ソケットの前記ソケット本体の前記２つ以上のレセプタクルの外側に形成されており、前記ソケット本体が、前記アース線のレセプタクルの中に侵入した水または他の導電性液体が前記送電線の作動孔または前記中性線の作動孔を介して前記絶縁キャビティへ侵入させないようにするための密閉部材をさらに備える、請求項７に記載の安全ソケット。
【請求項１３】
前記押圧部が、それぞれ、押圧部に形成された溝を有し、前記密閉部材が、それぞれ前記溝に設けられており、かつ前記対応する送電線の作動孔および前記中性線の作動孔に位置したシールリングを備えることにより、前記送電線の作動孔および前記中性線の作動孔の内面に、それぞれ、しっかりと固定して接触する、請求項１２に記載の安全ソケット。
【請求項１４】
前記絶縁キャビティと隣接した、前記送電線のレセプタクルおよび前記中性線のレセプタクルのそれぞれの外側の側壁が、固定溝を形成し、前記密閉部材が、それぞれ、前記固定溝に取り付けられたシールリングを備え、前記シールリングの内面が、前記押圧部の外部表面としっかりと固定して接触している、請求項１２に記載の安全ソケット。
【請求項１５】
前記密閉部材が、固定部材の本体を備える固定部材をさらに備え、２つの開口部が、前記固定部材の本体に形成されており、前記２つの開口部が、それぞれ、前記２つの開口部を介して前記押圧部を貫通させ、前記固定部材が、前記対応する固定溝を密閉するために前記送電線のレセプタクルおよび前記中性線のレセプタクルの外側の側壁に固定されていることにより、前記シールリングが、確実に前記固定溝にしっかりと固定して密接に取り付けられる、請求項１４に記載の安全ソケット。
【請求項１６】
前記ロックおよび制御機構が、前記２つのロック制御ユニットに接続する制動ユニットをさらに備え、前記器具プラグの前記送電線のピンおよび前記中性線のピンが、前記対応する送電線のレセプタクルおよび前記中性線のレセプタクルにそれぞれ同時に挿入されると、前記２つのロック制御ユニットが前記送電線のピンおよび前記中性線のピンにより作動して、前記制動ユニットを前記作動状態に切り替えて、前記送電線接続回路および前記中性線接続回路を電気的に接続するが、前記２つのロック制御ユニットのうちの１つのみが作動する場合には、前記制動ユニットに接続された前記他方のロック制御ユニットが、前記ロック制御ユニットを作動しないようにすることで、感電を防止する、請求項７に記載の安全ソケット。
【請求項１７】
前記２つのロック制御ユニットが、それぞれ押圧部材と、作動部材と、リセット部材とを有し、前記押圧部材が、その１端に傾斜表面を有し、かつ前記送電線の作動孔または前記中性線の作動孔を介して貫通しており、前記作動部材が、前記押圧部材と接続しており、前記リセット部材が、前記押圧部材または前記作動部材に取り付けられており、前記作動部材が、前記作動状態で前記中性線接続回路と前記送電線接続回路を電気的に接続するために使用され、前記器具プラグの前記送電線のピンおよび前記中性線のピンが、前記送電線のレセプタクルおよび前記中性線のレセプタクルにそれぞれ同時に挿入されると、前記送電線のピンおよび前記中性線のピンが、それぞれ、前記押圧部材を移動するように押圧して、前記作動部材をさらに移動させ、前記２つのロック制御ユニットが前記作動状態になり、前記器具プラグの前記送電線のピンおよび前記中性線のピンが、前記送電線のレセプタクルおよび前記中性線のレセプタクルから抜かれると、前記２つのロック制御ユニットが前記リセット部材のリセット作用の下で初期アイドル状態になる、請求項１６に記載の安全ソケット。
【請求項１８】
前記ソケット本体が、送電線接続スイッチおよび中性線接続スイッチを備え、前記作動状態で、一方の作動部が、１セットの前記接続スイッチおよび前記中性線接続スイッチを切り替え、前記他方の作動部が、他方のセットの前記送電線接続スイッチおよび前記中性線接続スイッチを切り替えることにより、前記中性線接続回路と前記送電線接続回路を電気的に接続する、請求項１７に記載の安全ソケット。
【請求項１９】
前記制動ユニットが、位置決め部材および２つの接続部材を備え、前記接続部材の一方の端部が、前記位置決め部材に枢動可能に取り付けられており、前記接続部材のそれぞれの他方の端部が、前記作動部材に枢動可能に取り付けられている、請求項１７に記載の安全ソケット。
【請求項２０】
前記ソケット本体が、誘導溝を有する誘導部材をさらに備え、前記誘導部材が、前記ソケット本体の前記それぞれのレセプタクルの前記外側の側壁から一体化して突き出ており、前記位置決め部材が、前記誘導部材の前記誘導溝で滑動するように適合されている、請求項１９に記載の安全ソケット。
【請求項２１】
前記接続部材が、それぞれ接続端部および連結端部を備え、前記２つの接続端部が、前記位置決め部材により組み立てられており、前記接続端部が、それぞれロッキングジョイント溝を形成し、前記作動部材が、前記端部に備え付けられている設置部材を有し、前記設置部材が、それぞれ、前記ロッキングジョイント溝に受入られており、枢動部材により前記対応する連結端部と接続されている、請求項２０に記載の安全ソケット。
【請求項２２】
絶縁キャビティが、前記安全ソケットの前記ソケット本体の２つ以上のレセプタクルの外側に形成されており、前記ソケット本体が、前記アース線のレセプタクルへ侵入した水または他の導電性液体が前記送電線の作動孔または前記中性線の作動孔を介して前記絶縁キャビティへ侵入させないようにするための密閉部材をさらに備える、請求項１６に記載の安全ソケット。
【請求項２３】
前記レセプタクルが、それぞれレセプタクル開口部を有しており、前記レセプタクルが、それぞれ、保護位置で前記レセプタクル開口部を密閉し、作動位置で前記レセプタクルの開口部を開くように、それぞれ、前記レセプタクルの前記レセプタクル開口部に隣接した位置に配置された保護アセンブリを備えており、これにより、前記器具プラグの前記ピンが前記対応するレセプタクルに挿入され、前記保護アセンブリが、保護部材と、回転軸と、リセット部材とを備え、前記保護部材が、前記保護位置と前記作動位置との間で切り替えるために前記回転軸の周りを回転するように適合されており、前記器具プラグの前記ピンが、前記レセプタクルから抜かれると、前記リセット部材のリセット作用により、前記保護アセンブリが、前記作動位置から前記保護位置に戻るように切り替わる、請求項１に記載の安全ソケット。
【請求項２４】
通水口が、前記レセプタクルのそれぞれに設けられており、前記レセプタクルを介して、前記レセプタクルへ侵入した水を前記安全ソケットから外へ排出できる、請求項１に記載の安全ソケット。
【請求項２５】
前記安全ソケットが、１つまたは複数のインテリジェントデジタルデバイスに電力を提供するための１つまたは複数のＵＳＢデータケーブルにより前記１つまたは複数のインテリジェントデジタルデバイスと接続するための１つまたは複数の充電可能なＵＳＢ端末部をさらに備える、請求項１に記載の安全ソケット。
【請求項２６】
前記安全ソケットが、ソケットシェルおよび回路基板をさらに備え、前記ソケットシェルおよび前記ソケット本体が、前記レセプタクルと連通していない絶縁キャビティを形成し、前記回路基板が、前記絶縁キャビティに受入されており、前記ＵＳＢ端末部が、それぞれＵＳＢレセプタクルと、前記回路基板に接続された１つまたは複数のピンとを有し、前記ＵＳＢ端末部が、それぞれ前記ソケットシェルで一体形成されており、前記ＵＳＢレセプタクルおよび前記絶縁キャビティが、前記レセプタクルおよび前記ＵＳＢレセプタクルを介して前記絶縁キャビティへ水または他の導電性液体が侵入しないように互い連通していない、請求項２５に記載の安全ソケット。
【請求項２７】
前記ソケット本体が、
前記送電線接続回路と接続または遮断するように適合された第１の送電線接続スイッチおよび第２の送電線接続スイッチと、
前記中性線接続回路と接続または遮断するように適合された第１の中性線接続スイッチおよび第２の中性線接続スイッチと、
を備え、
前記ロックおよび制御機構が第１のロック制御ユニットおよび第２のロック制御ユニットを備え、前記第１のロック制御ユニットおよび前記第２のロック制御ユニットが同時に作動すると、前記第１のロック制御ユニットが、前記第１の送電線接続スイッチおよび前記第１の中性線接続スイッチをオンにし、同時に前記第２のロック制御ユニットが、前記送電線接続スイッチおよび前記中性線接続スイッチをオンにすることにより、前記送電線接続回路および前記中性線接続回路を電気的に接続され、前記ソケットの正常な作動状態が確実になする、請求項１に記載の安全ソケット。
【請求項２８】
前記ソケット本体が、送電線のレセプタクルおよび中性線のレセプタクルをさらに有し、前記送電線および中性線のレセプタクルがそれぞれ側壁を有し、前記ソケット本体が、前記送電線のレセプタクルの前記側壁に設けられている送電線の作動孔、および前記中性線のレセプタクルの前記側壁に設けられている中性線の作動孔をさらに有し、前記第１のロック制御ユニットが、前記送電線の作動孔を介して配置および取り付けられており、前記第２のロック制御ユニットが、前記中性線の作動孔を介して配置および取り付けられており、前記器具プラグの送電線のピンおよび中性線のピンが、それぞれ同時に前記送電線のレセプタクルおよび前記中性線のレセプタクルに挿入されると、前記送電線のピンが前記第１のロック制御ユニットを作動し、前記中性線のピンが前記第２のロック制御ユニットを作動するため、前記送電線接続回路および前記中性線接続回路が、前記２つのロック制御ユニットが同時に作動する場合にのみ電気的に接続される、請求項２７に記載の安全ソケット。
【発明の詳細な説明】
【技術分野】
【０００１】
本文書の開示の一部は、著作権の保護を受けている部分を含む。著作権者は、本開示のいずれの複製にも反対するものではないが、米国特許商標局の特許出願または記録から明らかであるように、全ての著作権を保有する。
【背景技術】
【０００２】
本発明は、電気コンセント、より詳細には、防水性でありかつ効果的に感電を防止する安全ソケットに関する。
【発明の概要】
【発明が解決しようとする課題】
【０００３】
ソケットは電気器具の電力インターフェースを提供する電気装置であり、簡便なレセプタクル、スイッチソケットなどとしても知られている。一般的なソケットは、２つ孔のジャックのソケット、３つ孔のジャックのソケット、または４つ孔のジャックのソケットである。電気器具のプラグのピンがソケットのピンをソケットのジャックに差し込まれると、電気器具と電源との間の電気回路がソケットにより接続され、電気器具が、電源の電力供給の下で正常な状態で作動する。
【０００４】
しかしながら、従来のソケットは、多くの場合、安全性に関するリスク、特に防水性および感電の問題が無視されている。たとえば、小児の好奇心が強く、活動的かついたずら好きであり、ソケットのジャックに爪および銅線などの導電性物体をソケットのジャックに差し込んだ場合など、人が不注意にソケットのジャックに導電性物体を差し込む場合があり、これらの動作は感電をもたらし得る非常に危険なものである。
【０００５】
他方で、一般的なソケットは、防水効果を有していないため、ソケットのジャックに水が侵入して電力が自動的にオンになり、そのためソケットに触れた人が感電事故を起こす場合がある。よって、湿潤した環境および水環境で安全に使用できるソケットは市販されていない。より具体的には、ソケットは、外部の周辺機器と接触するジャックを有するため、水、油、化学試薬などの伝導性の液体がジャックに侵入すると漏電事故を起こす場合がある。言い換えると、従来のソケットは、湿潤した、湿気のある環境では、水が容易にソケットのジャックにかかり得るため、台所、風呂場などの湿潤し、湿気のある環境での使用には適さない。さらに、このような従来のソケットは、屋外の環境ではソケットが容易に水分に曝露されるため、屋外の環境での使用に適さない。さらには、ソケットが屋内の環境に設置されている場合でも、小児が遊んでいる最中にソケットのジャックに水をはねかけてしまうことある。この状況では、内部に水が入ったソケットが、感電事故を引き起こす危険性が十分にある。
【０００６】
現在の保護手段は、電源のソケット用の防水性のコンテナを提供することであり、この防水性のコンテナは、水または他の液体が、ジャックに侵入しないようにするために、電源ソケットが使用されていない場合に電源ソケット内部のソケットのジャックを密閉する。それは、使いづらいだけでなく、人がジャックの開閉をうっかり忘れた場合、ジャックの曝露をもたらし、水がジャックに入りこみ、事故の危険性を引き起こす場合がある。言い換えると、現行の電源ソケットで、ソケットのジャックに侵入した水が引き起す感電事故を防止する完全で安全な方法は存在しない。
【０００７】
本発明の目的は、感電の防止および／または防水性の問題を効果的に解決できる安全ソケットを提供することで、確実に安全ソケットを安全に使用することである。
【０００８】
本発明の別の目的は、導電性物体が本発明の安全ソケットのいずれのレセプタクルに挿入されても、導電性物体が電源と電気回路とを接続しないため、感電事故を防止する、安全ソケットを提供することである。
【０００９】
本発明の別の目的は、器具プラグの全てのピン（２、３、または４つのピン）が、対応する、安全ソケットの２、３、または４つの安全ソケットのレセプタクルに同時に挿入される場合にのみ、安全ソケットと電源との間の電気回路が電気的に接続されることになるため、いずれの感電事故も防止する、安全ソケットを提供することである。
【００１０】
本発明の別の目的は、規格内の器具プラグが安全ソケットのそれぞれのレセプタクルに挿入される場合にのみ、ロックおよび制御機構が、送電線接続回路および中性線接続回路（ｎｅｕｔｒａｌ  ｃｏｎｎｅｃｔｉｏｎ  ｃｉｒｃｕｉｔ）をそれぞれ接続し、器具プラグと電源との間の電気回路を接続するように作動するロックおよび制御機構を備える、安全ソケットを提供することである。
【００１１】
本発明の別の目的は、導電性物体が安全ソケットのレセプタクルのいずれか１つに挿入されても、ロックおよび制御機構が作動しないため、導電性物体が、安全ソケットを介して電源と接続されず、これにより感電事故を防止する、安全ソケットを提供することである。
【００１２】
本発明の別の目的は、導電性物体が、送電線接続回路に対応する送電線のレセプタクルなどの安全ソケットレセプタクルのいずれか１つに挿入されても、ロックおよび制御機構が自己ロック機構を提供し、他の導電性物体が中性線接続回路に対応する中性線のレセプタクルに挿入されても、自己ロック機構が電源と安全ソケットとの間の電気回路の接続を防止する、安全ソケットを提供することである。
【００１３】
本発明の別の目的は、ロックおよび制御機構の自己ロック機構が、さらに、別の導電性物体を、安全ソケットの別のレセプタクルに挿入させないようにすることができる、安全ソケットを提供することである。たとえば、導電性物体が、送電線のレセプタクルに挿入されても、別の導電性物体は、ロックおよび制御機構により中性線のレセプタクルに挿入されるのを防ぐことにより、他の導電性物体が、中性線のレセプタクルに完全に挿入されなくなり、電源と安全ソケットとの間の電気回路の接続を防止することができる。
【００１４】
本発明の別の目的は、２つ以上の導電性物体が、安全ソケットの２つ以上のレセプタクルに次々に挿入されても、ロックおよび制御機構の自己ロック機構により、電源と安全ソケットとの間の電気回路が遮断され、規格内の電源プラグのピンが、対応する安全ソケットのレセプタクルに同時に挿入される場合にのみ、電源と安全ソケットとの間の電気回路が接続される、安全ソケットを提供することである。
【００１５】
本発明の別の目的は、規格内の器具プラグが安全ソケットのレセプタクルに挿入され、かつピンのサイズが、ロックおよび制御機構の作動に適している場合にのみ、電源と安全ソケットとの間の電気回路が接続される、安全ソケットを提供することである。あるいは、安全ソケットのレセプタクルに規格内の器具プラグのピン以外の複数の導電性物体が同時に挿入されても、これら導電性物体の寸法およびサイズがロックおよび制御機構を作動させるには不十分なため、電源と安全ソケットとの間の電気回路は安全ソケットにより接続されず、これにより、感電事故を防止する。
【００１６】
本発明の別の目的は、器具プラグの２つのピンが、安全ソケットの２つのレセプタクルに同時に挿入される場合にのみ、プラグのピンが、それぞれ対応する送電線接続回路および中性線接続回路に接続可能になり、器具プラグおよび電源が電気的に接続される、安全ソケットを提供することである。
【００１７】
本発明の別の目的は、安全ソケットが３つ孔ジャックのソケットであり、器具プラグの送電線のピンおよび中性線のピンが、送電線のレセプタクルおよび中性線のレセプタクルにそれぞれ同時に挿入される場合にのみ、器具プラグのピンが、送電線接続回路および中性線接続回路をそれぞれ接続可能になり、器具プラグおよび電源が安全ソケットにより電気的に接続される、安全ソケットを提供することである。または器具プラグのアースピンが対応するアース線のレセプタクルに挿入されても、ロック制御ユニットが、器具プラグのアースピンの挿入に応じて作動するため、器具プラグの３つのピンが安全ソケットの３つのレセプタクルに同時に挿入される場合にのみ、送電線および中性線のプラグのピンが、対応する送電線接続回路および中性線接続回路にそれぞれ接続可能になる。
【００１８】
本発明の別の目的は、送電線接続回路および中性線接続回路を有する安全ソケットを提供することである。一実施形態では、送電線接続回路の全回路構造は、第１の送電線接続スイッチおよび第２の送電線接続スイッチと共に配置されており、中性線接続回路の全回路構造は、第１の中性線接続スイッチおよび第２の中性線接続スイッチと共に配置されており、ロックおよび制御機構は、第１のロック制御ユニットおよび第２のロック制御ユニットを備え、ロックおよび制御機構がプラグピンの挿入に応じて作動する場合にのみ、第１のロック制御ユニットが、第１の送電線接続回路および第１の中性線接続回路のスイッチをオンにし、第２のロック制御ユニットが、第２の送電線接続回路および第２の中性線接続回路のスイッチをオンにし、送電線接続回路および中性線接続回路が接続可能になる。
【００１９】
本発明の別の目的は、１つの導電性物体が送電線のレセプタクルなどの安全ソケットの１つのレセプタクルに挿入される場合にのみ、第１のロック制御ユニットが第１の送電線接続スイッチおよび第１の中性線接続スイッチをオンにするが、第２のロック制御ユニットが第２の送電線接続スイッチおよび第２の中性線接続スイッチをオフにすることにより、送電線接続回路および中性線接続回路が遮断されて、感電事故をさらに防止する、安全ソケットを提供することである。
【００２０】
本発明の別の目的は、ロックおよび制御機構の２つのロック制御ユニットが同時に作動する場合にのみ、対応する回路が接続される、あるいは第１の作動したロック制御機構が、その後、他のロックおよび制御ユニットの作動を防止し、自己ロック機構を形成することで感電事故を防止する、安全ソケットを提供することである。
【００２１】
本発明の別の目的は、各レセプタクルが、水または他の導電性液体に接するのを防止するようレセプタクル開口部を密閉するため、各レセプタクルのレセプタクル開口部に隣接した位置に配置された保護アセンブリと共に提供される、安全ソケットを提供することである。
【００２２】
本発明の別の目的は、それぞれのプラグピンを、安全ソケットのレセプタクルに入れるために保護アセンブリの保護部材を押して開くとき、およびプラグピンを、レセプタクルから抜くときに、保護部材がレセプタクルの開口部を閉鎖できるリセット機構を保護アセンブリがさらに備える、安全ソケットを提供することである。よってリセット機構は、リセットバネにより実施でき、力が十分に大きい場合にのみ、保護部材を押して開くことができるが、小児が鉄線を使用して保護部材を押しても、押力が十分に強くない場合には保護部材は押されても開かないので、偶発的な感電事故が防止される、安全ソケットを提供することである。
【００２３】
本発明の別の目的は、保護アセンブリの保護部材が、規格内の器具のプラグのピンに一致するサイズを有するジャックのスロットを更に形成する、安全ソケットを提供することである。よって、規格内の器具プラグのピンが、ジャックのスロットに挿入され、押力が十分大きい場合にのみ、規格内の器具プラグのピンを、安全ソケットのレセプタクルに挿入することができる。
【００２４】
本発明の別の目的は、安全ソケットのソケットシェルが、絶縁キャビティと安全ソケットのレセプタクルとの間に防水構造を有する絶縁キャビティを有することにより、レセプタクルの中の水または他の導電性液体が、絶縁キャビティの中へ侵入して安全ソケットの回路を接続することがないため、いずれの感電も防止する、安全ソケットを提供することである。
【００２５】
本発明の別の目的は、安全ソケットの回路接続スイッチが絶縁キャビティに収容されている場合、水または他の導電性液体が、安全ソケットのレセプタクルのいずれかに侵入しても、回路接続スイッチがオンにならないため、安全ソケットが湿潤した環境および水環境で使用できる、安全ソケットを提供することである。
【００２６】
本発明の別の目的は、水または他の導電性液体が防水性のソケットのレセプタクルのいずれに侵入しても、水または他の導電性液体は急速に排出されるため、短絡による感電の危険性が効果的に除去される、排出構造を伴った安全ソケットを提供することである。
【００２７】
本発明の別の目的は、本発明に係る排出機能を提供する、従来技術の保持機能とは異なる防水性のソケットである安全ソケットであって、水または他の導電性液体が、急速に排出されることで、確実に安全に使用できる、安全ソケットを提供することである。
【００２８】
本発明の別の目的は、レセプタクルのそれぞれが、通水口を備えることにより、レセプタクルに侵入した水が、安全ソケットの外へ排出される、安全ソケットを提供することである。安全ソケットは、レセプタクルの中の水または他の導電性流体を通水口に誘導し、安全ソケットから流し出させるように適合された排出機構をさらに備える。
【００２９】
本発明の別の目的は、全防水性ソケットのレセプタクルおよび排出構造を除くすべての部品および構成要素が完全に密閉されることにより、正常な条件下で外部の水が安全ソケットの内部へ侵入できなくなる、安全ソケットを提供することである。
【００３０】
本発明の別の目的は、単純な構造を有し、低コストで、簡単に使用でき、大量生産に適している、安全ソケットを提供することである。
【００３１】
本発明のさらなる利点および特徴は、以下の記載から明らかであり、添付の特許請求の範囲における手段および組み合わせの特定の指摘により理解され得る。
【００３２】
本発明によると、前述および他の目的および利点は、  互いに絶縁している２つ以上のレセプタクルを有し、送電線接続回路、中性線接続回路、およびロックおよび制御機構を備える、１つまたは複数のソケット本体を備え、器具プラグの２つ以上のピンがソケット本体の対応するレセプタクルに挿入される場合に上記ロックおよび制御機構が作動状態になり、ロックおよび制御機構がアイドル状態にある場合に上記送電線接続回路および上記中性線接続回路が遮断されることにより、感電事故を防止する、安全ソケットにより達成される。
【００３３】
好ましくは、ソケット本体のレセプタクルは、送電線のレセプタクル、中性線のレセプタクル、およびアース線のレセプタクルを備え、器具プラグのピンは、送電線のピン、中性線のピン、およびアース線のピンを備える。器具プラグの送電線のピン、中性線のピン、およびアース線のピンが、対応する、送電線のレセプタクル、中性線のレセプタクル、およびアース線のレセプタクルにそれぞれ同時に挿入されると、ロックおよび制御機構が、アース線のレセプタクルに挿入されたアース線のピンにより作動して、送電線接続回路および中性線接続回路が接続される。
【００３４】
好ましくは、作動孔がアース線のレセプタクルの側壁に設けられ、ロックおよび制御機構が、押圧部、作動部、およびリセット部を備える。押圧部の第１の端部は作動孔を横断し、アース線のピンにより駆動されるアース線のレセプタクルまで延在する。押圧部の第１の端部と対向する第２の端部は、作動部に接続されている、または一体形成されている。作動部は、作動状態において送電線接続回路および中性線接続回路を接続する。リセット部を、押圧部または作動部に接続することにより、アース線のピンが、アース線のレセプタクルから抜かれると、ロックおよび制御機構が、初期アイドル状態に切り替わる。
【００３５】
好ましくは、ソケット本体は、送電線接続回路の接続および遮断を制御する送電線接続スイッチと、中性線接続回路の接続および遮断を制御する中性線接続スイッチを備える。ロックおよび制御機構の作動部は、押圧部の作動下で、送電線接続スイッチおよび中性線接続スイッチを同時にオンにすることにより、中性線接続回路と送電線接続回路を接続する。
【００３６】
好ましくは、作動部は、コネクタ部と、コネクタ部の２つの側部に接続した２つの作動ブロックとを備える。ここで、２つの作動ブロックは、それぞれ、送電線接続スイッチおよび中性線接続スイッチに作用する押力を加える作動表面を有することにより、送電線接続回路および中性線接続回路を接続する。
【００３７】
好ましくは、受入スロットが、作動ブロックのそれぞれに設けられ、受入スロットの内壁は作動表面を形成する。ここで送電線接続スイッチおよび中性線接続スイッチのそれぞれが、対応する受入スロットに収容される２つのスイッチ部を有し、２つのスイッチ部のうち１つのスイッチ部の接触端部が、作動部の作動下で移動して、他方のスイッチ部の接触端部に接触するように適合されるため、対応する接続スイッチがオンになる。
【００３８】
好ましくは、それぞれの送電線接続スイッチおよび中性線接続スイッチの２つのスイッチ部の接触端部は、それぞれ導電性突起を有し、スイッチ部の１つの導電性突起の位置は、スイッチ部の他方の導電性突起の位置よりも高く、これにより、２つのスイッチ部の導電性突起が、２点間の接触構成を形成するために互いと接触するように、スイッチ部の接触端部のうちの１つが、作動表面の作用の下で回転する。
【００３９】
好ましくは、受入スロットの上壁は、傾斜した誘導表面を形成し、スイッチ部の接触端部は、作動表面の作用の下で傾斜した誘導表面に沿って滑動し、これにより、２つのスイッチ部が互いに接触する。
【００４０】
好ましくは、送電線接続スイッチおよび中性線接続スイッチのそれぞれが、マイクロムーヴスイッチ（ｍｉｃｒｏ−ｍｏｖｅ  ｓｗｉｔｃｈ）である。
【００４１】
好ましくは、リセット部はリセットバネであり、アース線のピンがアース線のレセプタクルに挿入されると、リセットバネが、押圧部および／または作動部の作動下で圧縮または伸長し、アース線のピンが、アース線のレセプタクルから抜かれると、押圧部および作動部が、リセットバネの弾性復元力の下で、初期アイドル状態に戻る。
【００４２】
好ましくは、押圧部の第１の端部は、器具プラグのアース線のピンがアース線のレセプタクルに挿入されると押圧されるように適合されたサイズおよび位置の傾斜表面をさらに有することにより、押圧部を作動孔にさらに移動させて、ロックおよび制御機構を作動させる。
【００４３】
好ましくは、送電線接続スイッチおよび中性線接続スイッチは、アース線のレセプタクルの２つの側部にそれぞれ配置され、かつアース線のレセプタクルの側壁により互いに絶縁されており、それにより、送電線接続スイッチと中性線接続スイッチとの間での短絡を防止する。
【００４４】
好ましくは、絶縁キャビティが、安全ソケットの２つ以上のレセプタクルの外側に形成されており、ソケット本体が、アース線のレセプタクルの中の水または他の導電性液体が作動孔を介して絶縁キャビティに侵入しないようにする密閉部材をさらに備える。
【００４５】
好ましくは、絶縁キャビティは、ソケット本体とは別々に画定されており、または安全ソケットは、絶縁キャビティを形成するためにソケット本体と共に組み立てられたソケットシェルをさらに備える。
【００４６】
好ましくは、密閉部材は、アース線のレセプタクルの外側に固定されているシーラーを含み、かつスルーホールが中央に提供されている密閉体を備える。スルーホールは、アース線のレセプタクルの作動孔に対応して配置されており、スルーホールのサイズおよび形状は、押圧部のサイズおよび形状に対応するように配置されることにより、押圧部を、スルーホールを介して強固かつシームレスに横断できるようにする。
【００４７】
好ましくは、アース線のレセプタクルの外側の側壁は、内部に凹んだ位置決めスロットを形成し、密閉部材は、固定器体の中央に開口部を形成する固定器をさらに備える。開口部を介して押圧部を貫通させ、固定器体をアース線のレセプタクルの外側の側壁に固定することにより、位置決めスロットを密閉し、これにより、シーラーが位置決めスロットに安全かつ強固に取り付けられる。
【００４８】
好ましくは、シーラーおよび固定器は、シリコーン物質から作製され、各レセプタクルの外周壁のそれぞれは、セラミック、マイカ、およびベークライトからなる群から選択される絶縁性および耐熱性の物質から作製されている。
【００４９】
好ましくは、ソケット本体の２つ以上のレセプタクルは、送電線のレセプタクルおよび中性線のレセプタクルを備え、かつ器具プラグの２つ以上のピンは、送電線のピンおよび中性線のピンを備え、器具プラグの送電線のピンおよび中性線のピンが、対応する送電線のレセプタクルおよび中性線のレセプタクルにそれぞれ同時に挿入されると、ロックおよび制御機構が、送電線のレセプタクルに挿入された送電線のピンおよび中性線のレセプタクルに挿入された中性線のピンにより作動して、送電線接続回路および中性線接続回路を電気的に接続する。
【００５０】
好ましくは、ロックおよび制御機構は、２つのロック制御ユニットを備え、送電線の作動孔が送電線のレセプタクルの側壁に設けられ、中性線の作動孔が、中性線のレセプタクルの側壁に設けられている。２つのロック制御ユニットは、送電線の作動孔および中性線の作動孔を介して、それぞれ配置および取り付けられており、器具プラグの送電線のピンおよび中性線のピンが、送電線のレセプタクルおよび中性線のレセプタクルにそれぞれ同時に挿入されると、送電線のピンおよび中性線のピンが、２つのロック制御ユニットを同時に作動させるため、２つのロック制御ユニットが同時に作動する場合にのみ送電線接続回路および中性線接続回路が電気的に接続される。
【００５１】
好ましくは、２つのロック制御ユニットのそれぞれが、一端に傾斜表面を有し、送電線の作動孔または中性線の作動孔を介して貫通する押圧部と、押圧部に取り付けられている、または一体形成されており、かつ作動状態で送電線接続回路および中性線接続回路を接続する作動部と、押圧部または作動部に取り付けられたリセット部とを備え、器具プラグの送電線のピンおよび中性線のピンが、送電線のレセプタクルおよび中性線のレセプタクルにそれぞれ同時に挿入されると、送電線のピンおよび中性線のピンが、押圧部を押圧して作動部をさらに移動させることにより、２つのロック制御ユニットが作動状態となり、器具プラグの送電線のピンおよび中性線のピンが、送電線のレセプタクルおよび中性線のレセプタクルから抜かれると、２つのロック制御ユニットがリセット部のリセット作用の下で初期アイドル状態になる。
【００５２】
好ましくは、ソケット本体は、２つのセットの送電線接続スイッチおよび中性線接続スイッチを備え、作動状態では、２つのロック制御ユニットの作動部は、それぞれ、２つのセットの送電線接続スイッチおよび中性線接続スイッチをオンにすることにより、送電線接続回路および中性線接続回路を電気的に接続する。
【００５３】
好ましくは、各リセット部はリセットバネであり、器具プラグの送電線のピンおよび中性線のピンが、送電線のレセプタクルおよび中性線のレセプタクルにそれぞれ挿入されると、リセットバネは、押圧部および／または作動部の作用の下で圧縮または伸長し、かつ器具プラグの送電線のピンおよび中性線のピンが、送電線のレセプタクルおよび中性線のレセプタクルからそれぞれ抜かれると、押圧部および作動部は、リセットバネの弾性復元力の下で初期アイドル状態に戻る。
【００５４】
好ましくは、２つのセットの送電線接続スイッチおよび中性線スイッチである接続スイッチは、点接触もしくは表面接触により対応する回路に接続する、マイクロムーヴスイッチ、または導電性プレートもしくはカラムである。
【００５５】
好ましくは、ロックおよび制御機構は、制動ユニットをさらに備え、２つのロック制御ユニットが同時に起動する場合には、制動ユニットが２つのロック制御ユニットを正常な作動状態で作動させ、かつ２つのロック制御ユニットのうち１つのみが起動する場合には、制動ユニットは、他方のロック制御ユニットが作動しないようにして、確実に送電性接続回路および中性線接続回路を遮断することにより、感電事故を防止する。
【００５６】
好ましくは、制動ユニットは、制動部、抑止部、および回転軸を備え、制動部は、作動状態に切り替わると、２つの作動部の相互作用の下で直線運動するように適合されている。器具プラグの送電線のピンおよび中性線のピンが送電線のレセプタクルおよび中性線のレセプタクルからそれぞれ抜かれると、制動部は、抑止部のリセット作用の下で初期アイドル状態に戻る。２つのロック制御ユニットのうちの１つのみが起動する場合には、制動部は、回転軸の周りを回転し、他方のロック制御ユニットを作動しないようにして、確実に送電線接続回路および中性線接続回路を遮断して、感電事故を防止する。
【００５７】
好ましくは、２つの作用表面が制動部の２つの端部に設けられ、２つの作動部のそれぞれが、作動体を備え、作動体が、それぞれ、２つの作用表面に作用力を加え、これにより、垂直方向または水平方向に沿って制動部を移動させる。
【００５８】
好ましくは、２つの作用表面は傾斜表面であり、制動部の同一の側部に設けられており、２つの作動部の作動体が、制動部の同一の側部に設けられ、同一および平行の方向に沿って２つの作用表面に作用力を加えるように適合されている。
【００５９】
好ましくは、２つの作用表面は、傾斜表面であり、制動部の対向する側に設けられており、２つの作動部の作動体が、制動部の２つの対向する側部に設けられ、平行であるが対向する方向に沿って２つの作用表面に作用力を加えるように適合されている。
【００６０】
好ましくは、各作動部が、２つの起動部のうちの１つが１セットの送電線接続スイッチおよび中性線接続スイッチを同時にオンおよびオフにするために使用され、かつ２つの起動部のうちの別の１つを、別のセットの送電線接続スイッチおよび中性線接続スイッチを同時にオンおよびオフにするために使用するための、注視部をそれぞれ備える。
【００６１】
好ましくは、注視部は、対応する接続スイッチをオンにするために対応する接続スイッチを押圧するように適合されて配置されており、または各注視部は、対応する注視部から延在する２つの起動アームをさらに備え、２つの起動アームは、対応する送電線接続スイッチおよび中性線接続スイッチをオンにするために押圧することにより作動するように適合されている。
【００６２】
好ましくは、作動部は、リセット部が作動体に取り付けられたまま、３つの区分の構造を形成するための、注視部および作動体を接続する接続部をさらに備える。
【００６３】
好ましくは、接続スイッチは、起動部に設置されており、変位が、起動部の移動の最中に起動部の駆動の下で形成されることにより、対応する接続回路に接続する。
【００６４】
好ましくは、それぞれ２つの作動部の作動体が配置され、２つのロック制御ユニットのうち１つのロック制御ユニットのみが起動する場合には、ロック制御ユニットの１つの作動体が、作用表面のうちの１つに作用して、制動部が回転軸の周囲を時計回りまたは反時計回りに回転し、他方の作用表面および他のロック制御ユニットの作動体が転位状態になり、制動部が、他方のロック制御ユニットを起動させないようにする。
【００６５】
好ましくは、制動ユニットは、設置部をさらに備えており、設置部は、適切な位置に、制動部を受入れ、制動部を保持するための保持溝を形成することにより、制動部が、保持溝のみで移動できるように適合されている。
【００６６】
好ましくは、設置部は、ベース部と、ベース部から延在する２つの側面とを備え、保持溝がベース部と２つの側面との間に形成され、誘導溝が側面のそれぞれに形成されており、回転軸の２つの端部が、それぞれ誘導溝に延在することにより、誘導溝の動きに適合しており、抑止部は、一方の端部が設置部のベース部と接続し、他方の端部が制動部を接続している抑止バネを有する。
【００６７】
好ましくは、ロックおよび制御機構は、２つのロック制御ユニットと接続している制動ユニットをさらに備え、器具プラグの送電線のピンおよび中性線のピンが、送電線のレセプタクルおよび中性線のレセプタクルにそれぞれ同時に挿入されると、２つのロック制御ユニットが、送電線のピンおよび中性線のピンにより作動し、制動ユニットが作動状態に切り替わり、送電線接続回路および中性線接続回路を接続し、２つのロック制御ユニットのうちの１つのみが起動する場合には、制動ユニットに接続された他方のロック制御ユニットが、ロック制御ユニットを作動させないようにすることにより、感電事故を防止する。
【００６８】
好ましくは、２つのロック制御ユニットは、それぞれ、押圧部材、作動部材、およびリセット部材を有しており、押圧部材は、その一端に傾斜表面を有しており、送電線の作動孔または中性線の作動孔を介して貫通しており、作動部材は、押圧部材に取り付けられている、または押圧部材に一体形成されており、リセット部材は、押圧部材または作動部材に取り付けられている。作動部材は、作動状態の中性線接続回路と送電線接続回路を接続するために使用され、器具プラグの送電線のピンおよび中性線のピンが、送電線のレセプタクルおよび中性線のレセプタクルにそれぞれ同時に挿入されると、送電線のピンおよび中性線のピンは、それぞれ押圧部材を押圧して、作動部材をさらに移動させることにより、２つのロック制御ユニットが作動状態になり、かつ器具プラグの送電線のピンおよび中性線のピンが、送電線のレセプタクルおよび中性線のレセプタクルから抜かれると、２つのロック制御ユニットが、リセット部材のリセット作用の下で初期アイドル状態になる。
【００６９】
好ましくは、ソケット本体は、送電線接続スイッチおよび中性線接続スイッチを備え、作動状態で、１つの作動部が、１つのセットの送電線接続スイッチおよび中性線接続スイッチを切り替え、他方の作動部が、他方のセットの送電線接続スイッチおよび中性線接続スイッチを切り替えることにより、中性線接続回路と送電線接続回路を接続する。
【００７０】
好ましくは、制動ユニットは、位置決め部材および２つの接続部材を備え、各接続部材のうちの一方の端部が、位置決め部材に枢動可能に取り付けられており、接続部材の他方の端部が、それぞれ、作動部材に枢動可能に取り付けられている。
【００７１】
好ましくは、ソケット本体は、誘導溝を有するガイド誘導部材をさらに備えており、誘導部材は、ソケット本体のそれぞれのレセプタクルの外側の側壁から一体化して突き出ており、位置決め部材は、誘導部材の誘導溝で滑動するように適合されている。
【００７２】
好ましくは、接続部材は、それぞれ、接続端部および連結端部を備え、２つの接続端部は、位置決め部材により組み立てられ、接続端部がそれぞれ、ブロッキングジョイント溝を形成し、作動部材が、端部に備え付けられている設置部材を有し、設置部材が、ブロッキングジョイント溝にそれぞれ受入れられており、かつ枢動部材により対応する連結端部と接続している。
【００７３】
好ましくは、絶縁キャビティが、安全ソケットの、ソケット本体の２つ以上のレセプタクルの外側に形成されており、ソケット本体は、アース線のレセプタクルに入った水または他の導電性液体が、送電線の作動孔または中性線の作動孔を介して絶縁キャビティに侵入しないようにするための密閉部材をさらに備える。
【００７４】
好ましくは、絶縁キャビティは、ソケット本体とは別々に画定されており、または安全ソケットは、絶縁キャビティを形成するためにソケット本体と組み立てられたソケットシェルをさらに備える。
【００７５】
好ましくは、各押圧部／部材には、溝が形成されており、密閉部材は、送電線の作動孔および中性線の作動孔のそれぞれの内面に強固かつ密接して接触するように、溝にそれぞれ備え付けられ、対応する送電線の作動孔および中性線の作動孔に配置されているシールシングを備える。
【００７６】
好ましくは、シールリングは、シリコーンのシールリングである。
【００７７】
好ましくは、絶縁キャビティに隣接している、送電線のレセプタクルおよび中性線のレセプタクルの外側の側壁のそれぞれの側部は、固定溝を形成し、密閉部材は、固定溝にそれぞれ取り付けられたシールリングを備え、シールリングの内面は、押圧部の外面と強固かつ密接に接触している。
【００７８】
好ましくは、密閉部材は、固定部材本体を備える固定部材をさらに備え、２つの開口部が固定部材の本体の中央に形成されている。この２つの開口部は、それぞれ、押圧部／押圧部材を貫通させ、固定部材は、対応する固定溝を密閉するために送電線のレセプタクルおよび中性線のレセプタクルの外側の側壁に固定されており、これによりシールリングが固定溝に強固にしっかりと密接に取り付けられている。
【００７９】
好ましくは、シールリングおよび密閉部材は、シリコーン物質から作製され、各レセプタクルの外周壁のそれぞれが、セラミック、マイカ、およびベークライトからなる群から選択される絶縁性および耐熱性の物質から作製されている。
【００８０】
好ましくは、レセプタクルには、それぞれ、保護アセンブリが備え付けられており、器具プラグのピンが対応するレセプタクルに挿入されるように、保護位置でレセプタクルの開口部を密閉し、作動位置でレセプタクルの開口部を開くように、保護アセンブリは各レセプタクルの開口部に隣接する位置に配置されている。
【００８１】
好ましくは、保護アセンブリは、保護部材、回転軸、およびリセット部材を備え、保護部材は、保護位置と作動位置との間で切り替えるために、回転軸の周りを回転するように適合されており、器具プラグのピンが、レセプタクルから抜かれると、リセット部材のリセット作用が保護アセンブリを作動位置から保護位置に切り替える。
【００８２】
好ましくは、保護アセンブリは、保護部材を受入れるための取り付け凹型溝を有する本体部を備える取り付け部材をさらに備え、保護部材は、保護体およびベース部を備える。保護体は、ベース部に固定して接続されるかベース部から一体化して延在しており、ベース部は、穿孔および取り付け溝をさらに有する。回転軸は穿孔を介して貫通し、ベース部と共に組み立てられることにより、保護部材が、回転軸の周りを回転して回転運動するように適合されている。
【００８３】
好ましくは、リセット部材は、リセットねじりバネであり、中心孔を有するバネ体を備え、リセット部材は、回転軸の穿孔にバネ体の中心孔を対応させるように、ベース部の取り付け溝に組み立てられることにより、回転軸が、ベース部およびリセット部材共に組み立てられるように、ベース部の穿孔およびバネ体の中心孔を介して貫通する。
【００８４】
好ましくは、リセット部材は、バネ体から一体化して延在する第１の押さえ部および第２の押さえ部をさらに備え、保護位置において、第１の押さえ部が、保護体の内面に圧力を加えることで、導電性物体が、保護体を引いて開くのを防いでいる。器具プラグの送電線のピンが保護体と接触し、押力が第１の押さえ部により加えられる圧力に打ち勝つために十分である場合、第２の押さえ部は、レセプタクルの内壁を押圧し、保護体は、保護位置から作動位置へと切り替わる。器具プラグのピンがレセプタクルから抜かれると、蓄積されたリセット部材の応力が解放されることにより、保護体が、保護体の第１の押さえ部の押圧により元の保護位置に戻るよう移動する。
【００８５】
好ましくは、保護体は、さらには、フック状であり、ジャックのスロットを有する。導電性物体が、安全ソケットのそれぞれのレセプタクルに挿入されると、フック状の保護体は、導電性物体をジャックのスロットに留め、導電性物体が、レセプタクルの中へ侵入しないようにすることにより、感電事故をさらに防止する。
【００８６】
同様に、好ましくは、各レセプタクルには、レセプタクルへ侵入する水が、安全ソケットの外へ排出されるように、通水口が形成されている。通水口および対応する作動孔は、レセプタクルの反対側、およびその２つの隣接する側部に設けられている。
【００８７】
同様に、好ましくは、各レセプタクルには、レセプタクルに侵入する水が安全ソケットの外へ排出されるように、通水口が形成されている。
【００８８】
好ましくは、安全ソケットは、それぞれが、各レセプタクルに侵入し、通水口に達する水または他の導電性流体を、安全ソケットの外へ流すようにするように適合した誘導チャネルを有する誘導部を備える、１つまたは複数の排出機構をさらに備える。
【００８９】
好ましくは、それぞれ、通水口は、それぞれのレセプタクルの側壁の底端部に形成され、各レセプタクルの同一の側部に配置されている。
【００９０】
好ましくは、通水口は、それぞれ、レセプタクルの外周壁に形成されており、各レセプタクルの対応するレセプタクル開口部に隣接して配置されている。安全ソケットは、壁ソケットとして使用される。
【００９１】
好ましくは、安全ソケットは、レセプタクルの外側の側壁に備え付けられた、または側壁から突き出た１つまたは複数の排出部をさらに備え、排出機構の一方の端部が排出部と接続することにより、レセプタクルに侵入した水または他の導電性液体が、通水口を介して排出部に入り、次いで排出機構の誘導チャネルに入ることにより、排出機構の他方の端部から安全ソケットの外へ排出されるように適合される。
【００９２】
好ましくは、安全ソケットのソケットシェルは、通水口と隣接して配置されており、支持部および固定部を備え、設置孔が排出機構を設置するための支持部と固定部との間に形成されている。
【００９３】
好ましくは、排出機構は、設置部をさらに備え、固定部と一致するサイズおよび形状を有する溝が設けられており、設置部は溝に受入られている。また排出機構は、位置決め部も備えており、ネックスロットが、誘導部と位置決め部との間に形成され、ネックスロットが、支持部と一致する形状およびサイズを有することにより、支持部が、位置決め部と押圧部との間に形成されたネックスロットに受入られるように適合されている。
【００９４】
好ましくは、第１の方向へとレセプタクルに侵入した水または他の導電性液体は、第２の方向で安全ソケットの外へ排出され、第１の方向および第２の方向は互いに直交している。
【００９５】
好ましくは、安全ソケットは、インテリジェントデジタルデバイスに電力を提供するための１つまたは複数のＵＳＢデータケーブルにより１つまたは複数のインテリジェントデジタルデバイスに接続する１つまたは複数の充電可能なＵＳＢ端末部をさらに備える。
【００９６】
好ましくは、安全ソケットは、ソケットシェルおよび回路基板をさらに備え、ソケットシェルおよびソケット本体は、ソケット本体の絶縁キャビティを形成し、絶縁キャビティは互いに伝達しない。回路基板は、絶縁キャビティに受入られており、ＵＳＢ端末部のそれぞれは、ＵＳＢレセプタクルと、回路基板に接続された１つまたは複数のピンとを有し、ＵＳＢ端末部は、それぞれ、ソケットシェルに一体形成され、ＵＳＢレセプタクルおよび絶縁キャビティが互いに伝達しないことにより、水または他の導電性液体が、レセプタクルおよびＵＳＢレセプタクルを介して絶縁キャビティに侵入しないようにする。
【００９７】
好ましくは、インテリジェントデジタルデバイスのそれぞれが、携帯電話、タブレットコンピュータ、携帯情報端末、ＭＰ３、ＭＰ４、移動電源、およびデジタルカメラからなる群から選択される。
【００９８】
本発明の他の態様によると、上述および他の目的および利点もまた、１つまたは複数のソケット本体を備える安全ソケットにより達成され、ソケット本体は、それぞれ、少なくとも、
送電線接続回路と、
送電線接続回路と接続または遮断するために適合された第１の送電線接続スイッチおよび第２の送電線接続スイッチと、
中性線接続回路と、
中性線接続回路と接続または遮断するために適合された第１の中性線接続スイッチおよび第２の中性線接続スイッチと、
第１のロック制御ユニットおよび第２のロック制御ユニットを備えるロックおよび制御機構と
を備え、
第１のロック制御ユニットおよび第２のロック制御ユニットが同時に作動すると、第１のロック制御ユニットは第１の送電線接続スイッチおよび第１の中性線接続スイッチをオンにし、同時に、第２のロック制御ユニットは第２の送電線接続スイッチおよび第２の中性線接続スイッチをオンにすることにより、送電線接続回路および中性線接続回路が電気的に接続されてソケット本体の正常な作動条件が保証される。
【００９９】
好ましくは、ソケット本体は、送電線のレセプタクルおよび中性線のレセプタクルをさらに有し、送電線の作動孔が、送電線のレセプタクルの側壁に設けられ、中性線の作動孔は、中性線のレセプタクルの側壁に設けられている。第１のロック制御ユニットは、送電線の作動孔を介して配置かつ取り付けられ、第２のロック制御ユニットは、中性線の作動孔を介して配置かつ取り付けられており、器具プラグの送電線のピンおよび中性線のピンが、送電線のレセプタクルおよび中性線のレセプタクルにそれぞれ同時に挿入されると、送電線のピンは、第１のロック制御ユニットを作動し、中性線のピンは、第２のロック制御ユニットを作動することにより、２つのロック制御ユニットが同時に作動する場合にのみ、送電線接続回路および中性線接続回路が電気的に接続される。
【０１００】
好ましくは、第１のロック制御ユニットは、第１の押圧部、第１の作動部、および第１のリセット部を備え、第１の押圧部は、送電線の作動孔を介して貫通しており、第１の作動部は、第１の押圧部に取り付けられている、または第１の押圧部と一体形成されている。第１のリセット部は第１の押圧部または第１の作動部に取り付けられている。第２のロック制御ユニットは、第２の押圧部、第２の作動部、および第２のリセット部を備え、第２の押圧部は中性線の作動孔を介して貫通し、第２の作動部は、第２の押圧部に取り付けられる、または第２の押圧部と一体形成されている。第２のリセット部は第２の押圧部または第２の作動部に取り付けられている。第１および第２の作動部は、作動状態の送電線接続回路および中性線接続回路を接続するように適合されており、器具プラグの送電線のピンおよび中性線のピンが、送電線のレセプタクルおよび中性線のレセプタクルにそれぞれ同時に挿入されると、送電線のピンが、第１の押圧部を移動するように押圧して第１の作動部をさらに移動させ、第１のロック制御ユニットを作動状態にし、中性線のピンが、第２の押圧部を移動するように押圧して第２の作動部をさらに移動させ、第２のロック制御ユニットを作動状態にし、器具プラグの送電線のピンおよび中性線のピンが、送電線のレセプタクルおよび中性線のレセプタクルから抜かれると、第１および第２のロック制御ユニットが、第１および第２のリセット部のリセット作用の下で初期アイドル状態にそれぞれ戻る。
【０１０１】
好ましくは、第１の作動部は、第１の注視部をさらに備え、第２の作動部は、第２の起動部をさらに備え、第１の起動部は、第１の送電線接続スイッチおよび第１の中性線接続スイッチを同時にオンまたはオフにするために使用され、対して第２の起動部は、第２の送電線接続スイッチおよび第２の中性線接続スイッチを同時にオンまたはオフにするために使用される。
【０１０２】
好ましくは、第１および第２のリセット部は、それぞれリセットバネであり、器具プラグの送電線のピンおよび中性線のピンが、送電線のレセプタクルおよび中性線のレセプタクルにそれぞれ挿入されると、リセットバネが、押圧部および／または作動部の作用の下で圧縮または伸長され、かつ、器具プラグの送電線のピンおよび中性線のピンが、送電線のレセプタクルおよび中性線のレセプタクルから抜かれると、押圧部および作動部が、リセットバネの弾性復元力の下で、初期アイドル状態に戻る。
【０１０３】
好ましくは、第１および第２の送電線接続スイッチおよび中性線接続スイッチの接続スイッチのそれぞれが、マイクロムーヴスイッチ、または、点接触もしくは表面接触により対応する回路に接続する導電性プレートもしくはカラムである。
【０１０４】
好ましくは、ロックおよび制御機構が、制動ユニットをさらに備え、第１および第２のロック制御ユニットが同時に起動すると、制動ユニットが、第１および第２のロック制御ユニットを正常な作動状態で作動させ、第１および第２のロック制御ユニットのうちの１つのみが起動する場合には、制動ユニットが、他方のロック制御ユニットが作動しないようにすることにより、確実に送電線接続回路および中性線接続回路の遮断し、感電事故を防止する。
【０１０５】
好ましくは、制動ユニットは、制動部、抑止部、および回転軸を備え、制動部は、制動部が作動状態に切り替わると第１および第２の作動部の作動の下で直線運動するように適合されている。そして、器具プラグの送電線のピンおよび中性線のピンが送電線のレセプタクルおよび中性線のレセプタクルからそれぞれ抜かれると、制動部は、抑止部のリセット作用の下で初期アイドル状態に戻る。第１および第２のロック制御ユニットのうち１つのみが起動する場合には、制動部は、回転軸の周りを回転して、他のロック制御ユニットが作動しないようにして、確実に送電線接続回路および中性線接続回路遮断して、感電事故を防止する。
【０１０６】
好ましくは、制動部は、それぞれ、第１の作用表面および第２の作用表面を備える２つの端部を有し、第１および第２の作動部は、それぞれ、第１の作動体および第２の作動体を備え、第１および第２の作動体は、それぞれ、第１および第２の作用表面に作用力を加えることにより、垂直方向または水平方向に沿って制動部を移動させる。
【０１０７】
好ましくは、第１および第２の作用表面は、それぞれ、制動部の同一の側部に位置した傾斜表面であり、第１および第２の作動体は、制動部の同一の側部に位置しており、平行に、同一方向に沿って第１および第２の作用表面に作用力を加えるように適合されている。
【０１０８】
好ましくは、第１および第２の作用表面は、それぞれ、制動部の対向する側部に位置した傾斜表面であり、第１および第２の作動体は、制動部の２つの対向する側に位置しており、平行に反対方向に沿って第１および第２の作用表面に作用力を加えるように適合されている。
【０１０９】
好ましくは、ロックおよび制御機構は制動ユニットをさらに備え、第１および第２のロック制御ユニットは制動ユニットに接続しており、器具プラグの送電線のピンおよび中性線のピンが、対応する送電線のレセプタクルおよび中性線のレセプタクルにそれぞれ同時に挿入されると、第１および第２のロック制御ユニットが、送電線のピンおよび中性線のピンによりそれぞれ作動して、制動ユニットを作動状態に切り替え、送電線接続回路および中性線接続回路を電気的に接続し、第１および第２のロック制御ユニットのうちの１つのみが起動する場合には、制動ユニットに接続された他方のロック制御ユニットがロック制御ユニットを作動させないようにすることで、感電事故を防止する。
【０１１０】
好ましくは、第１のロック制御ユニットは、第１の押圧部材、第１の作動部材、および第１のリセット部材を備え、第１の押圧部材が、送電線の作動孔を介して貫通し、第１の作動部材が第１の押圧部材に取り付けられている、または第１の押圧部材と一体形成されている。第１のリセット部材は、第１の押圧部材または第１の作動部材に取り付けられている。第２のロック制御ユニットは、第２の押圧部材、第２の作動部材、および第２のリセット部材を備え、第２の押圧部材は中性線の作動孔を貫通し、第２の作動部材は、第２の押圧部材に取り付けられている、または第２の押圧部材と一体形成されており、第２のリセット部材は第２の押圧部材または第２の作動部材に取り付けられている。第１および第２の作動部材は、作動状態で中性線接続回路と送電線接続回路を電気的に接続するように適合されており、器具プラグの送電線のピンおよび中性線のピンが、送電線のレセプタクルおよび中性線のレセプタクルにそれぞれ同時に挿入されると、送電線のピンが、第１の押圧部材を移動するよう押圧して第１の作動部材をさらに移動させ、これにより第１のロック制御ユニットが作動状態になり、中性線のピンが第２の押圧部材を移動するように押圧して第２の作動部材をさらに移動させて、これにより第２のロック制御ユニットが作動状態になる。器具プラグの送電線のピンおよび中性線のピンが、送電線のレセプタクルおよび中性線のレセプタクルから抜かれると、第１および第２のロック制御ユニットが、第１および第２のリセット部材のリセット作用の下で初期アイドル状態にそれぞれ戻る。
【０１１１】
好ましくは、制動ユニットは、位置決め部材と、第１および第２の接続部材とを備え、第１および第２の接続部材のそれぞれ一方の端部が、位置決め部材に枢動可能に取り付けられており、第１および第２の接続部材のそれぞれの他方の端部が、作動部材に枢動可能に取り付けられている。
【０１１２】
好ましくは、ソケット本体は、誘導溝を有する誘導部材をさらに備え、誘導部材は、ソケット本体のレセプタクルのうちの１つの外側の側壁から一体化して突き出ており、位置決め部材は、誘導部材の誘導溝で滑動するように適合されていることにより、アイドル状態と作動状態との間が切り替わる。
【０１１３】
好ましくは、ソケット本体は、２つの上述のレセプタクルを有し、ソケット本体は、ソケット本体の３つのレセプタクルを形成するためのアース線のレセプタクルをさらに有する。
【０１１４】
本発明の他の態様によると、同様に、上述および他の目的および利点は、安全ソケットの使用方法により達成され、安全ソケットは、電源に電気器具の器具プラグを接続するための１つまたは複数のソケット本体を備えており、ソケット本体は、それぞれ、少なくとも、送電線のレセプタクルと、中性線のレセプタクルと、送電線接続回路と、中性線接続回路と、アイドル状態、自己ロック状態、および作動状態を有するロックおよび制御状態とを備える。使用方法は、以下の、
（Ａ）ロックおよび制御機構が理想的な状態である場合には、送電線接続回路および中性線接続回路を遮断するステップと、
（Ｂ）導電性物体が、独立して、自己ロック状態に対応するロックおよび制御機構を作動する送電線のレセプタクルおよび中性線のレセプタクルのうちのうちの１つのみに挿入される場合には、ロックおよび制御機構により、送電線接続回路および中性接続回路を接続しないようにすることにより感電を防止するステップと、
（Ｃ）電気器具の器具プラグの送電線のピンおよび中性線のピンが、作動状態にロックおよび制御機構を作動させる送電線のレセプタクルおよび中性線のレセプタクルにそれぞれ同時に挿入される場合には、ソケット本体を介して、電源の電力供給の下、正常に機能する電源と電気器具を電気的に接続するために、ロックおよび制御機構により送電線接続回路および中性線接続回路を電気的に接続するステップと
を含む。
【０１１５】
好ましくは、ステップ（Ａ）で、導電性物体または他のいずれかの物体が送電線のレセプタクルまたは中性線のレセプタクルに挿入されていない場合には、ロックおよび制御機構はアイドル状態になる。
【０１１６】
好ましくは、ステップ（Ａ）で、導電性物体が、送電線のレセプタクルまたは中性線のレセプタクルに挿入されているが、導電性物体の形状、サイズ、および押力の大きさが、ロックおよび制御機構を作動することができない場合には、ロックおよび制御機構はアイドル状態のままになり、いずれの感電事故も防止する。
【０１１７】
好ましくは、ロックおよび制御機構は、第１および第２のロック制御ユニットと制動ユニットを備えており、第１および第２のロック制御ユニットが同時に作動する場合には、制動ユニットが作動状態にあり、送電線接続回路および中性線接続回路を電気的に接続する。また、第１および第２のロック制御ユニットのうちの１つのみが作動する場合には、ステップ（Ｂ）は、感電事故を防止するため、制動ユニットに作用するロック制御ユニットを作動して自己ロック状態に切り替えるステップと、他方のロック制御ユニットを作動させないようにするステップとをさらに含む。
【０１１８】
好ましくは、ステップ（Ｂ）は、第１および第２のロック制御ユニットのうちの１つのみが作動する場合には、制動ユニットの制動部に回転運動させて、制動部および他方のロック制御ユニットを転位状態にして、他方のロックおよび制御ユニットの作動を防止するステップをさらに含む。
【０１１９】
好ましくは、ステップ（Ｃ）は、第１および第２のロック制御ユニットが同時に作動する場合には、制動ユニットの制動部を直線運動させて、制動部を作動状態に切り替えて、第１および第２のロック制御ユニットが、送電線接続回路および中性線接続回路を電気的に接続するステップをさらに備える。
【０１２０】
好ましくは、ステップ（Ｃ）は、第１および第２のロック制御ユニットが同時に作動する場合には、制動ユニットの制動部に、垂直方向または水平方向に沿って直線運動させるステップをさらに含む。
【０１２１】
好ましくは、ステップ（Ｃ）は、送電線のピンおよび中性線のピンが、ソケット本体の、対応する送電線および中性線のレセプタクルにそれぞれ同時に挿入される場合には、送電線のピンおよび中性線のピンによりそれぞれ、第１のロック制御ユニットの第１の押圧部および第２のロック制御ユニットの第２の押圧部を押圧するステップと、送電線のレセプタクルの側壁の送電線の作動孔および中性線のレセプタクルの側壁の中性線の作動孔に、それぞれ第１および第２の押圧部を移動することにより、第１のロック制御ユニットの第１の作動部および第２のロック制御ユニットの第２の作動部が、それぞれ、送電線接続回路（ｌｉｖｅ  ｗｏｒｅ  ｃｏｎｎｅｃｔｉｏｎ  ｃｉｒｃｕｉｔ）および中性線接続を電気的に接続するステップとを含む。ステップ（Ｃ）は、器具プラグの送電線のピンおよび中性線のピンが、送電線のレセプタクルおよび中性線のレセプタクルから抜かれると、第１および第２のロック制御ユニットが、作動状態から初期アイドル状態に戻るステップをさらに含む。
【０１２２】
好ましくは、ステップ（Ｃ）は、第１のロック制御ユニットにより第１の送電線接続スイッチおよび第１の中性線接続スイッチ、ならびに第２のロック制御ユニットにより第２の送電線接続スイッチおよび第２の中性線接続スイッチを同時にオンにすることにより、第１および第２の中性線接続スイッチがオンになり、中性線接続回路を電気的に接続し、第１および第２の中性線接続スイッチがオンになり、中性線接続回路を電気的に接続するステップをさらに含む。
【０１２３】
好ましくは、ステップ（Ｂ）は、自己ロック状態で、第１および第２のロック制御ユニットにより、第１の送電線接続スイッチ、第１の中性線接続スイッチ、第２の送電線接続スイッチ、および第２の中性線接続スイッチをオフにすることにより、送電線接続回路が、中性線接続回路と遮断されるステップをさらに含む。
【０１２４】
好ましくは、ステップ（Ｂ）は、自己ロック状態で、第１の送電線接続スイッチおよび第１の中性線接続スイッチをオンにしつつ、第２の送電線接続スイッチおよび第２の中性線接続スイッチをオフにするステップ、または第２の送電線接続スイッチおよび第２の中性線接続スイッチをオンにしつつ、第１の送電線接続スイッチおよび第１の中性線接続スイッチをオフにするステップをさらに含む。
【０１２５】
好ましくは、ステップ（Ｂ）は、送電線の作動孔に位置する第１の押圧部および中性線の作動孔に位置する第２の押圧部のサイズ、形状、および位置を、器具プラグの送電線のピンおよび中性線のピンが対応する送電線のレセプタクルおよび中性線のレセプタクルにそれぞれ挿入される場合にのみ、送電線の作動孔に位置する第１の押圧部および中性線の作動孔に位置する第２の押圧部が、作動するよう押圧できるような方法で配置できるようにするステップをさらに含む。
【０１２６】
好ましくは、ステップ（Ｃ）は、第１および第２の作動部により対向しかつ平行な方向に沿って制動部に作用力を加えるステップと、制動部を第１および第２の作動部の移動方向と直交する方向に移動させるステップとをさらに含む。
【０１２７】
好ましくは、ロックおよび制御機構は、第１のロック制御ユニット、第２のロック制御ユニット、および制動ユニットを備え、第１のロック制御ユニットは、制動ユニットにより第２のロック制御ユニットと共に組み立てられている。第１のロック制御ユニットおよび第２のロック制御ユニットが同時に作動する場合には、制動ユニットが、作動状態にあることになり、送電線接続回路および中性線接続回路を電気的に接続する。第１および第２のロック制御ユニットのうち１つのみが作動する場合には、ステップ（Ｂ）は、ロック制御ユニットを、他のロック制御ユニットにより、制動ユニットにより作動させないようにするステップと、制動ユニットを確実に自己ロック状態することにより、感電事故を防止するステップとを含む。
【０１２８】
好ましくは、ステップ（Ｃ）では、位置決め部材は、移動方向に沿ってアイドル状態から作動状態に切り替わり、第１および第２のロック制御ユニットが同時に作動する場合には、第１および第２のロック制御ユニットのそれぞれにより生成される作用力が、その直交方向に沿って分力を相殺することにより、制動ユニットの位置決め部材が移動するよう押圧されまたは引かれ、第１および第２のロック制御ユニットのそれぞれが、確実に送電線接続回路および中性線接続回路を電気的に接続するために十分な変位を生成する。
【０１２９】
好ましくは、ステップ（Ｂ）では、第１のロック制御ユニットの第１の押圧部材が、第１の作動部材を位置決め部材に移動させるためにそれぞれのレセプタクルの側壁の対応する作動孔に移動する傾向がある場合には、制動ユニットに接続された第２のロック制御ユニットの第２の作動部材は、位置決め部材が移動方向に沿って正常に移動できないようにすることにより、位置決め部材が、十分な変位を生成できなくなり、第１および第２の作動部材が、確実に送電線接続回路および中性線接続回路を電気的に接続するために正常で十分な変位を生成できなくなる。
【０１３０】
好ましくは、ステップ（Ｃ）は、器具プラグの送電線のピンおよび中性線のピンが、対応する送電線のレセプタクルおよび中性線のレセプタクルから抜かれると、第１および第２のロック制御ユニットを作動状態からアイドル状態に切り替わるステップをさらに含む。
【０１３１】
好ましくは、安全ソケットの使用方法は、送電線のレセプタクルおよび中性線のレセプタクルの中の水または他の液体が、対応する作動孔を介して安全ソケットの絶縁キャビティに侵入しないようにするステップをさらに含む。
【０１３２】
好ましくは、安全ソケットの使用方法は、送電線のレセプタクルおよび中性線のレセプタクルの中の水または他の液体を排出するステップをさらに含む。
【０１３３】
さらなる目的および利点は、次の記載および図面を考慮することから明らかとなる。
【０１３４】
本発明のこれらおよび他の目的、特性、および利点は、以下の詳細な説明、添付図面、および添付の特許請求の範囲から明らかとなる。
【図面の簡単な説明】
【０１３５】
【図１Ａ】本発明の好ましい実施形態に係る安全ソケットの概略図である。
【図１Ｂ】本発明の上記の好ましい実施形態に係る安全ソケットの分解図である。
【図１Ｃ】本発明の上記の好ましい実施形態に係る安全ソケットの分解図である。
【図２】器具プラグが安全ソケットのソケット本体に挿入されていない場合の、本発明の上記の好ましい実施形態に係る安全ソケットの概略図である。
【図３】器具プラグが安全ソケットのソケット本体に挿入される場合の、本発明の上記の好ましい実施形態に係る安全ソケットの概略図である。
【図４】本発明の上記の好ましい実施形態に係る安全ソケットのソケット本体の回路配線図である。
【図５】本発明の第２の好ましい実施形態に係る安全ソケットの分解概略図である。
【図６】本発明の上記の好ましい実施形態に係る安全ソケットのロックおよび制御機構の分解概略図である。
【図７】本発明の上記の好ましい実施形態に係る安全ソケットのロックおよび制御機構の概略図である。
【図８】本発明の上記の好ましい実施形態に係る安全ソケットのソケット本体の概略図である。
【図９】ソケット本体のロックおよび制御機構のロック制御ユニットが、ソケット本体のレセプタクルで組み立てられていない場合の、本発明の上記の好ましい実施形態に係る安全ソケットの透視図である。
【図１０】本発明の上記の好ましい実施形態に係る安全ソケットのレセプタクルおよび安全ソケットの絶縁キャビティの透視図である。
【図１１】ロック制御ユニットがレセプタクルで組み立てられている場合の、本発明の上記の好ましい実施形態に係る安全ソケットの透視図である。
【図１２】ロック制御ユニットがレセプタクルで組み立てられている場合の、本発明の上記の好ましい実施形態に係る安全ソケットの透視図である。
【図１３】本発明の上記の好ましい実施形態に係る安全ソケットの、図１２のＡ−Ａ線に沿って取られた断面図である。
【図１４】安全ソケットが作動していない場合の、本発明の上記の好ましい実施形態に係る安全ソケットの制動ユニットの概略図である。
【図１５】本発明の上記の好ましい実施形態に係る、安全ソケットに挿入された器具プラグを備える安全ソケットのソケット本体の斜視図である。
【図１６Ａ−Ｂ】レセプタクルに導電性物体が挿入される場合の、本発明の上記の好ましい実施形態に係る安全ソケットの斜視図である。
【図１７】レセプタクルに導電性物体が挿入される場合の、本発明の上記の好ましい実施形態に係る安全ソケットの斜視図である。
【図１８】本発明の上記の好ましい実施形態に係るレセプタクルに挿入された器具プラグを備える安全ソケットの断面図である。
【図１９】防水構造を例示する、本発明の上記の好ましい実施形態に係る安全ソケットの断面図である。
【図２０】別の防水構造を例示する、本発明の上記の好ましい実施形態に係る安全ソケットの横断面図である。
【図２１】本発明の上記の好ましい実施形態に係る安全ソケットの作動孔の透視図である。
【図２２】防水構造を例示する、本発明の上記の好ましい実施形態に係る安全ソケットの分解概略図である。
【図２３】本発明の上記の好ましい実施形態に係る安全ソケットの回路構成を示す図である。
【図２４】本発明の上記の好ましい実施形態に係る代替的な形式を例示する、安全ソケットの分解概略図である。
【図２５】本発明の上記の好ましい実施形態の代替的な形式に係る安全ソケットの透視図である。
【図２６】本発明の上記の好ましい実施形態の代替的な形式に係る、そのセーフボディ（ｓａｆｅ  ｂｏｄｙ）に挿入された器具プラグを備える安全ソケットの透視図である。
【図２７】本発明の上記の好ましい実施形態の代替的な形式に係る安全ソケットの透視図である。
【図２８】本発明の上記の好ましい実施形態の代替的な形式に係る安全ソケットの透視図である。
【図２９】本発明の上記の好ましい実施形態の代替的な形式に係る安全ソケットの制動ユニットを引くためのロック制御ユニットの斜視図である。
【図３０】導電性物体が安全ソケットのソケット本体のレセプタクルに挿入される場合の、本発明の上記の好ましい実施形態の代替的な形式に係る安全ソケットの分解図である。
【図３１】導電性物体が安全ソケットのソケット本体のレセプタクルに挿入される場合の、本発明の上記の好ましい実施形態の代替的な形式に係る安全ソケットの分解図である。
【図３２】導電性物体が安全ソケットのソケット本体の別のレセプタクルに挿入される場合の、本発明の上記の好ましい実施形態の代替的な形式に係る安全ソケットの概略状態図である。
【図３３】導電性物体が安全ソケットのソケット本体の別のレセプタクルに挿入される場合の、本発明の上記の好ましい実施形態の代替的な形式に係る安全ソケットの概略状態図である。
【図３４】本発明の上記の好ましい実施形態の代替的な形式に係る安全ソケットの回路構成である。
【図３５】本発明の上記の好ましい実施形態の代替的な形式に係る安全ソケットの概略分解図である。
【図３６Ａ】本発明の上記の好ましい実施形態の代替的な形式に係る安全ソケットの斜視図である。
【図３６Ｂ】器具プラグがソケット本体に挿入される場合の、本発明の上記の好ましい実施形態の代替的な形式に係る安全ソケットの分解図である。
【図３７】本発明の第３の好ましい実施形態に係る安全ソケットの概略分解図である。
【図３８Ａ−Ｂ】それぞれ、本発明の上記の好ましい実施形態に係る安全ソケットの上面図および斜視図である。
【図３９Ａ−Ｂ】器具プラグがソケット本体に挿入される場合の、本発明の上記の好ましい実施形態に係る安全ソケットの上面図および斜視図である。
【図４０】本発明の上記の好ましい実施形態に係る安全ソケットの回路接続構造図である。
【図４１】安全ソケットのソケット本体の保護部材の取り付け位置を例示する、本発明の第４の好ましい実施形態に係る安全ソケットの透視図である。
【図４２Ａ】本発明の上記の好ましい実施形態に係る安全ソケットの透視図である。
【図４２Ｂ】本発明の上記の好ましい実施形態に係る安全ソケットの透視図である。
【図４３】導電性物体が、ソケット本体のレセプタクルの開口部に挿入される場合の、本発明の上記の好ましい実施形態に係る安全ソケットの透視図である。
【図４４】本発明の上記の好ましい実施形態に係る安全ソケットの分解図である。
【図４５】本発明の第５の好ましい実施形態に係る安全ソケットの分解図である。
【図４６】本発明の第５の好ましい実施形態に係る安全ソケットの分解図である。
【図４７】本発明の上記の好ましい実施形態に係る安全ソケットの透視図である。
【図４８】本発明の上記の好ましい実施形態に係る安全ソケットのレセプタクルの分解図である。
【図４９】本発明の第６の好ましい実施形態に係る安全ソケットの正面斜視図である。
【図５０】本発明の上記の好ましい実施形態に係る安全ソケットの後面斜視図である。
【図５１】本発明の上記の好ましい実施形態に係る安全ソケットの横断面図である。
【図５２】本発明の上記の好ましい実施形態に係る安全ソケットの分解図である。
【図５３】安全ソケットが使用されている場合の、本発明の上記の好ましい実施形態に係る安全ソケットの概略図である。
【図５４】本発明の第７の好ましい実施形態に係る安全ソケットの斜視図である。
【図５５】本発明の上記の好ましい実施形態に係るＵＳＢ端末部を備える安全ソケットの斜視図である。
【図５６】本発明の上記の好ましい実施形態に係る安全ソケットの分解概略図である。
【図５７】ＵＳＢ端末部および回路基板のピンを例示する、本発明の上記の好ましい実施形態に係る安全ソケットの透視図である。
【発明を実施するための形態】
【０１３６】
以下の説明は、当業者であれば本発明を作製かつ使用できるように開示されている。好ましい実施形態が、以下の説明で例示としてのみ提供されており、変形は当業者に明らかである。以下の説明に定義される一般的な原則は、本発明の趣旨および範囲を逸脱することなく、他の実施形態、代替例、変形、等価物、および用途に適用される。
【０１３７】
図面の図１Ａ〜図４を参照すると、本発明の好ましい実施形態に係る安全ソケットが例示されており、安全ソケット１０は少なくともソケット本体１００を備える。実際的な使用では確かに、安全ソケットは、ソケットシェル１１に組み立てられた１、２、３、または複数のソケット本体１００を備え得、かつソケット本体１００が、たとえば、２つ孔のジャックのソケットまたは３つ孔のジャックのソケットなどであり得ることが理解される。
【０１３８】
本発明の好ましい実施形態によると、ソケット本体１００は、生き回路、中性回路、およびアース回路に対応して接続するための３つの回路接続ユニットを含む３つ孔のジャックのソケットとして使用されている。より具体的には、ソケット本体１００は、送電線接続ユニット（ｌｉｖｅ  ｃｏｎｎｅｃｔｉｎｇ  ｕｎｉｔ）１１０、中性線接続ユニット１２０、およびアース接続ユニット１３０を有する。送電線接続ユニット１１０は、送電線のレセプタクル１１１および送電線接続回路１１２を備える。中性線接続ユニット１２０は、中性線のレセプタクル１２１および中性線接続回路１２２を備える。アース接続ユニット１３０は、アース線のレセプタクル１３１およびアース線接続回路１３２を備える。
【０１３９】
ソケット本体１００は、電源３０に電気器具２０の器具プラグ２１で接続するように適合されている。電源３０は、電源３０から供給される電気の下での、電気器具２０の正常な作動または充電を可能にするために、１１０Ｖまたは２２０Ｖなどの直流電源または交流電源とすることができる。電気器具２０は、限定するものではないが、テレビ、電球、洗濯機、エアコン、冷蔵庫、扇風機、電気アイロン、電気掃除機、電気ストーブ、電子レンジ、トースター、炊飯器、電気温水器、電気ヒーター、ヘアドライヤー、ラジオ、テープレコーダー、カメラ、ステレオ、コンピュータ、携帯電話などを含む、様々な電気器具または機械とすることができる。
【０１４０】
本発明の好ましい実施形態によると、ソケット本体１００の送電線のレセプタクル１１１、中性線のレセプタクル１２１、およびアース線のレセプタクル１３１が、それぞれ、器具プラグ２１の送電線のピン２０１、中性線のピン２０２、およびアース線のピン２０３を受入るために使用される。次いで、送電線のピン２０１、中性線のピン２０２、およびアース線のピン２０３が、それぞれ、送電線接続回路１１２、中性線接続回路１２２、およびアース線接続回路１３２に電気的かつ伝導的に接続されることにより、アース線接続回路が接地保護の役割を果たしつつ、電源３０に電気器具２０を電気的に接続する。
【０１４１】
ソケット本体１００の送電線のレセプタクル１１１、中性線のレセプタクル１２１、およびアース線のレセプタクル１３１のそれぞれは、独立したチャンバーを備える。この３つのチャンバーは、互いに連通していないが、同一の絶縁シェルの中に凹凸があるように形成でき、または代替的に、独立して送電線のレセプタクル１１１、中性線のレセプタクル１２１、およびアース線のレセプタクル１３１に対して電気絶縁性の様々な物質から作成され、次に互いと共に組み立てられることが可能である。好ましくは、送電線のレセプタクル１１１および中性線のレセプタクル１２１は、並んで配置されており、アース線のレセプタクル１３１は、送電線のレセプタクル１１１および中性線のレセプタクル１２１のうち１つの側に配置されており、かつ中央に位置している。ソケット本体１００は、その外側に備え付けられ、かつ送電線のレセプタクル１１１、中性線のレセプタクル１２１、およびアース線のレセプタクル１３１のそれぞれの位置に向かう、３つのレセプタクルの開口孔１１３、１２３、および１３３をさらに有することにより、送電線のピン２０１、中性線のピン２０２、およびアース線のピン２０３は、対応する送電線のレセプタクル１１１、対応する中性線のレセプタクル１２１、および対応するアース線のレセプタクル１３１にそれぞれ受入れられる。
【０１４２】
本発明によると、ソケット本体１００は、ロックおよび制御機構１４０をさらに備え、ロックおよび制御機構１４０が作動され、作動状態に切り替わる場合にのみ、電気器具２０の器具プラグ２１、ソケット本体１００、および電源３０の間の電気回路が、電気的に接続でき、かつ電気器具２０が正常に作動できる。
【０１４３】
より具体的には、電気器具２０の規格内の器具プラグ２１の送電線のピン２０１、中性線のピン２０２、およびアース線のピン２０３が、ソケット本体１００の送電線のレセプタクル１１１、中性線のレセプタクル１２１、およびアース線のレセプタクル１３１に対応してそれぞれ同時に挿入される場合にのみ、電気器具２０の器具プラグ２１、ソケット本体１００、および電源３０の間の電気回路を電気的に接続できる。本発明によると、ロックおよび制御機構１４０が器具プラグ２１のアース線のピン２０３の作用により作動することにより、送電線接続ユニット１１０の回路および中性線接続ユニット１２０の回路が電気的に接続する。言い換えると、器具プラグ２１のアース線のピン２０３がソケット本体１００のアース線のレセプタクル１３１に挿入されると、ロックおよび制御機構１４０が作動して、電気器具２０の器具プラグ２１、ソケット本体１００、および電源３０の間の電気回路が電気的に接続する。
【０１４４】
作動孔１３４は、アース線のレセプタクル１３１の側壁に形成されている。ロックおよび制御機構１４０は、押圧部１４１、作動部１４２、およびリセット部１４３を備える。押圧部１４１の第１の端部１４１１は、作動孔１３４を貫通し、アース線のレセプタクル１３１まで延在し、リセット部１４３は、押圧部または作動部１４２に接続する。本発明の好ましい実施形態によると、リセット部１４３は、作動部１４２に接続しているリセットバネとすることができ、押圧部１４１の対向する第２の端部１４１２は、作動部１４２に接続されている。
【０１４５】
さらに、器具プラグ２１のアース線のピン２０３が、ソケット本体１００のアース線のレセプタクル１３１に挿入されると、アース線のピン２０３が、押圧部１４１の第１の端部を押圧し、リセットバネとして使用されるリセット部１４３は、均衡位置から外れるため、弾性変形が生じて、圧縮または伸長される。本発明の実施形態によると、リセットバネが圧縮され、作動部１４２は、送電線接続ユニット１１０の回路および中性線接続ユニット１２０の回路を電気的に接続することにより、電気器具２０の器具プラグ２１、ソケット本体１００、および電源３０の間の回路を電気的に接続するように適合されている。器具プラグ２１の送電線のピン２０１、中性線のピン２０２、およびアース線のピン２０３が、対応する、ソケット本体１００の送電線のレセプタクル１１１、中性線のレセプタクル１２１、およびアース線のレセプタクル１３１からすべて抜かれると、推力が押圧部１４１に加えられていないため、押圧部１４１および作動部１４２は、すべてリセットバネとして使用されるリセット部１４３の復元作用の下で初期位置に戻ることにより、電気器具２０の器具プラグ２１、ソケット本体１００、および電源３０の間の電気回路が遮断する。
【０１４６】
より具体的には、送電線接続ユニット１１０の送電線接続回路１１２は、送電線接続スイッチ１１４をさらに備える。中性線接続ユニット１２０の中性線接続回路１２２は、中性線接続スイッチ１２４をさらに備える。電気器具２０の規格内の器具プラグ２１の送電線のピン２０１、中性線のピン２０２、およびアース線のピン２０３が、それぞれ同時に対応するように、ソケット本体１００の送電線のレセプタクル１１１、中性線のレセプタクル１２１、およびアース線のレセプタクル１３１に挿入されると、アース線のピン２０３が押圧部１４１を押圧し、作動部１４２をさらに移動させる。送電線接続スイッチ１１４および中性線接続スイッチ１２４は、作動部１４２により作動状態に切り替わることにより、電気器具２０の器具プラグ２１、ソケット本体１００、および電源３０の間の回路が電気的に接続し、かつ電気器具２０が電源３０の電気供給を用いて正常に作動する。
【０１４７】
作動部１４２は、送電線接続スイッチ１１４および中性線接続スイッチ１２４をオンに作動させる限り、様々な構成要素を有することができる。より具体的には、本発明の好ましい実施形態によると、作動部１４２は、コネクタ部１４２１と、コネクタ部１４２１の２つの側部にそれぞれ接続された２つの作動ブロック１４２２とを備える。受入スロット１４２３、作動表面１４２４、および傾斜した誘導表面１４２５は、作動ブロック１４２２のそれぞれに形成されている。リセット部１４３は、リセットバネとして使用されており、作動部１４２に接続されている。送電線接続スイッチ１１４は、銅などの導電性物質で作製される２つのスイッチ部１１４１、１１４２を備え、２つのスイッチ部１１４１、１１４２は、作動状態の間に互いに接触することにより、送電線接続回路１１２を電気的に接続する。
【０１４８】
本発明の好ましい実施形態によると、スイッチ部１１４１は所定の弾性を有し、押圧部１４１が、作動部１４２を移動させると、作動表面１４２４は、スイッチ部１１４１をスイッチ部１１４２に向けて移動させることにより、結果的に、２つのスイッチ部１１４１、１１４２を互いに接触させることになり、導電接続が２つのスイッチ部１１４１、１１４２の間に形成される。スイッチ部１１４１、１１４２は、それぞれ、作動状態の間、２つの導電突起１１４５、１１４６が、互いに接触して２点間接触構成を形成するように、接触端部１１４３、１１４４で突き出て、かつ配置されている導電突起１１４５、１１４６をさらに備える。よって、押圧部１４１および作動部１４２の変位を低減することができ、スイッチ部１１４１、１１４２の安定性および信頼性が確実なる。
【０１４９】
スイッチ部１１４１、１１４２の接触端部１１４３、１１４４が、対応する受入スロット１４２３に収容でき、２つの接触端部１１４３、１１４４は、互いに平行かつ一定の間隔で配置されていることは、注目に値する。２つの導電突起１１４５、１１４６の位置は、送電線接続スイッチ１１４がオンになると、２つの導電突起１１４５、１１４６が、接触し合い、確実に導電突起１１４５の位置が、導電突起１１４６の位置よりもわずかに高くなり得る。
【０１５０】
対応して、中性線接続スイッチ１２４は、銅などの導電性物質から作製される２つのスイッチ部１２４１、１２４２を備える。２つのスイッチ部１２４１、１２４２は、作動状態の間に互いに接触することにより、中性線接続回路１２２が電気的に接続する。
【０１５１】
本発明の好ましい実施形態によると、スイッチ部１２４１は、所定の弾性を有し、押圧部１４１が、作動部１４２を移動させると、作動表面１４２４が、スイッチ部１２４１をスイッチ部１２４２に向けて移動させ、結果的に２つのスイッチ部１２４１、１２４２を互いに接触させる、これにより、導電接続を、２つのスイッチ部１２４１、１２４２の間に形成する。スイッチ部１２４１、１２４２は、それぞれ、作動状態の間、２つの導電性突起１２４５、１２４６が互いに接触して２点間の接触構成を形成するように、接触端部１２４３、１２４４で突き出て、配置されている導電突起１２４５、１２４６をさらに備える。よって、押圧部１４１および作動部１４２の変位を低減することができ、スイッチ部１２４１、１２４２の安定性および信頼性が確実になる。
【０１５２】
スイッチ部１２４１、１２４２の接触端部１２４３、１２４４は、対応する受入スロット１４２３に収容でき、２つの接触端部１２４３、１２４４が、互いに平行かつ一定の間隔で配置されていることは注目に値する。２つ導電突起１２４５、１２４６の位置は、中性線接続スイッチ１２４がオンになると、２つの導電突起１２４５、１２４６が接続し合い、図２に示されるように、導電突起１２４５の位置が、確実に導電突起１２４６の位置よりもわずかに高くなり得る。
【０１５３】
言い換えると、作動部１４２の作動表面１４２４は、それぞれの接続スイッチの１つのスイッチ部を移動させるように作動するように適合されており、傾斜した誘導表面１４２５は、スイッチ部の端部の回転を誘導する。図３に示すように、スイッチ部１２４１の端部は、作動表面１４２４の駆動の下、傾斜した誘導表面１４２５に沿って回転することによりスイッチ部１２４２と接触し、中性線接続スイッチ１２４をオンにする。送電線接続スイッチ１１４は中性線接続スイッチ１２４と同一の構造を有することが理解される。さらに、送電線接続スイッチ１１２および中性線接続スイッチ１２２の２つのスイッチ部は、それぞれ、本発明の態様に限定されることなく、戻しバネを使用するなど、互いと接触および分離するような他のいずれかの方法でも使用できる。
【０１５４】
送電線接続スイッチ１１２および中性線接続スイッチ１２２は、静電気または放電などに起因する短絡を防止するために、所定の間隔にあることが注目に値する。本発明の好ましい実施形態によると、送電線接続スイッチ１１２および中性線接続スイッチ１２２の間の距離は、作動部１４２の２つの作動ブロックにより画定され、作動部１４２はさらに、送電線接続スイッチ１１２および中性線接続スイッチ１２２を分離する役割を果たすことができる。より具体的には、図２に示されるように、送電線接続スイッチ１１２および中性線接続スイッチ１２２は、アース線のレセプタクル１３１の２つの側部にそれぞれ備え付けられることにより、アース線のレセプタクル１３１の側壁が、送電線接続スイッチ１１２および中性線接続スイッチ１２２を分離するために使用され、さらなる短絡の発生を防止するように適合されている。
【０１５５】
さらに、押圧部１４１および作動部１４２は、器具プラグ２１のプラグのピンが、弾力があり、戻る特性により、対応するソケット本体１００から抜かれた後に初期位置に戻る。すなわち、対応するように、配置された２つのスイッチ部が、互いに離れる初期位置に戻ることにより、対応する接続スイッチがオフに切り替わり、対応する回路が電気的に遮断される。
【０１５６】
作動部１４２は、押圧部１４１の両側に一体形成された突起として使用できることが理解される。リセット部１４３はリセットバネとして使用され、押圧部１４１に接続されている。突起は、対応するスイッチ部を移動させて、対応する回路接続スイッチをオンまたはオフにするために使用される。言い換えると、作動部１４２は、様々な変形した実施形態を有し、この構造は、上述の特定の実施形態に限定されるものではない。
【０１５７】
図１Ｃに示されるように、押圧部１４１の第１の端部１４１１は、傾斜表面１４１３をさらに有する。アース線のレセプタクル１３１に挿入された器具プラグ２１のアース線のピン２０３が、傾斜表面１４１３を下方に押圧することにより、作動孔１３４で水平方向に沿う押圧部１４１の移動がさらに促進する。規格内の器具プラグ２１のアース線のピン２０３がアース線のレセプタクル１３１に挿入される場合にのみ、押圧部１４１が移動できることが注目に値する。しかしながら、アース線のレセプタクル１３１に挿入された小さなサイズの導電性物体は、押圧部１４１を移動させることができない。たとえば、小児が、細い鉄線をアース線のレセプタクル１３１に挿入しても、細い鉄線は、傾斜表面１４１３で下に滑動し、水平方向の押力は、押圧部１４１を移動させるには十分ではなく、これによりいずれ感電も防止する。傾斜表面１４１３は、不変の傾斜を有する線形の表面、可変の傾斜を有する曲面、または突き出た球面、凹型の表面などのかまぼこ型の表面などであり得る。
【０１５８】
言い換えると、押圧部１４１の第１の端部１４１１のサイズ、形状、および位置は、規格内の器具プラグ２０のプラグのピンを押圧して移動させ、ロックおよび制御機構１４０を作動させることのみを可能とするように構成されていることにより、安全ソケットの安全な使用が確実になる。
【０１５９】
他方では、図４に示されるように、ソケット本体１００は、送電線接続回路１１２および中性線接続回路１２２を備える。送電線接続回路１１２は、送電線接続スイッチ１１４を備え、中性線接続回路１２２は、中性線接続スイッチ１２４を備える。ロックおよび制御機構１４０は、送電線接続スイッチ１１４および中性線接続スイッチ１２４のオンおよびオフの切り替えを制御することにより、それぞれの回路の接続および遮断を制御するように適合されている。より具体的には、本発明の好ましい実施形態によると、器具プラグ２１のアース線のピン２０３が、ソケット本体１００のそれぞれのアース線のレセプタクル１３１に挿入されると、ロックおよび制御機構１４０が作動して、送電線接続回路１１２および中性線接続回路１２２を電気的に接続する。
【０１６０】
導電性物体が、ソケット本体１００のレセプタクルのいずれかに別々に挿入される場合には、導電性物体は、ソケット本体を介して電源３０に接続されないため、感電が起こらないことが注目に値する。具体的には、導電性物体が、送電線のレセプタクル１１１に挿入されているが、導電性物体が中性線のレセプタクル１２１およびアース線のレセプタクル１３１には挿入されていない場合、ロックおよび制御機構１４０が作動状態に作動せず、アイドル状態にあり、送電線接続回路１１２が電気的に接続されていないため、感電は全く起こらない。導電性物体が中性線のレセプタクル１２１に挿入されているが、導電性物体が送電線のレセプタクル１１１およびアース線のレセプタクル１３１には挿入されていない場合、同様に、ロックおよび制御機構１４０が作動状態に作動せず、アイドル状態にあり、中性線接続回路１２２は、電気的に遮断されたままであるため、感電は全く起こらない。導電性物体がアース線のレセプタクル１３１に挿入されているが、導電性物体が送電線のレセプタクル１１１および中性線のレセプタクル１２１には挿入されていない場合に、導電性物体の形状およびサイズが一致しない場合、押圧部はロックおよび制御機構１４０を作動させるために移動しないため、感電事故が回避される。アース線のレセプタクル１３１に挿入されている導電性物体がロックおよび制御機構１４０を作動させるよう押圧部１４１を押圧し、送電線接続回路１１２および中性線接続回路１２２がロックおよび制御機構１４０により接続されている場合であっても、送電線のレセプタクル１１１および中性線のレセプタクル１２１に挿入されている他の導電性物体があるため、やはり感電が起こらない。
【０１６１】
さらに、導電性物体が、送電線のレセプタクル１１１および中性線のレセプタクル１２１の両方に、同時に挿入される場合には、導電性物体は、送電線のレセプタクル１１１および中性線のレセプタクル１２１にそれぞれ電気的に接続される。しかしながら、導電性物体がアース線のレセプタクル１３１に挿入されていないため、ロックおよび制御機構１４０は作動されずアイドル状態のままであることにより、送電線接続回路１１２および中性線接続スイッチ１２４を電気的に接続するために配置されている送電線接続スイッチ１１４および中性線接続スイッチ１２４は、オンに切り替わらず、かつ電気的に接続されていないため、感電事故が起こらない。
【０１６２】
よって、本発明の好ましい実施形態によると、安全ソケットの使用方法が提供される。具体的には、本使用方法は、安全ソケット１０のソケット本体１００を介した、電気器具の器具プラグ２１および電源３０の電気的接続方法である。本方法は、以下の
（ａ）導電性物体がソケット本体１００の送電線のレセプタクル１１１および／または中性線のレセプタクル１２１に挿入される場合には、ロックおよび制御機構はアイドル状態になり、ソケット本体１００の送電線接続回路１１２および／または中性線接続回路１２２が、電気的に遮断され、これにより感電の発生を防止するステップと、
（ｂ）電気器具２０の規格内の器具プラグ２１の送電線のピン２０１、中性線のピン２０２、およびアース線のピン２０３が、ソケット本体１００の送電線のレセプタクル１１１、中性線のレセプタクル１２１、およびアース線のレセプタクル１３１にそれぞれ挿入される場合には、アース線のレセプタクル１３１に挿入されたアース線のピン２０３がロックおよび制御機構１４０を作動させて、送電線接続回路１１２および中性線接続回路１２２を電気的に接続することにより、送電線のピン２０１、中性線のピン２０２が、それぞれ、送電線接続回路１１２および中性線接続回路１２２を介して電源３０に電気的に接続され、電源３０からの電気供給を伴う電気器具２０の正常な作動が確実になるステップと
を含む。
【０１６３】
上記のステップ（ｂ）では、送電線接続回路１１２を電気的に接続または遮断するために適合された送電線接続スイッチ１１４および中性線接続回路１２２を電気的に接続または遮断するために適合された中性線接続スイッチ１２４は、それぞれ、送電線接続回路１１２および中性線接続回路１２２に備えられており、ロックおよび制御機構１４０が作動状態にある場合には、ロックおよび制御機構１４０は、電気回路の構造全体が電気的に接続状態にあり、電気器具２０が電源３０の電気供給下で作動するように、送電線接続スイッチ１１４および中性線接続スイッチ１２５を同時にオンにする。
【０１６４】
さらに、ステップ（ｂ）では、垂直方向に沿って挿入されたアース線のレセプタクル１３１のアース線のピン２０３は、ロックおよび制御機構１４０の押圧部１４１を押圧して、水平方向に移動させて、押圧部１４１に接続された作動部１４２を移動させることにより、作動部１４２が、送電線接続スイッチ１１４および中性線接続スイッチ１２４をオンにして電気的に接続状態する。また、アース線のピン２０３がアース線のレセプタクル１３１から抜かれると、押圧部１４１および作動部１４２は、リセット部１４３の作動の下で初期位置に戻り、送電線接続スイッチ１１４および中性線接続スイッチ１２４はスイッチがオフになり、遮断状態になる。上述の垂直方向および水平方向は単なる例示であるが、ソケット本体１００が水平方向に配置されることは注目に値する。ソケット本体１００は、壁ソケットとして垂直方向に配置される場合、アース線のピン２０３は、水平方向に沿ってアース線のレセプタクル１３１に挿入され、垂直方向に移動させるようにロックおよび制御機構１４０の押圧部１４１を押圧する。よって、上述されるアース線のピン２０３および押圧部１４１の押圧移動の方向は、本発明を特定して限定することのない、本実施形態の単なる例示である。また本発明のソケット本体は、実務的な用途で斜めに配置することができる。本発明の好ましい実施形態によると、アース線のピン２０３および押圧部１４１の移動方向は、好ましくは互いに直交する方向である。
【０１６５】
好ましくは、ステップ（ｂ）で、押圧部１４１は、アース線のピン２０３を誘導して、傾斜表面１４１３を介してアース線のレセプタクル１３１に挿入させて、アース線のピン２０３が、押圧部１４１を容易に押圧してアース線のレセプタクル１３１の作動孔１３４に移動させることにより、作動部１４２をさらに移動させる。作動部１４２の２つの作動ブロック１４２２は、それぞれ、送電線接続回路１１２および中性線接続回路１２２が、電気的に接続状態にあるように、確実に送電線接続スイッチ１１４および中性線接続スイッチ１２４の２つのスイッチ部を接続するために使用される。それぞれの送電線接続スイッチ１１４および中性線接続スイッチ１２４の２つのスイッチ部は、２点間接触を形成できることが注目に値する。さらに、送電線接続スイッチ１１４および中性線接続スイッチ１２４は、それぞれ、マイクロムーヴスイッチとして使用できる。言い換えると、押圧ピン、ボタン、レバー、ローラーなどの駆動部は、作動リードに外部の機械的な力を加える。作動リードの変位が臨界点へと変わり、瞬間的な作動を生成する場合、リードの作動の端部の可動かつ一定した接触は、スイッチがオンおよびオフになるように、迅速にスイッチをオンおよびオフにする。当業者は、送電線接続回路１１２および中性線接続回路１２２が、それぞれ送電線接続スイッチ１１４および中性線接続スイッチ１２４により電気的に接続または遮断される限りは、上述の送電線接続スイッチ１１４および中性線接続スイッチ１２４の構造は、他のスイッチ構造として使用でき、上述の２種類のスイッチ構造に限定すると意図されるものではないことを理解するものである。
【０１６６】
当業者は、送電線接続回路、中性線接続回路、およびアース線接続回路が、それぞれ、器具プラグの送電線のピン、中性線のピン、およびアース線のピンを電気的かつ導電接続するために、各レセプタクルに備え付けられた銅などの導電性端末を備えることを理解するものである。送電線接続回路および中性線接続回路は、それぞれ、送電線接続回路１１２および中性線接続回路１２２が、導線を介して電源３０の２つの電極と電気的に接続しつつ、送電線接続スイッチ１１４と中性線接続スイッチ１２４との間に備え付けられた導線をさらに備える。
【０１６７】
ソケット本体１００が、様々な、シェル、パーテーション、コネクタ、回路基板などの他の構成を有し得ることは注目に値する。本発明の主な特性のうちの１つは、感電事故の発生を防止するために、ロックおよび制御機構１４０を使用して電気回路を電気的に接続および遮断させることである。さらに、送電線接続回路、中性線接続回路、アース線接続回路、接続スイッチなどの電気回路の構成には、回路を電気的に接続するための導電体が備え付けられることに加え、ロックおよび制御機構、シェルなどのソケット本体１００の他の構造には、短絡および感電を防止するために絶縁物質から作製されることが好ましい。
【０１６８】
また、送電線接続回路、中性線接続回路、およびアース線接続回路は、それぞれ、器具プラグの送電線のピン、中性線のピン、およびアース線のピンを電気的かつ導電接続するために、各レセプタクルに備え付けられた銅などの導電性端末を備えることが注目に値する。例として送電線接続回路１１２を挙げると、送電線接続回路１１２は、送電線のレセプタクル１１１に備え付けられた送電線の導電性端末１１２１と、送電線のレセプタクル１１１の底壁の外側に対応するように備え付けられた導電性ネジとを備える。送電線の導電性端末１１２１は、導電性ネジ１１２２および他の部品により固定されている。本発明によると、各レセプタクルの外周壁を形成する（少なくとも各レセプタクルの底壁を形成する）物質は、長期間の導電の後に生成される導電性端末の熱が、端末の経年的な変形を引き起こさず、かつ導電性端末およびネジのような構成要素が脱離または落下しないように、セラミック、マイカ、ベークライト、または他の適切な物質などの絶縁性および耐熱性の物質とすることができる。さらに、以下の実施形態に開示されるレセプタクルを形成する外周壁の物質は、上述のセラミック、マイカ、ベークライト、または他の適切な物質などの絶縁性および耐熱性の物質とすることができる。上述の特定の物質は単なる例示であり、本発明の範囲を限定するよう意図されておらず、当業者は、上述の実施形態に係る他の適切な耐熱性の物質を選択し得ることが注目に値する。
【０１６９】
以下の説明は、本発明の上記の好ましい実施形態に係るソケット本体１００の防水性の特性をさらに例示する。ソケット本体１００のレセプタクルに水または他の導電性液体が侵入しても、短絡が起こらないため、上記の好ましい実施形態に係る本発明の安全ソケット１０が確実に安全に使用される。
【０１７０】
ソケット本体１００の送電線のレセプタクル１１１、中性線のレセプタクル１２１、およびアース線のレセプタクル１３１は、独立しており、連通していない。本発明によると、ロックおよび制御機構１４０、送電線接続スイッチ１１４、および中性線接続スイッチ１２４が導入されている。ソケット本体１００は、絶縁キャビティ１２をさらに備える。ロックおよび制御機構１４０、リセット部１４３、送電線接続スイッチ１１４、および中性線接続スイッチ１２４の作動部１４２は、絶縁キャビティ１２に配置されている。絶縁キャビティ１２は、水または他の導電性液体が、絶縁キャビティ１２を介して送電線のレセプタクル１１１、中性線のレセプタクル１２１、およびアース線のレセプタクル１３１に侵入することができないように、送電線のレセプタクル１１１、中性線のレセプタクル１２１、およびアース線のレセプタクル１３１と連通していないため、短絡がソケット本体１００で起こらない。
【０１７１】
本発明の好ましい実施形態によると、絶縁キャビティ１２は、ソケット本体１００の送電線のレセプタクル１１１、中性線のレセプタクル１２１、およびアース線のレセプタクル１３１の外側に形成されている。当業者は、たとえば、中性線接続スイッチ１１４および中性線接続スイッチ１２４を受入る独立した絶縁チャンバーが、絶縁キャビティ１２の部分領域に配置できることを理解するものである。
【０１７２】
絶縁キャビティ１２は、ソケット本体１００のシェル、分離壁、または他の部分により形成でき、代替的には、絶縁キャビティ１２は、安全ソケット１０のソケット本体１００およびソケットシェル１１によっても形成できることが注目に値する。本発明は、絶縁キャビティ１２が、送電線のレセプタクル１１１、中性線のレセプタクル１２１、およびアース線のレセプタクル１３１と絶縁しており、絶縁キャビティ１２におけるロックおよび制御機構１４０が、送電線接続回路１１２および中性線接続回路１２２を選択的かつ電気的に接続または遮断する限り、この態様に限定するよう意図されるものではない。
【０１７３】
さらに、ソケット本体１００は、ソケット本体１００のレセプタクルの中の水または他の導電性液体が絶縁キャビティに侵入しないようにソケット本体１００のレセプタクルと絶縁キャビティ１２を絶縁するための密閉部材１５０をさらに備え、これにより、ソケット本体１００は、密閉部材１５０により防水性の特性を有することになり、密閉部材１５０は、ソケット本体に、感電事故を発生させ得る短絡を起こさせないようにする。
【０１７４】
本発明の好ましい実施形態によると、ロックおよび制御機構１４０は、器具プラグ２１のアース線のピン２０３およびアース線のレセプタクル１３１により作動され、ロックおよび制御機構１４０の押圧部１４１は、アース線のレセプタクル１３１の作動孔１３４に移動するように適合されているが、作動孔１３４は密閉されていなければならない。
【０１７５】
よって、密閉部材１５０はシーラー１５１を備える。シーラー１５１は、密閉体１５１１を備え、スルーホール１５１２は、密閉体１５１１の中央に設けられている。スルーホール１５１２は、アース線のレセプタクル１３１の作動孔１３４に対応している。スルーホール１５１２のサイズおよび形状は、押圧部１４１がスルーホール１５１２を介してしっかりと適切に貫通することができるように押圧部１４１のサイズおよび形状に応じて配置されていることが注目に値する。シーラー１５１は、防水性の物質から作製される。シーラー１５１および押圧部１４１は摩擦接触しており、シーラー１５１は、容易に損傷するものではない。たとえば、好ましい実施形態では、シーラー１５１は、防水性のシリコーンのリングとすることができる。シーラー１５１は、押圧部１４１の正常な機能および作動を妨げることなく、アース線のレセプタクル１３１の中の水または他の導電性液体が、絶縁キャビティに侵入しないようにするために、アース線のレセプタクル１３１の外側に固定されている。
【０１７６】
本発明の好ましい実施形態によると、アース線のレセプタクル１３１の外側の側壁は、内部に凹凸のある位置決めスロット１３５を形成する。シーラー１５１は、リングの形状で配置されている位置決めスロット１３５に取り付けられている。密閉部材１５０は、固定器１５２をさらに備える。固定器１５２は、固定器体１５２１を備え、開口部１５２２は、固定器体１５２１の中央に形成されている。開口部１５２２は、押圧部１４１に開口部を介して貫通させる。固定器１５２は、アース線のレセプタクル１３１の外側の側壁に固定されており、これによりシーラー１５１は、固定器１５２とアース線のレセプタクル１３１の外側の側壁との間に安全にしっかりと取り付けられている。固定方法は、様々な構造を有してよい。たとえば、固定器１５２の４つの角の固定孔およびアース線のレセプタクル１３１の外側の側壁の対応する固定孔を介してそれぞれ貫通する４つのネジを使用する。
【０１７７】
密閉部材１５０の特定の構成は、単なる例示であり、本発明の範囲を限定するよう意図されないことが注目に値する。当業者は、他の代替的な防水性の構造を考慮してもよい。本発明によると、密閉部材１５０は、主に、ソケット本体１００に侵入した水または他の導電性液体が、ロックおよび制御機構１４０による、送電線接続回路１１２および中性線接続回路１２２の電気的な接続または遮断の作動に影響を与えないように使用されている。
【０１７８】
図５〜図２３を参照すると、第２の好ましい実施形態に係る安全ソケット１０の概略構造図が例示されている。安全ソケット１０は、少なくとも１つのソケット本体２００を備える。特定の用途では、確かに、安全ソケットは、ソケットシェル１１に組み立てられた１、２、３、または複数のソケット本体２００を備えてもよく、ソケット本体１００は、たとえば、２つ孔のジャックのソケットまたは３つ孔のジャックのソケットなどであり得ることが理解できる。
【０１７９】
本発明の好ましい実施形態によると、ソケット本体２００は、対応するように、生き回路、中性回路、およびアース回路を接続するための３つの回路接続ユニットを備える３つ孔のジャックのソケットとして使用される。より具体的には、図５〜図２３に示されるように、ソケット本体２００は、送電線接続ユニット２１０、中性線接続ユニット２２０、およびアース線接続ユニット２３０を有する。送電線接続ユニット２１０は、送電線のレセプタクル２１１および送電線接続回路２１２を備える。中性線接続ユニット２２０は、中性線のレセプタクル２２１および中性線接続回路２２２を備える。アース線接続ユニット２３０は、アース線のレセプタクル２３１およびアース線接続回路２３２を備える。
【０１８０】
ソケット本体２００は、電源３０に対して電気器具２０の器具プラグ２１と接続するように適合されている。電源３０は、電源３０から供給される電気の下で電気器具２０が正常に作動できる、または充電が可能な、１１０Ｖまたは２２０Ｖなどの直流電源または交流電源になり得る
【０１８１】
本発明の好ましい実施形態によると、ソケット本体２００の送電線のレセプタクル２１１、中性線のレセプタクル２２１、およびアース線のレセプタクル２３１は、器具プラグ２１の送電線のピン２０１、中性線のピン２０２、およびアース線のピン２０３をそれぞれ受入れるために使用される。次いで、送電線のピン２０１、中性線のピン２０２、およびアース線のピン２０３は、送電線接続回路２１２、中性線接続回路２２２、およびアース線接続回路２３２にそれぞれ電気的および導電接続されることにより、アース線接続回路２３２が接地保護における役割を果たしつつ、電源３０と電気器具２０を電気的に接続する。
【０１８２】
ソケット本体２００の送電線のレセプタクル２１１、中性線のレセプタクル２２１、およびアース線のレセプタクル２３１は、それぞれは、独立したチャンバーを備える。この３つのチャンバーは、互いに連通していないが、同一の絶縁シェルの中に凹凸があるように形成でき、または代替的に、独立して送電線のレセプタクル２１１、中性線のレセプタクル２２１、およびアース線のレセプタクル２３１に対して電気絶縁性の様々な物質にから作製され、次に互いに組み立てられることが可能である。好ましくは、送電線のレセプタクル２１１および中性線のレセプタクル２２１は、並んで配置されており、アース線のレセプタクル２３１は、送電線のレセプタクル２１１および中性線のレセプタクル２２１の１つの側に配置されており、かつ中央に位置している。ソケット本体２００は、本体の外側に備え付けられ、かつ、送電線のレセプタクル２１１、中性線のレセプタクル２２１、およびアース線のレセプタクル２３１のそれぞれの位置に向かう３つのレセプタクル開口孔２１３、２２３、および２３３をさらに備えることにより、送電線のピン２０１、中性線のピン２０２、およびアース線のピン２０３を、対応する送電線のレセプタクル２１１、対応する中性線のレセプタクル２２１、および対応するアース線のレセプタクル２３１にそれぞれ受入れられる。
【０１８３】
本発明によると、ソケット本体２００はロックおよび制御機構２４０をさらに備え、ロックおよび制御機構２４０が作動し、作動状態に切り替わる場合にのみ、電気器具２０の器具プラグ２１と、ソケット本体と、電源３０との間の電気回路が電気的に接続でき、電気器具２０が正常に作動することができる。
【０１８４】
より具体的には、電気器具２０の規格内の器具プラグ２１の送電線のピン２０１、中性線のピン２０２、およびアース線のピン２０３が、それぞれ同時に対応するように、ソケット本体２００の送電線のレセプタクル２１１、中性線のレセプタクル２２１、およびアース線のレセプタクル２３１に挿入される場合にのみ、電気器具２０の器具プラグ２１と、ソケット本体２００と、電源３０との間の電気回路が電気的に接続できる。
【０１８５】
本発明の好ましい実施形態によると、ロックおよび制御機構２４０は、器具プラグ２１の送電線のピン２０１および中性線のピン２０２の同時の挿入動作により作動して、送電線接続ユニット２１０の回路および中性線接続ユニット２２０の回路をそれぞれ電気的に接続する。言い換えると、器具プラグ２１の送電線のピン２０１および中性線のピン２０２が、ソケット本体２００の対応する２１１および２２１にそれぞれ同時に挿入されると、ロックおよび制御機構２４０が作動して、電気器具２０の器具プラグ２１と、ソケット本体２００と電源３０との間の電気回路を電気的に接続する。本発明の好ましい実施形態の構造は、上記の第１の好ましい実施形態の構造と異なっており、ロックおよび制御機構１４０は、第１の実施形態に係る器具プラグ２１のアース線のピン２０３により作動し、本発明におけるロックおよび制御機構２４０は、送電線のピン２０１および中性線のピン２０２の同時の挿入動作により作動する。
【０１８６】
さらに、ロックおよび制御機構２４０は、第１のロック制御ユニット２４１、第２のロック制御ユニット２４２、および制動ユニット２４３を備える。送電線の作動孔２１６は、送電線のレセプタクル２１１の側壁に設けられており、中性線の作動孔２２６は、中性線のレセプタクル２２１の側壁に設けられている。第１のロック制御ユニット２４１は、送電線の作動孔２１６を介して配置かつ取り付けられており、第２のロック制御ユニット２４２は、中性線の作動孔２２６を介して配置かつ取り付けられている。
【０１８７】
第１のロック制御ユニット２４１は、第１の押圧部２４１１、第１の作動部２４１２、および第１のリセット部２４１３を備える。第１の押圧部２４１１は、送電線の作動孔２１６を介して貫通する。第１の作動部２４１２は、第１の押圧部２４１１に取り付けられている、または第１の押圧部２４１１と一体形成されている。第１のリセット部２４１３は、第１の押圧部２４１１または第１の作動部２４１２に取り付けられている。本発明の好ましい実施形態によると、第１のリセット部２４１３は、第１の作動部２４１２に取り付けられている。器具プラグ２１の送電線のピン２０１がソケット本体２００の送電線のレセプタクル２１１に挿入されると、送電線のピン２０１は、第１の押圧部２４１１を移動させることにより、第１の押圧部２４１１が、第１の作動部２４１１をさらに移動させ、第１のロック制御ユニット２４１が作動状態になり、さらに、第１のリセット部２４１３が変形する。第１のリセット部２４１３は、第１のリセット部２４１３が圧縮または伸長できるようなリセットバネとして使用できる。好ましい実施形態によると、リセットバネとして使用される第１のリセット部２４１３は圧縮される。器具プラグ２１の送電線のピン２０１は、ソケット本体２００の送電線のレセプタクル２１１から抜かれると、第１の作動部２４１２および第１の押圧部２４１１は、第１のリセット部２４１３の作用の下で初期位置に戻る。
【０１８８】
第１のロック制御ユニット２４２は、第２の押圧部２４２１、第２の作動部２４２２、および第２のリセット部２４２３を備える。第２の押圧部２４２１は、中性線の作動孔２２６を介して貫通する。第２の作動部２４２２は、第２の押圧部２４２１に取り付けられている、または第２の押圧部２４２１と一体形成されている。第２のリセット部２４２３は、第２の押圧部２４２１または第２の作動部２４２２に取り付けられている。本発明の好ましい実施形態によると、第２のリセット部は第２の作動部２４２２に取り付けられている。器具プラグ２１の中性線のピン２０２がソケット本体２００の中性線のレセプタクル２２１に挿入されると、中性線のピン２０２は第２の押圧部２４２１を移動させて、第２の押圧部２４２１が、第２の作動部２４２２をさらに移動させ、これにより、第２のロック制御ユニット２４２が作動状態になり、さらに第２のリセット部２４２３が変形する。第２のリセット部２４２３は、第２のリセット部が、圧縮または伸長するバネであるようなリセットバネとして使用できる。好ましい実施形態によると、リセットバネとして使用される第２のリセット部２４２３が圧縮する。器具プラグ２１の中性線のピン２０２が、ソケット本体２００の中性線のレセプタクル２２１から抜かれる場合、第２の作動部２４２２および第２の押圧部２４２１が、第２のリセット部２４２３の作用の下で初期位置に戻る。
【０１８９】
本発明の好ましい実施形態によると、器具プラグ２１の送電線のピン２０１および中性線のピン２０２が、ソケット本体２００の送電線のレセプタクル２１１および中性線のレセプタクル２２１にそれぞれ同時に挿入される場合には、送電線接続回路２１２および中性線接続回路２２２が電気的に接続され得る。
【０１９０】
より具体的には、送電線接続ユニット２１０は、送電線接続回路２１２の電気的な接続および遮断を制御するための、第１の送電線接続スイッチ２１４および第２の送電線接続スイッ２１５をさらに備える。第１の送電線接続スイッチ２１４および第２の送電線接続スイッチ２１５がすべて接続された状態にある場合にのみ、送電線接続回路２１２は、電気的に接続された状態になり得る。第１の送電線接続スイッチ２１４および第２の送電線接続スイッチ２１５のうちの少なくとも１つが電気的に遮断された状態であるが、送電線接続回路２１２は電気的に遮断された状態にある。
【０１９１】
よって、中性線接続ユニット２２０は、中性線接続回路２２２の電気的な接続および遮断を制御するための、第１の中性線接続スイッチ２２４および第２の中性線接続スイッチ２２５をさらに備える。第１の中性線接続スイッチ２２４および第２の中性線接続スイッチ２２５がすべて電気的に接続した状態にある場合にのみ、中性線接続回路２２２は電気的に接続した状態になり得る。第１の中性線接続スイッチ２２４および第２の中性線接続スイッチ２２５のうちの少なくとも１つが電気的に遮断した状態にあるが、中性線接続回路２２２は電気的に遮断した状態にある。
【０１９２】
第１のロック制御ユニット２４１を使用して、第１の送電線接続スイッチ２１４および第１の中性線接続スイッチ２２４のオンおよびオフの切り替えを制御する。第２のロック制御ユニット２４２を使用して、第２の送電線接続スイッチ２１５および第２の中性線接続スイッチ２２５のオンおよびオフの切り替えを制御する。よって、器具プラグ２１の送電線のピン２０１および中性線のピン２０２が、ソケット本体２００の送電線のレセプタクル２１１および中性線のレセプタクル２２１にそれぞれ同時に挿入されると、送電線のピン２０１が第１のロック制御ユニット２４１を作動して、第１の送電線接続スイッチ２１４および第１の中性線接続スイッチ２２４がオンになり、中性線のピン２０２が第２のロック制御ユニット２４２を作動して、第２の送電線接続スイッチ２１５および第２の中性線接続スイッチ２２５がオンになるため、送電線接続回路２１２および中性線接続回路２２２は、電気的に接続した状態になり、電気器具２０の器具プラグ２１と、ソケット本体２００と、電源３０との間の電気回路は、電気的に接続されて、電気器具２０の正常な作動が確実になる。
【０１９３】
よって、言い換えると、本発明は、少なくとも１つのソケット本体２００を備える安全ソケットを提供する。ソケット本体２００は、送電線接続回路２１２および中性線接続回路２２１を備える。送電線接続回路２１２は、第１の送電線接続スイッチ２１４および第２の送電線接続スイッチ２１５を備え、中性線接続回路は、第１の中性線接続スイッチ２２４および第２の中性線接続スイッチ２２５を備える。ソケット本体２００は、第１のロック制御ユニット２４１および第２のロック制御ユニット２４２を備えるロックおよび制御機構２４０をさらに備える。第１のロック制御ユニット２４１を、対応する第１の送電線接続スイッチ２１４および第１の中性線接続スイッチ２２４をオンおよびオフにするために使用し、第２のロック制御ユニット２４２を、対応する第２の送電線接続スイッチ２１５および第２の中性線接続スイッチ２２５をオンおよびオフにするために使用することにより、ソケット本体２００の電気回路全体の電気的な接続および遮断を制御する。送電線の作動孔２１６および中性線の作動孔２２６は、器具プラグ２１の対応する送電線のピン２０１および対応する中性線のピン２０２と連結することにより、第１のロック制御ユニット２４１および第２のロック制御ユニット２４２が、制御作用に関連する役割を果たす。
【０１９４】
第１の送電線接続スイッチ２１４および第２の送電線接続スイッチ２１５が、すべて電気的に接続した状態にある場合にのみ、送電線接続回路２１２は電気的に接続した状態になり得る。第１の中性線接続スイッチ２２４および第２の中性線接続スイッチ２２５が、すべて電気的に接続した状態にある場合にのみだが、中性線接続回路２２２は電気的に接続した状態になり得る。本発明の好ましい実施形態によると、第１のロック制御ユニット２４１および第２のロック制御ユニット２４２は、それぞれ、送電線接続スイッチ２１５および中性線接続スイッチ２２５のセットのオンおよびオフをそれぞれ制御する。言い換えると、第１のロック制御ユニット２４１は、第１の送電線接続スイッチ２１４および第１の中性線接続スイッチ２２４のオンおよびオフを制御し、第２のロック制御ユニット２４２は、第２の送電線接続スイッチ２１５および第２の中性線接続スイッチ２２５のオンおよびオフを制御する。第１のロック制御ユニット２４１よび第２のロック制御ユニット２４２が両方とも作動条件下にある場合にのみ、送電線接続回路２１２および中性線接続回路２２２が、電気的に接続した状態になり得る。第１の送電線接続（ｆｉｒｓｔ  ｌｉｖｅ  ｗｉｒｅ  ｃｏｎｎｅｃｔｉｏｎ）２１４および第２のロック制御ユニット２４２のうちの１つのみが作動条件下にある場合、送電線接続回路２１２および中性線接続回路は、電気的に接続することができず、電気的に遮断した状態になる。
【０１９５】
第１のロック制御ユニット２４１の第１の押圧部２４１１および第２のロック制御ユニット２４２の第２の押圧部２４２１は、傾斜表面２４１４、２４２４をさらに有する。器具プラグ２１の送電線のピン２０１および中性線のピン２０２が、送電線のレセプタクル２１１および中性線のレセプタクル２２１にそれぞれ挿入され、傾斜表面２４１４、２４２４を下方に押圧すると、送電線のピン２０１および中性線のピン２０２の垂直下方の移動は、それぞれ、第１の押圧部２４１１および第２の押圧部２４２２を押圧して水平方向に沿って作動孔に移動するように変形する。第１の押圧部２４１１および第２の押圧部２４２１の構造は、器具プラグ２１のピンが対応するアース線のレセプタクル２３１に挿入される場合にのみ、押圧部２４２１を移動するよう押圧できるように設けられている。しかしながら、より小さいサイズの導電性物体が、送電線のレセプタクル２１１および中性線のレセプタクル２２１のうちの１つに挿入される場合には、押圧部２４２１を、移動するよう押圧することができない。たとえば、小児が細い鉄線を送電線のレセプタクル２１１に挿入しても、細い鉄線は、傾斜表面２４１４、２４２４を、単に下側に滑動し、水平方向の押力は、第１の押圧部２４１１および第２の押圧部２４２１を移動させるためには十分ではなく、これによりいずれの感電もさらに防止する。傾斜表面２４１４、２４２４は、不変の傾斜を有する線形の表面、可変の傾斜を有する曲面、または突き出た球面、凹凸のある曲面などのかまぼこ型の表面になり得ることが注目に値する。
【０１９６】
言い換えると、第１の押圧部２４１１および第２の押圧部２４２１のサイズ、形状、および位置は、規格内の器具プラグ２０の規格内のプラグのピンを押圧して移動させ、ロックおよび制御機構２４０を作動させることのみを可能とするように構成されていることにより、安全ソケットの安全な使用が確実なる規格内の規格内の。
【０１９７】
第１のロック制御ユニット２４１の第１の作動部２４１２は、第１の注視部２４１５をさらに備える。起動部２４１５は、第１の送電線接続スイッチ２１４および第１の中性線接続スイッチを同時にオンおよびオフにするために使用される。よって、第２のロック制御ユニット２４２の第２の作動部２４２２は、第２の起動部２４２５をさらに備える。第２の起動部２４２５は、第２の送電線接続スイッチ２１５および第２の中性線接続スイッチ２２５を同時にオンおよびオフにするために使用される。
【０１９８】
本発明の好ましい実施形態によると、第１の送電線接続スイッチ２１４、第２の送電線接続スイッチ２１５、第１の中性線接続スイッチ２２４、および第２の中性線接続スイッチ２２５は、それぞれ、マイクロムーヴスイッチとして使用でき、第１の注視部２４１５および第２の起動部２４２５の押圧作用によりオンになる。第１の注視部２４１５および第２の起動部２４２５を取り外すと、第１の送電線接続スイッチ２１４、第２の送電線接続スイッチ２１５、第１の中性線接続スイッチ２２４、および第２の中性線接続スイッチ２２５が、それぞれ、オフになる。第１の送電線接続スイッチ２１４、第２の送電線接続スイッチ２１５、第１の中性線接続スイッチ２２４、および第２の中性線接続スイッチ２２５が、それぞれ、導電性金属シートなどの他のスイッチ構造としても使用でき、かつ本発明はこの点に限定するよう意図するものではないことを当業者が理解することが明らかである。
【０１９９】
さらに、図５に示されるように、ソケット本体２００の２つの軸受け溝２６１、２６２は、それぞれ、送電線のレセプタクル２１１、中性線のレセプタクル２２１、およびアース線のレセプタクル２３１の２つの側部に形成されている。２つの軸受け溝２６１、２６２は、それぞれ、第１の送電線接続スイッチ２１４および第１の中性線接続スイッチ２２４、ならびに第２の送電線接続スイッチ２１５および第２の中性線接続スイッチ２２５を受入れるために使用される。
【０２００】
本発明の好ましい実施形態によると、ロックおよび制御機構２４０は、制動ユニット２４３をさらに備える。第１のロック制御ユニット２４１および第２のロック制御ユニット２４２が同時に起動する場合には、制動ユニット２４３は、第１のロック制御ユニット２４１および第２のロック制御ユニットを正常な状態で作動させる。しかしながら、第１のロック制御ユニット２１４および第２のロック制御ユニット２４２のうち１つのみが起動する場合には、制動ユニット２４３は、他方のロック制御ユニットが作動しないようにすることにより、確実に第１の送電線接続スイッチ２１４および第１の中性線接続スイッチ２２４のセット、および第２の送電線接続スイッチ２１５および第２の中性線接続スイッチ２２５のセットのうち１つのセットの送電線および中性線の接続スイッチのみをオンにするが、他方のセットの送電線および中性線の接続スイッチをオフにすることにより、送電線接続回路２１２および中性線接続回路２２２の全体が、電気的に遮断した状態のままになり、いずれの感電事故も防止する。
【０２０１】
より具体的には、図６に示されるように、制動ユニット２４３は、制動部２４３１、抑止部２４３２、回転軸２４３３、および設置部２４３４を備える。制動部２４３１は、第１の作用表面２４３５および第２の作用表面２４３６を備える。第１の作用表面２４３５および第２の作用表面２４３６は、それぞれ、制動部２４３１の２つの側部に対称的に設けられている。抑止部２４３２が制動部２４３１に取り付けられることにより、制動部２４３１は、作動状態の完了後に初期状態にリセットする。たとえば、抑止部２４３２は、制限バネ（ｒｅｓｔｒｉｃｔｉｎｇ  ｓｐｒｉｎｇ）である。制動部２４３１が作動状態にある場合には、制限バネは、圧縮または伸長されて弾性的に変形する。制動部２４３１がアイドル状態にある場合には、制限バネは初期の均衡位置に戻る。さらに、抑止部２４３２の一方の端部が制動部２４３１に固定されており、他方の端部が設置部２４３４に固定されている。当業者は、抑止部２４３２の他方の端部が、制動部２４３１に固定されていないが、ソケット本体２００の上壁、底壁、もしくは側壁、またはソケットシェル１１の内面のいずれかに固定されていることを理解することが注目に値する。
【０２０２】
回転軸２４３３は制動部２４３１に取り付けられることにより、制動部２４３１は、回転軸２４３３の周りを回転するように適合され、制動部２４３１は、抑止部が伸長する方向に沿って移動することができ、結果として、制動部２４３１は、本発明の好ましい実施形態に係る回転運動および直線運動である２つの異なる運動を履行するように適合されている。
【０２０３】
設置部２４３４は、制動部２４３１を受入れ、制動部２４３１の位置を保持するための保持溝２４３４１を形成する。言い換えると、制動部２４３１は、保持溝２４３４１に移動するよう正確に適合されている。より具体的には、設置部２４３４は、ベース部２４３４２およびベース部２４３４２から延在する２つの側面２４３４３を備える。保持溝２４３４１は、ベース部２４３４２と２つの側面２４３４３との間に形成されており、誘導溝２４３４４は、各側面２４３４３に形成されている。回転軸２４３３の２つの端部は、それぞれ、誘導溝２４３４４に移動するように誘導溝２４３４４にそれぞれ延在し、かつ誘導溝２４３４４は、回転軸２４３３での位置限定作用を有する。さらに、抑止部２４３２は、設置部２４３４のベース部２４３４２に取り付けるように適合されている。
【０２０４】
さらに、制動部２４３１の第１の作用表面２４３５および第２の作用表面２４３６が、保持溝２４３４１の外側に設けられることにより、第１の作用表面２４３５および第２の作用表面２４３６が、第１の作動部２４１２および第２の作動部２４２２の作動により移動し、かつ制動部２４３１に運動を生成させるように適合されている。
【０２０５】
よって、第１の作動部２４１２は、第１の作動体２４１６をさらに備える。第１の押圧部２４１１の駆動作用の下での第１の作動体２４１６は、第１の作用表面に作用して、制動ユニット２４３に対応する運動を生成させる。第２の作動部２４２２は、第２の作動体２４２６をさらに備える。第２の作動体２４２６は、第２の押圧部２４２１の駆動作用の下、第２の作用表面２４３６に作用して、制動ユニット２４３に対応する運動を生成させる。
【０２０６】
より具体的には、図１４に示されるように、ソケット本体２００の送電線のレセプタクル２１１および中性線のレセプタクル２２１が器具プラグ２１の送電線のピン２０１および中性線のピン２０２に挿入される場合には、第１のロック制御ユニット２４１および第２のロック制御ユニット２４２がアイドル状態になり、制動ユニット２４３が対応してアイドル状態になることにより、制動部２４３１が初期位置になり、抑止部２４３２が、変形を全く有さず、ソケット本体２００の送電線接続スイッチおよび中性線接続スイッチがオフになり、これにより、送電線接続回路２１２および中性線接続回路２２２が電気的に遮断される。
【０２０７】
あるいは、細い鉄線などの導電性物体が、ソケット本体２００の送電線のレセプタクル２１１および中性線のレセプタクル２２１に挿入されても、この導電性物体のサイズ、形状、およびその押力が、第１の押圧部２４１１および第２の押圧部２４２１を駆動することができず、第１のロック制御ユニット２４１および第２のロック制御ユニットがアイドル状態になるため、送電線接続回路２１２および中性線接続回路２２２が電気的に遮断される。
【０２０８】
図１５に示されるように、ソケット本体２００の送電線のレセプタクル２１１および中性線のレセプタクル２２１が、ソケット本体２００の送電線のピン２０１および中性線のピン２０２に同時に挿入される場合には、送電線のピン２０１および中性線のピン２０２が、それぞれ、第１のロック制御ユニット２４１および第２のロック制御ユニット２４２を作動する。より具体的には、送電線のピン２０１および中性線のピン２０２が、それぞれ、第１の押圧部２４１１および第１の作動部２４１２を押圧することにより、第１の作動部２４１２の対応する第１の作動体２４１６および第２の作動部２４２２の対応する第２の作動体２４２６が、それぞれ制動部２４３１の第１の作用表面２４３５および第２の作用表面２３３６に作用する。
【０２０９】
本発明の好ましい実施形態によると、ソケット本体２００が水平方向に配置される場合には、第１の押圧部２４１１および第１の作動部２４１２は、同一方向に沿ってかつ互いと平行して、第１の作動部２４１２の第１の作動体２４１６および第２の作動部２４２２の第２の作動体２４２６を、制動部２４３１の第１の作用表面２４３５および第２の作用表面２４３６に押力をそれぞれ加えるように押圧作用を生成させる。制動部２４３１の２つの対称的な側部は、同一方向から加えられた押力を受けることにより、制動部２４３１は、垂直方向に沿って保持溝２４３４１内を移動し、制限バネとして使用される抑止部２４３２が圧縮または伸長することにより、回転軸２４３３は、垂直方向に沿って２４３４４内を移動する。当業者は、垂直方向の動きは単なる例示であり、ソケット本体２００が垂直方向に配置され、壁ソケットとして使用される場合には、制動部２４３１および回転軸２４３３は、水平方向に沿っても移動でき、本発明は、この態様に限定するよう意図されていないことを理解するものである。
【０２１０】
器具プラグ２１の送電線のピン２０１および中性線のピン２０２が、抑止部２４３２の弾性復元力の作用の下で、ソケット本体２００の送電線のレセプタクル２１１および中性線のレセプタクル２２１から抜かれると、制動部２４３１の第１の作用表面２４３５および第２の作用表面２４３６が反対に、第１の作動部２４１２の第１の作動体２４１６および第２の作動部２４２２の第２の作動体２４２６に押力を加えるため、対応する第１の作動部２４１２および第２の作動部２４２２が駆動され、第１の押圧部２４１１および第２の作動部２４１２は初期位置に戻る。
【０２１１】
好ましくは、制動部２４３１の第１の作用表面２４３５および第２の作用表面２４３６は、第１の作動部２４１２の第１の作動体２４１６および第２の作動部２４２２の第２の作動体２４２６により簡単に押圧されるように、傾斜表面として使用される。傾斜表面の構成は、それぞれ水平方向の第１の作動部２４１２の第１の作動体２４１６および第２の作動部２４２２の第２の作動体２４２６の押圧運動を、制動部２４３１の第１の作用表面２４３５および第２の作用表面２４３６に作用させる。第１の作用表面２４３５および第２の作用表面２４３６の傾斜表面が、不変の傾斜を有する線形の表面、曲面、または突き出た球面、凹凸のある曲面などのかまぼこ型の表面になり得ることは注目に値する。
【０２１２】
さらに、第１のロック制御ユニット２４１の第１の押圧部２４１１および第１の作動部２４１２は、共に固定されて組み立てることができる、または一体形成できる。第１の作動部２４１２は、第１の注視部２４１５と、第１の作動体２４１６と、さらには、第１の注視部２４１５および第１の作動体２４１６に接続する接続部２４１７を含むことにより、Ｚ型構造などの３つの区分の構造を形成する。ここで３つの区分の構造は、単なる例示であり、この態様に限定するよう意図しないことは注目に値する。
【０２１３】
よって、第２のロック制御ユニット２４２の第２の押圧部２４２１および第２の作動部２４２２は、共に固定されて組み立てることができる、または一体形成できる。第２の作動部２４２２は、第２の起動部２４２５、第２の作動体２４２６、さらには第２の起動部２４２５および第２の作動体２４２６に接続する接続部２４２７を備えることにより、Ｚ型構造などの３つの区分の構造を形成する。同様に、３つの区分の構造は単なる例示であり、この態様に限定するよう意図されるものではない。
【０２１４】
当業者は、制動部２４３１の動きが完了し、対応する送電線接続スイッチおよび中性線接続スイッチが電気的に接続かつ遮断されている限り、第１の作動部２４１２および第２の作動部２４２２の他のいずれの構造上の変形も考慮し得ることが、注目に値する。
【０２１５】
本発明の好ましい実施形態によると、制動部２４３１が、第１のロック制御ユニット２４１および第２のロック制御ユニット２４２により、作動状態の下、垂直方向に沿って移動すると、第１のロック制御ユニット２４１の第１の作動部２４１２の対応する第１の注視部２４１５が、第１の送電線接続スイッチ２１４および第１の中性線接続スイッチ２２４を電気的に接続し、同時に、第２のロック制御ユニット２４２の第２の作動部２４２２の第２の起動部２４２５が、第２の送電線接続スイッチ２１５および第２の中性線接続スイッチ２２５を電気的に接続するため、送電線接続回路２１２および中性線接続回路２２２は、電気的に接続した状態になる。
【０２１６】
器具プラグ２１の送電線のピン２０１および中性線のピン２０２が送電線のレセプタクル２１１および中性線のレセプタクル２２１から抜かれると、制動部２４３１の第１の作用表面２４３５および第２の作用表面２４３５が反対に、抑止部２４３２の弾性復元力の作用の下で第１の作動部２４１２および第２の作動部２４２２に押力を加えるため、第１の送電線接続スイッチ２１４および第１の中性線接続スイッチがオフになり、送電線接続回路２１２および中性線接続回路２２２が電気的に遮断した状態になるように、対応する第１の注視部２４１５および第２の起動部２４２５を初期位置にする。
【０２１７】
図１６および図１７に示されるように、導電性物体が送電線のレセプタクル２１１および中性線のレセプタクル２２１に挿入される場合で、たとえば、導電性物体が送電線のレセプタクル２１１に挿入され、押力が、第１のロック制御ユニット２４１の第１の押圧部２４１１を押圧するためには十分ではない場合には、第１の作動部２４１２の第１の注視部２４１５は、第１の送電線接続スイッチ２１４および第１の中性線接続スイッチ２２４をオンにし、第１の作動部２４１２の第１の作動体２４１６は、第１の作用表面２４３５に押力を加える。しかしながら、第１の作動体２４１６の押力が、制動部２４３１の１つの側部にのみ加えられるため、制動部２４３１が、回転軸２４３３の周りを回転し、第２の作用表面２４３６を初期位置から離れるように移動させ、最終的に制動部２４３１を、傾斜した位置に配置することができる。別の導電性物体がソケット本体２００の中性線のレセプタクル２２１に挿入されると、この状態の下での制動部２４３１は、第２の作動部２４２２の動きを防止し、第２の押圧部２４２１の動きをさらに防止することにより、第２のロック制御ユニット２４２の起動を防止することは注目に値する。言い換えると、導電性物体が再度中性線のレセプタクル２２１に挿入されても、第２の作動体２４２６および第２の作用表面２４３６が転位状態にあるため、第２の作動体２４２６は、第２の作用表面２４３６に押力を加えることができず、制動部２４３１の制限下で移動することができず、第２のロック制御ユニット２４２が作動できないことにより、第２の送電線接続スイッチ２１５および第２の中性線接続スイッチ２２５はオンになることができず、これにより、送電線接続回路２１２および中性線接続回路２２２全体が電気的に遮断されて、感電事故をもたらす、いずれの導電性物体も送電線のレセプタクル２１１に挿入されないようにする。
【０２１８】
よって、導電性物体が中性線のレセプタクル２２１に挿入され、押力が、第２のロック制御ユニット２４２の第２の押圧部２４２１を押圧するためには十分ではない場合には、第２の作動部２４２２の第２の起動部２４２５は、第２の送電線接続スイッチ２１５および第２の中性線接続スイッチ２２５をオンにし、第２の作動部２４２２の第２の作動体２４２６は、第２の作用表面２４３６に押力を加える。第２の作動体２４２６の押力は制動部２４３１の１つの側部にのみ加えられるため、制動部２４３１は、回転軸２４３３の周りを回転することにより、第１の作用表面２４３５は、初期位置から離れて移動し、制動部２４３１は別の傾斜した位置になる。別の導電性物体がソケット本体２００の中性線のレセプタクル２２１に挿入される場合には、この状態の下での制動部２４３１は、第１の作動部２４１２の動きを防止し、第１の押圧部２４１１の動きをさらに防止することにより、第１のロック制御ユニット２４１の作動を防止する。言い換えると、導電性物体が送電線のレセプタクル２１１に再度挿入されても、第１の作動体２４１６および第１の作用表面２４３５が転位状態にあるため、第１の作動体２４１６は第１の作用表面２４３５に押力を全く加えることができず、制動部２４３１の制限の下で移動することができず、第１のロック制御ユニット２４１が作動できないことにより、第１の送電線接続スイッチ２１４および第２の送電線接続スイッチ２１５をオンにできず、これにより、送電線接続回路２１２および中性線接続回路２２２全体が電気的に遮断されて、感電事故をもたらす、導電性物体が中性線のレセプタクル２２１に挿入しないようにする。
【０２１９】
第１の作用表面２４３５および第２の作用表面２４３６は、それぞれ、同一の側で、制動部２４３１の２つの対称的な端部に位置していることは注目に値する。第１のロック制御ユニット２４１および第２のロック制御ユニット２４２が、同時に作動する代わりにそれぞれ作動する場合には、制動部２４３１は反対の方向に回転する。たとえば、第１のロック制御ユニット２４１が、別に作動する場合、制動部２４３１は時計回りの方向に回転軸の周りを回転し、第２のロック制御ユニット２４２が単独で作動する場合には、制動部２４３１は、反時計回りに回転軸２４３３の周りを回転し、またその逆もある。
【０２２０】
言い換えると、第１のロック制御ユニット２４１および第２のロック制御ユニット２４２が別々に作動する場合には、制動部２４３１は、回転運動を行い、第１のロック制御ユニット２４１および第２のロック制御ユニット２４２が同時に作動する場合には、制動部２４３１は、垂直または水平の動きなどの直線運動を行う。制動部２４３１が回転運動を行う場合、回転軸２４３３は、制動部２４３１の回転の中心であり、回転軸２４３３は運動していなくてもよい。しかしながら、制動部が垂直方向での上昇および下降など、保持溝２４３４１において直線運動を行う場合には、回転軸２４３３は、２４３４４の制動部２４３１により移動し、最終的な作動状態となる。
【０２２１】
本発明の好ましい実施形態によると、ロックおよび制御機構２４０は、アイドル状態、自己ロック状態、および作動状態を含む３つの状態を有する。よって、本発明の好ましい実施形態の安全ソケット１０の使用方法であって、安全ソケット１０が少なくとも１つのソケット本体２００を備える、使用方法を提供する。ソケット本体２００は、送電線のレセプタクル２１１および中性線のレセプタクル２２１を有し、送電線接続回路２１２、中性線接続回路２２２、およびロックおよび制御機構２４０を備える。本方法は、以下の
（Ａ）ロックおよび制御機構２４０が理想的な状態にある場合には、送電線接続回路２１２および中性線接続回路２２２を電気的に遮断するステップと、
（Ｂ）導電性物体４０が、独立して、送電線のレセプタクル２１１および中性線のレセプタクル２２１のうちの１つのレセプタクルに挿入される場合には、対応するロックおよび制御機構２４０が自己ロック状態になり、ロックおよび制御機構２４０が送電線接続回路２１２および中性線接続回路２２が電気的に接続しないようにし、感電事故を防止するステップと、
（Ｃ）電気器具２０の送電線のピン２０１および中性線のピン２０２が、送電線のレセプタクル２１１および中性線のレセプタクル２２１に同時に挿入される場合には、対応するロックおよび制御機構２４０が、送電線のピン２０１および中性線のピン２０２により作動し、作動状態になり、ロックおよび制御機構２４０が送電線接続回路２１２および中性線接続回路２２２を電気的に接続し、電気器具２０が、電源３０へ電気的に接続するソケット本体２００を介して電源３０の電力供給の下で正常に作動するステップと
を含む。
【０２２２】
上記のステップ（Ａ）で、導電性物体または他の物体が送電線のレセプタクル２１１および中性線のレセプタクル２２１に挿入されていない場合には、ロックおよび制御機構２４０がアイドル状態になり、または導電性物体が送電線のレセプタクル２１１および中性線のレセプタクル２１１のうちの１つに挿入されているが、導電性物体のサイズ、大きさ、およびの押力の大きさが、ロックおよび制御機構２４０を作動するために十分ではない場合には、ロックおよび制御機構２４０がアイドル状態のままになる。
【０２２３】
ソケット本体２００は、２つのセットの送電線接続スイッチおよび中性線接続スイッチをさらに備え、１つのセットは第１の送電線接続スイッチ２１４および第１の中性線接続スイッチ２２４であり、他方のセットは第２の送電線接続スイッチ２１５および第２の中性線接続スイッチ２２５である。上記のステップ（Ｂ）では、導電性物体が、別々に送電線のレセプタクル２１１に挿入され、対応するロックおよび制御機構２４０が自己ロック状態に作動する場合、第１の送電線接続スイッチ２１４および第１の中性線接続スイッチ２２４をオンにすることができる。もちろん、第１の作動部２４１２の変位が十分ではない場合には、第１の送電線接続スイッチ２１４および第１の中性線接続スイッチ２２４が電気的に遮断されたままである。しかしながら、ロックおよび制御機構２４０は、第２の送電線接続スイッチ２１５および第２の中性線接続スイッチ２２５をオンにしないようにするため、送電線接続回路２１２および中性線接続回路は電気的に遮断され、いずれの感電事故も防止する。同様に、導電性物体が、別々に中性線のレセプタクル２２１のうちの１つに挿入され、ロックおよび制御機構２４０が自己ロック状態に作動する場合には、第２の送電線接続スイッチ２１５および第２の中性線接続スイッチ２２５は、スイッチをオンにできる、またはスイッチをオフにしたままにできる。しかしながら、ロックおよび制御機構２４０は、第１の送電線接続スイッチ２１４および第１の中性線接続スイッチ２２４をオンにしないようにするため、送電線接続回路２１２および中性線接続回路２２２は電気的に遮断されて、いずれの感電事故も防止する。
【０２２４】
よって、本発明の好ましい実施形態によると、自己ロック状態は、ロックおよび制御機構２４０の制動ユニット２４３により実施される。ロックおよび制御機構２４０は、第１のロック制御ユニット２４１および第２のロック制御ユニット２４２を備える。自己ロック状態では、第１のロック制御ユニット２４１および第２のロック制御ユニット２４２のうちの１つのロック制御ユニットのみが作動状態にあり、制動ユニット２４３が、他方のロックユニットの作動を防止しすることにより、物体による感電事故を防止する。
【０２２５】
ステップ（Ｃ）では、第１のロック制御ユニット２４１および第２のロック制御ユニット２４２は、器具プラグ２１の送電線のピン２０１および中性線のピン２０２の同時作動の下にあり、第１のロック制御ユニット２４１および第２のロック制御ユニット２４２は同時に作動する。制動ユニット２４３の制動部２４３１の２つの端部は、共に力を受け、制動部２４３１は、２つのセットの送電線接続スイッチおよび中性線接続スイッチがオンになり、送電線接続回路２１２および中性線接続回路２２２が接続状態になるように平均的な力を受けることにより、ソケット本体２００が正常に作動する。
【０２２６】
より具体的には、本発明の好ましい実施形態によると、ステップ（Ｂ）およびステップ（Ｃ）では、制動ユニット２４３の制動部２４３１は、異なる動きを履行する。ステップ（Ｂ）では、制動部２４３１は、１つのロック制御ユニットの作動の下で回転運動を生成するが、ステップ（Ｃ）では、制動部２４３１は、次の２つのロック制御ユニットにおける、垂直の上方または下方の動きなどの、２つのロック制御ユニットの同時作動の下で直線運動を生成することにより、それぞれ自己ロック状態および作動状態を達成する。
【０２２７】
本発明の好ましい実施形態に係る防水性の構造を以下に例示する。水または他の導電性液体がソケット本体２００のレセプタクルに侵入しても、短絡が起こらないため、本発明の好ましい実施形態の安全ソケット１０が確実に安全に使用される。
【０２２８】
ソケット本体２００の送電線のレセプタクル２１１、中性線のレセプタクル２２１、およびアース線のレセプタクル２３１は、独立しており、互いに連通していない。本発明の好ましい実施形態によると、ロックおよび制御機構２４０、送電線接続スイッチ２１４、第２の送電線接続スイッチ２１５、および第１の中性線接続スイッチ２２４、第２の中性線接続スイッチ２２５が導入される。ソケット本体２００は、絶縁キャビティ１２をさらに備える。ロックおよび制御機構２４０の作動部およびリセット部、第１の送電線接続スイッチ２１４、第２の送電線接続スイッチ２１５、第１の中性線接続スイッチ２２４、および第２の中性線接続スイッチ２２５が、絶縁キャビティ１２に配置されている。絶縁キャビティ１２は、送電線のレセプタクル２１１、中性線のレセプタクル２２１、およびアース線のレセプタクル２３１と連通していないことにより、水または他の導電性液体は、絶縁キャビティ１２を介して、送電線のレセプタクル２１１、中性線のレセプタクル２２１、およびアース線のレセプタクル２３１に侵入することができず、これにより短絡はソケット本体２００で起こらない。
【０２２９】
本発明の好ましい実施形態によると、絶縁キャビティ１２は、ソケット本体２００の送電線のレセプタクル２１１、中性線のレセプタクル２２１、およびアース線のレセプタクル２３１の外側に形成されている。当業者は、独立した絶縁チャンバーを、送電線接続スイッチ、中性線接続スイッチなどを受入れる絶縁キャビティ１２の様々な部分に備えることができることを理解するものである。
【０２３０】
絶縁キャビティ１２は、ソケット本体２００のシェル、分離壁、または他の部分により形成でき、ならびに、安全ソケット１０のソケット本体２００およびソケットシェル１１から一体形成できる。本発明は、絶縁キャビティ１２が、送電線のレセプタクル２１１、中性線のレセプタクル２２１、およびアース線のレセプタクル２３１と絶縁している限り、この態様に限定されるよう意図するものではなく、絶縁キャビティ１２内のロックおよび制御機構２４０は、送電線接続回路１１２および中性線接続回路１２２を選択的かつ電気的に接続または遮断する。
【０２３１】
さらに、ソケット本体２００は、ソケット本体２００のレセプタクルの中または他の導電性液体が絶縁キャビティに侵入しないようにソケット本体２００のレセプタクルと絶縁キャビティ１２を絶縁するための密閉部材２５０をさらに備え、これにより、ソケット本体２００は、密閉部材２５０により防水性の特性を有することになり、密閉部材２５０は、ソケット本体に、感電事故を発生させ得る短絡を起こさせないようにする。
【０２３２】
本発明の好ましい実施形態によると、送電線の作動孔２１６は、送電線のレセプタクル２１１の側壁に設けられており、中性線の作動孔２２６は中性線のレセプタクル２２１の側壁に設けられているため、水または他の導電性液体が絶縁キャビティ１２に侵入しないようにするために、防水性の構成が、送電線の作動孔２１６および中性線の作動孔２２６に施されることが必要とされる。
【０２３３】
図７、図８、図１８、および図１９に示されるように、第１の押圧部２４１１および第２の押圧部２４２１は、それぞれ、溝２４１８、２４２８を備える。密閉部材２５０は、シールリング２５３、２５４を備える。シールリング２５３、２５４は、それぞれ、溝２４１８および２４２８に備え付けられ、対応する送電線の作動孔２１６および中性線の作動孔２２６にそれぞれ配置されることで、送電線の作動孔２１６および中性線の作孔２２６の内面に摩擦的に接触し、これにより、シールリング２５３およびシールリング２５４は、それぞれ、第１の押圧部２４１１、第２の押圧部２４２１、送電線の作動孔２１６、および中性線の作動孔２２６の間の継ぎ目が塞がれ、これにより、送電線のレセプタクル２１１および中性線のレセプタクル２２１の中の水または他の導電性液体が絶縁キャビティに侵入しなくなる。
【０２３４】
本発明の好ましい実施形態によると、シールリング２５３およびシールリング２５４は、それぞれ、防水性のために、それぞれ、溝２４１８、２４２８の内面と親密に継ぎ目なく接触する防水性のシリコーンリングとして使用できる。さらに、図１９に示されるように、電源プラグのピンが送電線のレセプタクル２１１または中性線のレセプタクル２２１に挿入される場合には、シールリング２５３およびシールリング２５４は、第１の押圧部２４１１および第２の押圧部２４２１で水平方向に移動でき、かつ対応する送電線の作動孔２１６および中性線の作動孔２２６から逸脱することがないため、ロックおよび制御機構２４０が作動すると、シールリング２５３およびシールリング２５４は、防水性の特性を果たす。
【０２３５】
図２０〜図２２を参照すると、本発明の好ましい実施形態に係る密閉部材２５０の代替的な形式が例示されている。リング状の固定溝２１７、２２７は、それぞれ、絶縁キャビティ１２の側部に隣接して、送電線のレセプタクル２１１および中性線のレセプタクル２２１の外側の側壁に形成されている。シールリング２５３およびシールリング２５４は、それぞれ、リング状の固定溝２１７、２２７に取り付けられている。言い換えると、この代替的な形式では、シールリング２５３およびシールリング２５４は、上記の実施形態のようには、対応する第１の押圧部２４１１および第２の押圧部２４２１に取り付けられていないが、シールリング２５３およびシールリング２５４は、送電線のレセプタクル２１１および中性線のレセプタクル２２１に取り付けられている。シールリング２５３およびシールリング２５４は、対応する第１の押圧部２４１１および第２の押圧部２４２１にしっかりと固定して取り付けられており、第１の押圧部２４１１および第２の押圧部２４２１の動きを可能にする。しかし、シールリング２５３およびシールリング２５４は、防水性効果を確実にするために、対応する第１の押圧部２４１１および第２の押圧部２４２１と共に移動しない。
【０２３６】
言い換えると、シールリング２５３およびシールリング２５４は、それぞれスルーホールを有し、スルーホールのサイズは、第１の押圧部２４１１および第２の押圧部２４２１が、スルーホールを介してしっかりと適切に貫通できるように、第１の押圧部２４１１および第２の押圧部２４２１のサイズおよび形状に対応して作製されている。防水性のシリコーン物質から作製されているシールリング２５３およびシールリング２５４は、第１の押圧部２４１１および第２の押圧部２４２１に摩擦を用いて取り付けられており、簡単に損傷するものではないため、送電線のレセプタクル２１１および中性線のレセプタクルの中の水または他の導電性液体が絶縁キャビティ１２に侵入しないようになるが、第１の押圧部２４１１および第２の押圧部２４２１の正常な作動の妨げにはならない。
【０２３７】
密閉部材２５０は、固定部材の本体２５２１を備える固定部材２５２をさらに備え、２つの開口部２５２２は、固定部材の本体２５２１の中央に形成されている。２つの開口部２５２２は、それぞれ、第１の押圧部２４１１および第２の押圧部２４２１を、開口部を介して貫通させている。固定部材２５２は、送電線のレセプタクル２１１および中性線のレセプタクル２２１の外側の側壁に固定され、これによりシールリング２５３、２５４は、固定部材２５２と送電線のレセプタクル２１１および中性線のレセプタクルの外側の側壁との間にしっかりと固定して取り付けられる。この固定方法は、様々な構造になり得る。たとえば、固定部材２５２の４つの角上の固定孔を介して貫通しており、送電線のレセプタクル２１１および中性線のレセプタクルの外側の側壁中の固定孔に対応する４つのネジがある。
【０２３８】
密閉部材２５０の特定の構成は単なる例示であり、この態様に限定するよう意図されるものではないことは注目に値する。当業者は、他の防水性の構造を考慮することが可能である。本発明によると、密閉部材２５０は、主に、ソケット本体２００の中の水または他の導電性液体が、ロックおよび制御機構２４０の送電線接続回路２１２および中性線接続回路２２２を電気的に接続または遮断する作動に影響を与えないようにするために使用される。
【０２３９】
図２４〜図３４に示されるように、本発明の第２の実施形態に係る安全ソケット１０の代替的な形式が例示されている。安全ソケット１０は、少なくとも１つのソケット本体３００を備える。特定の用途ではもちろん、安全ソケットは、ソケットシェル１１で組み立てられた１、２、３、または複数のソケット本体３００を備えてもよく、ソケット本体３００は、たとえば、２つ孔のジャックのソケットまたは３つ孔のジャックのソケットなどであり得ることが理解できる。
【０２４０】
本発明の好ましい実施形態によると、ソケット本体３００は、生き回路および中性回路を対応させるように電気的に接続するための２つの回路接続ユニットを備える２つ孔のジャックのソケットとして使用される。より具体的には、図２４〜図３４に示されるように、ソケット本体３００は、送電線接続ユニット３１０および中性線接続ユニット３２０を有する。送電線接続ユニット３１０は、送電線のレセプタクル３１１および送電線接続回路３１２を備える。中性線接続ユニット３２０は、中性線のレセプタクル３２１および中性線接続回路３２２を備える。
【０２４１】
同様に、ソケット本体３００は、電源３０に電気器具２０の器具プラグ２１を接続する。電源３０は、電源３０により電気器具２０の正常な作動を可能にし、充電可能である、１１０Ｖまたは２２０Ｖの直流電源または交流電源になり得る。
【０２４２】
本発明の好ましい実施形態によると、送電線のピン２０１は、ソケット本体３００の送電線のレセプタクル３１１に受入られており、中性線のピン２０２は、ソケット本体３００の中性線のレセプタクル３２１に受入られている。次いで、送電線のピン２０１は、送電線接続回路２１２に電気的に接続し、中性線のピン２０２は、中性線接続回路３２２に電気的に接続することにより、電気器具２０と電源３０との間の回路が電気的に接続する。
【０２４３】
ソケット本体３００の送電線のレセプタクル３１１および中性線のレセプタクル３２１は、それぞれ、独立したチャンバーを備える。２つのチャンバーは、互いに連通していないが、同一の絶縁シェルの中に凹凸があるように形成される。また送電線のレセプタクル３１１および中性線のレセプタクル３２１は、異なる絶縁物質を使用して独立して形成した後、互いと共に組み立てることができる。
【０２４４】
本発明によると、ソケット本体３００は、ロックおよび制御機構３４０をさらに備える。ロックおよび制御機構３４０が作動し、作動状態に切り替わる場合にのみ、電気器具２０の器具プラグ２１、ソケット本体３００、および電源３０の間の電気回路が電気的に接続し、電気器具２０が正常に作動することができる。
【０２４５】
より具体的には、電気器具２０の規格内の器具プラグ２１の送電線のピン２０１および中性線のピン２０２が、ソケット本体３００の送電線のレセプタクル３１１および中性線のレセプタクル３２１に独立して同時に挿入される場合にのみ、電気器具２０の器具プラグ２１、ソケット本体３００、および電源３０の間の電気回路が電気的に接続できる。
【０２４６】
本発明の好ましい実施形態によると、ロックおよび制御機構３４０は、器具プラグ２１の送電線のピン２０１および中性線のピン２０２の同時挿入作用により作動して、それぞれ、送電線接続ユニット３１０の回路および中性線接続ユニット３２０の回路を接続する。言い換えると、器具プラグ２１の送電線のピン２０１および中性線のピン２０２が、ソケット本体３００の対応する送電線のレセプタクル３１１および対応する中性線のレセプタクル３２１にそれぞれ同時に挿入される場合には、ロックおよび制御機構３４０が作動することにより、電気器具２０の器具プラグ２１、ソケット本体３００、および電源３０の間の回路を接続する。本発明の好ましい実施形態の構造は、上記の第２の好ましい実施形態の構造と異なり、詳細は以下の説明に記載される。
【０２４７】
さらに、ロックおよび制御機構３４０は、第１のロック制御ユニット３４１、第２のロック制御ユニット２４２、および制動ユニット３４３を備える。送電線の作動孔３１６は、送電線のレセプタクル３１１の側壁に設けられ、中性線の作動孔３２６は、中性線のレセプタクル３２１の側壁に設けられている。第１のロック制御ユニット３４１は、送電線の作動孔３１６を介して配置かつ取り付けられており、第２のロック制御ユニット３４２は、中性線の作動孔３２６を介して配置かつ取り付けられている。
【０２４８】
第１のロック制御ユニット３４１は、第１の押圧部３４１１、第１の作動部３４１２、および第１のリセット部３４１３を備える。第１の押圧部３４１１は、送電線の作動孔３１６を介して貫通する。第１の作動部３４１２は、第１の押圧部３４１１に取り付けられる、または第１の押圧部３４１１と一体形成される。第１のリセット部３４１３は、第１の押圧部３４１１または第１の作動部３４１２に取り付けられている。本発明の好ましい実施形態によると、第１のリセット部３４１３は第１の作動部３４１２に取り付けられている。器具プラグ２１の送電線のピン２０１がソケット本体３００の送電線のレセプタクル３１１に挿入されると、送電線のピン２０１は、第１の押圧部３４１１を移動させ、第１の押圧部３４１１は、さらに第１の作動部３４１２を移動させ、これにより、第１のロック制御ユニット３４１は作動状態となり、さらに第１のリセット部３４１３が変形する。第１のリセット部３４１３は、第１のリセット部３４１３が圧縮または伸長するバネであるようなリセットバネとして使用できる。好ましい実施形態によると、リセットバネとして使用される第１のリセット部３４１３は圧縮される。器具プラグ２１の送電線のピン２０１が、ソケット本体３００の送電線のレセプタクル３１１から抜かれると、第１の作動部３４１２および第１の押圧部３４１１は、第１のリセット部３４１３の作用の下で初期位置に戻る。
【０２４９】
第２のロック制御ユニット３４２は、第２の押圧部３４２１、第２の作動部３４２２、および第２のリセット部３４２３を備える。第２の押圧部３４２１は、中性線の作動孔３２６を介して貫通する。第２の作動部３４２２は、第２の押圧部３４２１に取り付けられている、または第２の押圧部３４２１と一体形成されている。第２のリセット部３４２３は、第２の押圧部３４２１または第２の作動部３４２２に取り付けられている。本発明の好ましい実施形態によると、第２のリセット部３４２３は、第２の作動部３４２２に取り付けられている。器具プラグ２１の中性線のピン２０２がソケット本体３００の中性線のレセプタクル３２１に挿入されると、中性線のピン２０２は、第２の押圧部３４２１を移動させ、第２の押圧部３４２１は、第２の作動部３４２２をさらに移動させ、これにより第２のロック制御ユニット３４２が作動状態となり、さらに第２のリセット部３４２３が変形する。第２のリセット部３４２３は、第２のリセット部３４２３が伸長または圧縮するバネであるリセットバネとして使用することができる。好ましい実施形態によると、リセットバネとして使用される第２のリセット部３４２３は、圧縮される。器具プラグ２１の中性線のピン２０２がソケット本体３００の中性線のレセプタクル３２１から抜かれると、第２の作動部３４２２および第２の押圧部３４２１は、第２のリセット部３４２３の作用の下で初期位置に戻る。
【０２５０】
本発明の好ましい実施形態によると、器具プラグ２１の送電線のピン２０１および中性線のピン２０２が、ソケット本体３００の送電線のレセプタクル３１１および中性線のレセプタクル３２１にそれぞれ同時に挿入れる場合にのみ、送電線接続回路３１２および中性線接続回路３２２は電気的に接続することができる。
【０２５１】
より具体的には、送電線接続ユニット３１０は、送電線接続回路３１２の電気的な接続および遮断を制御するための、第１の送電線接続スイッチ３１４および第２の送電線接続スイッチ３１５をさらに備える。第１の送電線接続スイッチ３１４および第２の送電線接続スイッチ３１５がすべて電気的に接続した状態である場合にのみ、送電線接続回路３１２は、電気的に接続した状態になり得る。第１の送電線接続スイッチ３１４および第２の送電線接続スイッチ３１５のうちの少なくとも１つが電気的に遮断した状態にあるが、送電線接続回路３１２は電気的に遮断した状態にある。
【０２５２】
よって、中性線接続ユニット３２０は、中性線接続回路３２２の電気的な接続および遮断を制御するための、第１の中性線接続スイッチ３２４および第２の中性線接続スイッチ３２５をさらに備える。第１の中性線接続スイッチ３２４および第２の中性線接続スイッチ３２５がすべて電気的に接続した状態にある場合にのみ、中性線接続回路３２２は電気的に接続した状態になり得る。第１の中性線接続スイッチ３２４および第２の中性線接続スイッチのうちの少なくとも１つが電気的に遮断した状態にあるが、中性線接続回路３２２は電気的に遮断した状態にある。
【０２５３】
第１のロック制御ユニット３４１は、送電線接続スイッチ３１４および第１の中性線接続スイッチ３２４のオンおよびオフの制御に使用され、第２のロック制御ユニット３４２は、第２の送電線接続スイッチ３１５および第２の中性線接続スイッチ３２５のオンおよびオフの制御に使用される。よって、器具プラグ２１の送電線のピン２０１および中性線のピン２０２が、ソケット本体３００の送電線のレセプタクル３１１および中性線のレセプタクル３２１にそれぞれ同時に挿入される場合には、送電線のピン２０１が第１のロック制御ユニット３４１を作動させ、第１の送電線接続スイッチ３１４および第１の中性線接続スイッチ３２４をオンにし、中性線のピン２０２が第２のロック制御ユニット３４２を作動させ、第２の送電線接続スイッチ３１５および第２の中性線接続スイッチ３２５をオンになるため、送電線接続回路３１２および中性線接続回路３２２は電気的に接続状態になり、電気器具２０の器具プラグ２１、ソケット本体３００、および電源３０の間の回路を電気的に接続されて、電気器具２０の正常な作動状態が確実になる。
【０２５４】
第１のロック制御ユニット３４１の第１の作動部３４１２は、注視部３４１５をさらに備える。注視部３４１５は、第１の送電線接続スイッチ３１４および第１の中性線接続スイッチ３２４を同時にオンおよびオフにするために使用される。よって、第２のロック制御ユニット３４２の第２の作動部３４２２は、注視部３４２５をさらに備える。注視部３４２５は、第２の送電線接続スイッチ３１５および第２の中性線接続スイッチ３２５を同時にオンおよびオフにするために使用される。
【０２５５】
本発明の好ましい実施形態によると、接続スイッチは、第２の実施形態のマイクロムーヴスイッチとは異なる。例としての第１の送電線接続スイッチ３１４では、第１の送電線接続スイッチ３１４は、注視部３４１５に直接取り付けられており、注視部３４１５により移動され、送電線接続回路３１２に接続される。言い換えると、上記の実施形態において対応する接続スイッチに押力を加える必要のある作動部とは異なり、この好ましい実施形態では、第１の作動部３４１２および第２の作動部３４２２は、単に、対応する接続するスイッチを移動させる必要がある。
【０２５６】
より具体的には、第１の送電線接続スイッチ３１４は、導電性プレート、導電性カラムなどの導電性部材として使用できる。第１の送電線接続スイッチ３１４は２つの接続端部３１４１を有する。２つの第１の送電線アクセス端子３１２１が、送電線接続回路３１２に備え付けられている。器具プラグ２１の送電線のピン２０１が、送電線のレセプタクル３１１に挿入されると、第１の押圧部３４１１は、第１の作動部３４１２を移動させ、第１の作動部３４１２の注視部３４１５が、第１の送電線接続スイッチ３１４を移動させ、これにより第１の送電線接続スイッチ３１４の２つの接続端部３１４１が、それぞれ、送電線接続回路３１２の２つの第１の送電線アクセス端子３１２１と接触し、第１の送電線接続スイッチ３１４がオンになる。さらに、２つの接続端部３１４１は、導電性突起を有することができ、対応するように、送電線接続回路３１２の２つの第１の送電線アクセス端子３１２１もまた導電性突起を有することにより、送電線接続回路３１２の第１の送電線アクセス端子３１２１および２つの第１の送電線アクセス端子３１２１は、２点間接触の導電性の構造を形成する。
【０２５７】
第１の中性線接続スイッチ３２４、第２の送電線接続スイッチ３１５、および第２の中性線接続スイッチ３２５は、図２４に示されるように第１の送電線接続スイッチ３１４を備える類似の構造を有することができる。よって詳細な構造はここでは繰り返されない。
【０２５８】
本発明の好ましい実施形態によると、ロックおよび制御機構３４０の第１のロック制御ユニット３４１および第２のロック制御ユニット３４２は、対向する方向に配置されており、ロックおよび制御機構３４０は、第１のロック制御ユニット３４１および第２のロック制御ユニット３４２が対向する方向で制動ユニット３４３を制御するような制動ユニット３４３を備える。
【０２５９】
より具体的には、上記の第２の好ましい実施形態と同様に、制動ユニット３４３は、制動部３４３１、抑止部３４３２、回転軸３４３３、および設置部３４３４を備える。制動部３４３１は、第１の作用表面３４３５および第２の作用表面３４３６を有する。第１の作用表面３４３５および第２の作用表面３４３６は、制動部３４３１の２つの側部に対称的に設けられている。抑止部３４３２は、制動部３４３１が、作動状態の後に初期状態にリセットするように制動部３４３１に取り付けられている。たとえば、抑止部３４３２は制限バネである。制動部３４３１が作動状態にある場合、制限バネは、圧縮または伸長して弾性的に変形している。制動部３４３１がアイドル状態になると、制限バネは、初期の均衡位置に戻る。さらに、抑止部３４３２の一方の端が制動部３４３１に固定され、他方の端部が設置部３４３４に固定されている。
【０２６０】
回転軸３４３３は、制動部３４３１が回転軸３４３３の周りを回転するように適合されるように制動部３４３１に取り付けられており、制動部３４３１は、抑止部が伸長する方向に沿って移動でき、結果として制動部は、本発明の好ましい実施形態に係る回転運動および直線運動を含む、２つの異なる動きを履行するためにも適合されている。
【０２６１】
設置部３４３４は、制動部３４３１を受入れ、制動部３４３１の位置を限定するための保持溝３４３４１を備える。言い換えると、制動部３４３１は、単に保持溝３４３１で移動するように適合されている。より具体的には、設置部３４３４は、ベース部３４３４２と、ベース部３４３４２から延在する２つの側面３４３４３とを備える。保持溝３４３４１は、ベース部３４３４２および２つの側面３４３４３の間に形成されており、誘導溝３４３４４は、各側面３４３４３に形成されている。回転軸３４３３の２つの端部は、誘導溝３４３４４内で移動するように誘導溝３４３４４までそれぞれ延在し、誘導溝３４３４４は、回転軸３４３３に対する位置限定作用を有する。さらに、抑止部３４３２は、設置部３４３４のベース部３４３４２に取り付けられるように適合されている。
【０２６２】
上記の第２の好ましい実施形態と異なり、本発明のこの好ましい実施形態では、制動部３４３１の第１の作用表面３４３５および第２の作用表面３４３６は、制動部３４３１の対向する側部にそれぞれ設けられることにより、第１のロック制御ユニット３４１および第２のロック制御ユニット３４２が、それぞれ、対向する方向で、第１の作用表面３４３５および第２の作用表面３４３６に押力を加える。
【０２６３】
よって、第１の作動部３４１２は、第１の作動体３４１６をさらに備える。第１の作動体３４１６は、制動ユニット３４３に対応する動きを生成させるため、押圧部３４１１の駆動作用により第１の作用表面３４３５に第１の押力を加える。第２の作動部３４２２は、第２の作動体３４２６をさらに備える。第２の作動体３４２６は、制動ユニット３４３に対応する動きを生成させるために、第２の押圧部３４２１の駆動作用により第２の作用表面３４３６に第２の力を加える。本発明の好ましい実施形態によると、第１の押力および第２の押力の方向は対向する。言い換えると、第１の作動部３４１２の第１の作動体３４１６は、制動部３４３１を押圧するように、第１の作用表面３４３５に作用力を加えるように適合されており、第２の作動部３４２２の第２の作動体３４２６は、制動部３４３１を引くために、第２の作用表面３４３６に作用力を加えるように適合されている。
【０２６４】
図面に示されるように、第１の作動体３４１６および第２の作動体３４２６は、同様に、対向する方向で、第１の作用表面３４３５および第２の作用表面３４３６に作用力を加えるために制動部の２つの対向する側部に配置されている。好ましい実施形態によると、第１のロック制御ユニット３４１は、第１の押圧部３４１１、第１の作動部３４１２、および第１のリセット部３４１３を備える。第１の作動部３４１２は、注視部３４１５と、注視部３４１５に接続された第１の作動体３４１６とをさらに備える。第２のロック制御ユニット３４２は、第２の押圧部３４２１、第２の作動部３４２２、および第２のリセット部３４２３を備える。第２の作動部３４２２は、注視部３４２５と、注視部３４２５に接続された第２の作動体３４２６と、第２の接続部３４２７をさらに備える。図２９に示されるように、第２のリセット部３４２３は、第２の接続部３４２７に取り付けられている。第２の作動体３４２６は、フック状の構造を形成するために、固定される、または注視部３４２５から内部に延在することにより、第１の押圧部３４１１が押圧されると、押力が第２の接続部３４２７および注視部３４２５により第２の作動体３４２６に伝達され、類似のフック状の第２の作動体３４２６は、制動部３４３１を引くための引張力を加える。
【０２６５】
当業者は、本発明の実施形態の第２のロック制御ユニット３４２の構造は、同様に上記の第２の好ましい実施形態にも使用できることを理解するものである。言い換えると、本発明の第２の好ましい実施形態では、第１のロック制御ユニット２４１および第２のロック制御ユニット２４２は、すべて、制動部２４３１に押力を加えるが、この好ましい実施形態では、第２のロック制御ユニット３４２は、制動部２４３１に引張力を加えることができる。
【０２６６】
図２５〜図２８に示されるように、ソケット本体３００の送電線のレセプタクル３１１および中性線のレセプタクル３２１が、ソケット本体２００の送電線のピン２０１および中性線のピン２０２に同時に挿入されると、送電線のピン２０１および中性線のピン２０２が、それぞれ第１のロック制御ユニット３４１および第２のロック制御ユニット３４２を作動する。より具体的には、送電線のピン２０１および中性線のピン２０２は、第１の押圧部３４１１および第１の作動部３４１２をそれぞれ押圧することにより、対応する第１の作動部３４１２の第１の作動体３４１６および対応する第２の作動部３４２２の第２の作動体３４２６が、制動部３４３１の第１の作用表面３４３５および第２の作用表面３４３６にそれぞれ作用する。
【０２６７】
本発明の好ましい実施形態によると、制動部３４３１が、ロック制御ユニット３４１および第２のロック制御ユニット３４２により、垂直方向に移動させられて作動状態になると、対応する第１のロック制御ユニット３４１の第１の作動部３４１２の注視部３４１５は、第１の送電線接続スイッチ３１４および第１の中性線接続スイッチ３２４をオンにし、第２のロック制御ユニット３４２の第２の作動部３４２２の注視部３４２５は、第２の送電線接続スイッチ３１５および第２の中性線接続スイッチ３２５を同時にオンにすることにより、送電線接続回路３１２および中性線接続回路３２２がオンになる。
【０２６８】
器具プラグ２１の送電線のピン２０１および中性線のピン２０２が、抑止部３４３２の弾性復元力の下で、ソケット本体３００の送電線のレセプタクル２１１および中性線のレセプタクル３２１から抜かれると、制動部３４３１の第１の作用表面３４３５および第２の作用表面３４３６が反対に、第１の作動部３４１２および第２の作動部３４２２に押力に加え、これにより、注視部３４１５および注視部３４２５は、初期位置に戻り、対応する第１の送電線接続スイッチ３１４、第１の中性線接続スイッチ３２４、第２の送電線接続スイッチ３１５、および第２の中性線接続スイッチ３２５をオフにし、これにより、送電線接続回路３１２および中性線接続回路３２２を電気的に遮断する。
【０２６９】
図３０および図３１に示されるように、導電性物体がソケット本体３００の送電線のレセプタクル３１１に挿入されても、押力が、第１のロック制御ユニット３４１の第１の押圧部３４１１を押圧するために十分ではない場合には、第１の作動部３４１２の注視部３４１５は、第１の送電線接続スイッチ３１４および第２の中性線接続スイッチ３２４をオンにし、第１の作動部３４１２の第１の作動体３４１６は、第１の作用表面３４３５に押力を加える。第１の作動体３４１６の押力は制動部３４３１の内側にのみ加えられるため、制動部３４３１が、回転軸３４３３の周りを回転し、第２の作用表面３４３６を初期位置から離れるように移動させ、最終的に制動部３４３１を、傾斜した位置に配置することができる。別の導電性物体がソケット本体３００の中性線のレセプタクル３２１に挿入されると、この状態の下での制動部３４３１は、第２の作動部２４２２の動きを防止し、第２の作動部３４２２の動きを防止することにより、第２の押圧部３４２１の動きをさらに防止して、第２のロック制御ユニット３４２の起動を防止することは注目に値する。言い換えると、導電性物体が中性線のレセプタクル３２１に再度挿入されても、第２の作動体３４２６および第２の作用表面３４３６は転位状態にあるため、第２の作動体３４２６は、第２の作用表面３４３６に押力を加えることができず、制動部３４３１の制限の下で移動することができず、第２のロック制御ユニット３４２が作動できないことにより、第２の送電線接続スイッチ３１５および第２の中性線接続スイッチ３２５はオンになることができず、これにより、送電線接続回路３１２および中性線接続回路３２２全体が電気的に遮断されて、感電事故をもたらす、いずれの導電性物体も送電線のレセプタクル３１１に挿入されないようにする。
【０２７０】
よって、図３２〜図３３に示されるように、導電性物体が中性線のレセプタクル３２１に挿入され、押力が、第２のロック制御ユニット３４２の第２の押圧部３４２１を押圧するために十分ではない場合には、第２の作動部３４２２の注視部３４２５は、第２の送電線接続スイッチ３１５および第２の中性線接続スイッチ３２５をオンにし、第２の作動部３４２２の第２の作動体３４２６は、第２の作用表面３４３６に押力を加える。第２の作動体３４２６の押力が、制動部３４３１の外側にのみ加えられるため、制動部３４３１は回転軸３４３３の周りを回転し、これにより、第１の作用表面３４３５は、初期位置から離れて移動し、制動部３４３１は別の傾斜した位置になる。別の導電性物体がソケット本体３００の中性線のレセプタクル３２１に挿入される場合には、この状態の下で制動部３４３１は、第１の作動部３４１２の動きを防止し、第１の押圧部３４１１の動きをさらに防止することにより、第１のロック制御ユニット３４１の作動を防止する。言い換えると、導電性物体が送電線のレセプタクル３１１に再度挿入されても、第１の作動体３４１６および第１の作用表面３４３５が転位状態にあるため、第１の作動体３４１６は第１の作用表面３４３５に押力を加えることができず、制動部３４３１の制限の下で移動することができず、第１のロック制御ユニット３４１が作動できないことにより、第１の送電線接続スイッチ３１４および第２の送電線接続スイッチ３１５をオンにできず、これにより、送電線接続回路３１２および中性線接続回路３２２全体が電気的に遮断されて、感電事故をもたらす、導電性物体が中性線のレセプタクル３２１に挿入しないようにする。
【０２７１】
図３５、図３６Ａ、および図３６Ｂを参照して、本発明の第２の好ましい実施形態に係る安全ソケット１０の別の代替的な形式が例示されている。この代替的な形式の安全ソケット１０は、上記の代替的な形式の安全ソケット１０と類似の構造を有する。対応するスイッチのオンおよびオフのみが変更されている。
【０２７２】
具体的には、この代替的な形式では、同様に、ロック制御ユニット３４１の第１の作動部３４１２は、第１の送電線接続スイッチ３１４および第１の中性線接続スイッチ３２４を同時にオンおよびオフにするための注視部３４１５をさらに備える。よって、第２のロック制御ユニット３４２の第２の作動部３４２２は、第２の送電線接続スイッチ３１５および第２の中性線接続スイッチ３２５を同時にオンおよびオフにするための注視部３４２５をさらに備える。図３６Ａおよび図３６Ｂに示されるように、第１の作動部３４１２は、対応する注視部３４１５から横断してまたは斜めに延在する２つの起動アーム３４１７をさらに備える。２つの起動アーム３４１７は、第１の送電線接続スイッチ３１４および第１の中性線接続スイッチ３２４をオンおよびオフにするように離間して配置されている。よって第２の作動部３４２２は、対応する注視部３４２５から横断してまたは斜めに延在する２つの起動アーム３４２７をさらに備える。２つの起動アーム３４２７は、第２の送電線接続スイッチ３１５および第２の中性線接続スイッチ３２５をオンおよびオフにするように離間して配置されている。
【０２７３】
同様に、例としての第１の送電線接続スイッチ３１４および第１の中性線接続スイッチ３２４では、第１の送電線接続スイッチ３１４および第１の中性線接続スイッチ３２４は、導電性プレート、導電性カラムなどの導電性部材として使用できる。具体的には、たとえば、第１の送電線接続スイッチ３１４は、銅などの導電性物質から作製されており、作動状態で互いに接触している、２つの接触端部３１４１および接触端部３１４２を備える。第１の中性線接続スイッチ３２４は、銅などの導電性物質から作製されており、作動状態で互いに接触する、２つの接触端部３２４１および接触端部３２４２を備える。
【０２７４】
本発明の好ましい実施形態によると、接触端部３１４１および接触端部３２４１は、所定の弾性を有する。図３６Ｂに示されるように、第１の押圧部３４１１が、第１の作動部３４１２を移動させ、注視部３４１５に接続された２つの起動アーム３４１７が、それぞれ、接触端部３１４１および接触端部３２４１を移動させて、他方の対応する接触端部３１４２および接触端部３２４２に接触することにより、第１の送電線接続スイッチ３１４および第１の中性線接続スイッチ３２４は、対応する送電線接続回路および中性線接続回路と接続する。さらに、作動状態では、導電接続は、接触端部３１４１と接触端部３１４２との間、および接触端部３２４１と接触端部３２４２との間で、それぞれ形成されており、さらには、接触端部にそれぞれ配置された導電性突起を備え、これにより、接触端部にそれぞれ配置された導電性突起が、２点間接触の導電性構造を形成するよう互いに接触する。
【０２７５】
第２の送電線接続スイッチ３１５および第２の中性線接続スイッチ３２５は、図３５に示されるように、第１の送電線接続スイッチ３１４と類似の構造を有してもよいため、詳細な構造はここでは再度繰り返さない。よって、接触端部３２４２の２つの起動アーム３４２７の変位は、第２の送電線接続スイッチ３１５および第２の中性線接続スイッチ３２５のオンおよびオフを確実にするために十分である。
【０２７６】
図３７〜図４０を参照して、本発明の第３の好ましい実施形態の安全ソケットを例示する。この安全ソケットは、上記の第２の好ましい実施形態と同様に、１、２、３、または複数のソケット本体４００を備え、ソケット本体４００は、送電線のレセプタクル４１１および中性線のレセプタクル４２１を備え、類似の回路接続構造および接続スイッチを有する。上記の第２の好ましい実施形態と異なり、本発明のこの第３の好ましい実施形態では、ロックおよび制御機構４４０があり、他の構造は類似している。よって、ロックおよび制御機構４４０の構造を、この実施形態で主に説明する。
【０２７７】
よって、ロックおよび制御機構４４０は、第１のロック制御ユニット４４１、第２のロック制御ユニット４４２、および制動ユニット４４３を備える。第１のロック制御ユニット４４１は、第１の押圧部材４４１１、第１の作動部材４４１２、および第１のリセット部４４１３を備える。第１のリセット部材４４１３および第２のリセット部材４４２３は、リセットバネとして使用でき、それぞれ、弾性復元力の下で作動状態から初期状態に戻るように適合されている。
【０２７８】
本発明の好ましい実施形態によると、制動ユニット４４３は、第２の作動部材４４２２と第１の作動部材４４１２を接続する。より具体的には、制動ユニット４４３は、位置決め部材４４３１、第１の接続部材４４３２、および第１の接続部材４４３２を備える。第１の接続部材４４３２および第２の接続部材４４３３のうちの一方の端部は、それぞれ、位置決め部材４４３１に枢動可能に取り付けられており、第１の接続部材４４３２および第２の接続部材４４３３のうちの他方の端部は、それぞれ、第１の作動部材４４１２および第２の作動部材４４２２に枢動可能に取り付けられている。
【０２７９】
さらに、ソケット本体４００は、誘導溝４７１を有する誘導部材４７０をさらに備える。好ましくは、誘導部材４７０は、ソケット本体４００のうちの１つの外側の側壁から一体化して突き出ている。位置決め部材４４３１は、ソケット本体４００が作動状態とアイドル状態の間で切り替わるように誘導部材４７０の誘導溝４７１で滑動するように適合されている。
【０２８０】
本発明のこの好ましい実施形態では、第１の接続部材４４３２は、第１の接続端部４４３４および第１の連結端部４４３５を備える。第２の接続部材４４３３は、第２の接続端部４４３６および第２の連結端部４４３７を備える。第１の接続部材４４３２の第１の接続端部４４３４は、位置決め部材４４３１により第２の接続部材４４３３の第２の接続部材と共に組み立てられている。よって、第１の接続端部４４３４および第２の接続端部４４３６には、それぞれ位置決め孔が設けられており、位置決め部材４４３１は、第１の接続端部４４３４および第２の接続端部４４３６の位置決め孔を介して貫通する。図３５に示されるように、第２の接続端部４４３６は、ブロック溝４４３８を有し、第１の接続端部４４３４は、ブロック溝４４３８に受入れられることにより、固体接続構造を形成する。
【０２８１】
さらに、本発明の好ましい実施形態では、第１の接続部材４４３２の第１の連結端部４４３５は、第２の接続部材４４３３の第２の連結端部４４３７と類似した構造を有しており、それぞれ、第１の作動部材４４１２および第２の作動部材４４２２の接続のために使用される。より具体的には、第１の連結端部４４３５および第２の連結端部４４３７は、それぞれ、ブロッキングジョイント溝４４３９を有する。第１の作動部材４４１２および第２の作動部材４４２２は、それぞれ、設置部材４４１０を備え、これは作動部材の端部に形成されている。設置部材４４１０および設置部材４４２０は、ブロッキングジョイント溝４４３９にそれぞれ受入れられており、枢動部材４４３０により共に接続されている。
【０２８２】
当業者が、本発明の好ましい実施形態の着想の下、第１の接続部材４４３２および第２の接続部材４４３３の他の構成を考慮し得ることは注目に値する。たとえば、ブロッキングジョイント溝４４３９は、第１の作動部材４４１２および第２の作動部材４４３２に形成することができる。第１の接続部材４４３２および第２の接続部材４４３３の上記の詳細な構造は単なる例示であり、この態様で限定するよう意図するものではない。
【０２８３】
送電線のピン２０１および中性線のピン２０２が、ソケット本体４００の送電線のレセプタクル４１１および中性線のレセプタクル４２１にそれぞれ同時に挿入されると、送電線のピン２０１および中性線のピン２０２が、第１の押圧部材４４１１および第１の作動部材４４１２をそれぞれ押圧することにより、第１の押圧部材４４１１および第２の作動部材４４２２が、対応する第１の作動部材４４１２および第２の作動部材４４２２をそれぞれ移動させ、次いで第１の作動部材４４１２および第２の作動部材４４２２が、第１の接続部材４４３２および第２の接続部材４４３３をそれぞれ同時に移動させ、位置決め部材４４３１が、誘導溝を滑動するようになり、制動ユニット４４３が作動状態になる。第１の作動部材４４１２および第２の作動部材４４２２の両方が、回路の接続スイッチをそれぞれオンにするための正常な変位を有しているため、送電線接続回路（ｌｉｖｅ  ｗｏｒｅ  ｃｏｎｎｅｃｔｉｏｎ  ｃｉｒｃｕｉｔ）および中性線接続回路が電気的に接続することにより、ソケット本体４００が正常に作動する。
【０２８４】
第１の作動部材４４１２および第２の作動部材４４２２が同時に移動する場合には、第１の接続部材４４３２から位置決め部材４４３１に伝達される力が、誘導溝４７１の方向に沿って集中し、それぞれ、誘導溝４７１の方向と垂直である第１の作動部材４４１２および第２の作動部材４４２２の作用力が相殺することにより、位置決め部材４４３１は、誘導溝４７１でのみ滑動する。戻る場合に、第１の作動部材４４１２および第２の作動部材４４２２の変位によりさらに、第１の作動部材４４１２および第２の作動部材４４２２が対応する回路スイッチをオンにできるようになる。
【０２８５】
しかしながら、導電性物体が、ソケット本体４００の送電線のレセプタクル４１１および中性線のレセプタクル４２１のうち１つのレセプタクルのみに挿入される場合には、ソケット本体４００の送電線接続回路および中性線接続回路はすべて電気的に遮断されるため、感電事故を防止する。より具体的には、たとえば、導電性物体が、ソケット本体４００の送電線のレセプタクル４１１にのみ挿入されており、押力が第１の押圧部材４４１１を押圧するために十分ではない場合には、押力が、第１の作動部材４４１２および位置決め部材４４３１にさらに伝達されるが、位置決め部材４４３１は、１つの側部にのみ引かれ、位置決め部材４４３１は、誘導溝４７１に沿う正常な作動状態に適切に達することができない。
【０２８６】
より具体的には、導電性物体が、ソケット本体４００の送電線のレセプタクル４１１にのみ挿入されており、第１の作動部材４４１２が位置決め部材４４３１に作用力を加える場合には、第２の接続部材４４３３は、第２のロック制御ユニット４４２に位置決め部材４４３１を接続するため、第２のロック制御ユニット４４２の第２の作動部材４４２２および第２のリセット部材４４２３は、第１の作動部材４４１２のさらなる動きを防止するために、位置決め部材４４３１に対向する作用力を加え、これにより、対応する接続回路が電気的に接続されず、感電事故を防止する。
【０２８７】
よって、本発明のこの好ましい実施形態では、ロックおよび制御機構４４０は、アイドル状態、自己ロック状態、および作動状態といった３つの状態を有する。よって、本発明の好ましい実施形態に係る安全ソケット１０の使用方法が提供され、安全ソケット１０は少なくとも１つのソケット本体４００を備える。ソケット本体４００は、送電線のレセプタクル４１１および中性線のレセプタクル４２１を有し、送電線接続回路４１２（ｌｉｖｅ  ｃｏｎｎｅｃｔｉｏｎ  ｃｉｒｃｕｉｔ）、中性線接続回路（ｎｅｕｔｒａｌ  ｃｏｎｎｅｃｔｉｏｎ  ｃｉｒｃｕｉｔ）４２２、およびロック制御機構４４０を備える。本方法は、以下の、
（ｉ）ロックおよび制御機構２４０が理想的な状態にある場合には、送電線接続回路２１２および中性線接続回路２２２を電気的に遮断するステップと、
（ｉｉ）導電性物体が、独立して、送電線のレセプタクル４１１および中性線のレセプタクル４２１のうちの１つのレセプタクルに挿入される場合には、対応するロックおよび制御機構４４０が自己ロック状態になり、ロックおよび制御機構４４０が送電線接続回路４１２および中性線接続回路４２２を電気的に接続しないようにし、感電事故を防止するステップと、
（ｉｉｉ）電気器具２０の送電線のピン２０１および中性線のピン２０２が、送電線のレセプタクル４１１および中性線のレセプタクル４２１に同時に挿入される場合には、ロックおよび制御機構４４０が、送電線のピン２０１および中性線のピン２０２により作動し、作動状態になり、ロックおよび制御機構４４０が送電線接続回路４１２および中性線接続回路４２２を電気的に接続し、電気器具２０が、電源３０に電気的に接続したソケット本体４００を介して電源３０の電気供給の下で正常に作動するステップと
を含む。
【０２８８】
上記のステップ（ｉ）で、導電性物体または他の物体が送電線のレセプタクル４１１および中性線のレセプタクル４２１に挿入されていない場合には、ロックおよび制御機構４４０はアイドル状態になり、または導電性物体が送電線のレセプタクル４１１または中性線のレセプタクル４２１に挿入されているが、導電性物体のサイズ、大きさおよび押力の大きさが、ロックおよび制御機構４４０を作動させるために十分ではない場合には、ロックおよび制御機構４４０は、アイドル状態のままになる。
【０２８９】
ステップ（ｉｉ）では、ロックおよび制御機構２４０の制動ユニット２４３が自己ロックに達する第２の実施形態と異なっており、しかしながら、本発明のこの好ましい実施形態では、第１の作動部材４４１２および第２の作動部材４４２２が、制動ユニット４４３により電気的に接続されることにより、第１のロック制御ユニット４４１および第２のロック制御ユニット４４２のうちの１つのみが作動状態にある場合には、他のロック制御ユニットは、制動ユニット４４３により１つのロックの作動およびユニットの制御を防止することにより、感電事故を防止する。言い換えると、第１のロック制御ユニット４４１が作動する場合、第２のロック制御ユニット４４２は、自己ロックの目的を達成するために、第１のロック制御ユニット４４１の第１の作動部材４４１２の動きをさらに防止する。同様に、第１のロック制御ユニット４４１が作動する場合には、第１のロック制御ユニット４４１は、自己ロックの目的を達成するために、第２の作動部材４４２２の動きをさらに防止する。
【０２９０】
ステップ（ｉｉｉ）では、第１のロック制御ユニット４４１および４４４２は、器具プラグ２１の送電線のピン２０１および中性線のピン２０２の同時作動の下にあり、第１のロック制御ユニット４４１および第２のロック制御ユニット４４２は同時に作動する。第１のロック制御ユニット４４１および第２のロック制御ユニット４４２の作用力の合力の方向は一定である。言い換えると、直交方向の位置決め部材の動きの分力が、互いに相殺することにより、制動ユニット４４３の位置決め部材４４３１の２つの端部は共に力を受け、位置決め部材４４３１が平均的な力を受けることにより、対応する接続スイッチがオンになり、送電線接続回路４１２および中性線接続回路４２２が接続状態になり、これによりソケット本体４００が正常に作動する。
【０２９１】
本発明の好ましい実施形態では、第１のロック制御ユニット４４１および第２のロック制御ユニット４４２は、１つまたは複数の接続スイッチを備える接続スイッチのセットをそれぞれ制御することができる。たとえば、第１のロック制御ユニット４４１は、１つの送電線接続スイッチのオンおよびオフを制御でき、同様に、１つの送電線接続スイッチのオンおよびオフおよび１つの中性線接続を制御することもできる。よって、第２のロック制御ユニット４４２は、１つの中性線接続スイッチのオンおよびオフを制御することができ、同様に、１つの送電線接続スイッチのオンおよびオフおよび１つの中性線接続を制御することもできる。
【０２９２】
図４１〜図４４を参照して、本発明の第４の好ましい実施形態の安全ソケットを例証する。安全ソケット１０は、１、２、３、または複数のソケット本体５００を備える。ソケット本体５００は、２つ以上のレセプタクル５０１を有し、各レセプタクル５０１はレセプタクルの開口部５０２を有する。安全ソケットは、ソケットシェル１１をさらに備える。ソケットシェル１１は、ソケット本体５００に対応する２つ以上のジャック１３を形成する。器具プラグ２１の送電線のピン２０１は、ジャック１３を介してレセプタクルの開口部５０２に達し、さらには、ソケット本体５００のレセプタクル５０１に挿入される。
【０２９３】
本発明のこの好ましい実施形態では、安全ソケット１０のソケット本体５００は、それぞれ、保護位置と作動位置との間で切り替わるように適合された２つ以上の保護アセンブリ５１０をさらに備える。保護位置では、保護アセンブリ５１０は、いずれの導電性物体をレセプタクル５０１に挿入させないために、レセプタクルの開口部５０２１を密閉するように適合されている。電気器具２０の送電線のピン２０１がジャックに１３に挿入されており、押力が十分大きい場合にのみ、保護アセンブリ５１０は、保護位置から作動位置に切り替わり、これにより、器具プラグ２１の送電線のピン２０１が、レセプタクル５０１に挿入される。
【０２９４】
より具体的には、保護アセンブリ５１０は、保護部材５１１、回転軸５１２、およびリセット部材５１３を備える。保護部材５１１は、保護位置と作動位置との間で切り替わるように、回転軸５１２の周りを回転するように適合されている。電気器具２０の送電線のピン２０１がレセプタクル５０１から抜かれ、ジャック１３を介して安全ソケット１０から取り外されると、リセット部材５１３のリセット作用は、保護部材５１１を初期位置に戻し、これにより、保護アセンブリ５１０は、作動位置から保護位置に戻るように切り替わる。
【０２９５】
図４２Ａに示されるように、保護位置では、保護部材５１１は、レセプタクル５０１を隠すようにレセプタクルの開口部５０２を密閉する。図４２Ｂに示されるように、保護部材５１１が回転して、レセプタクルの開口部５０２を曝露するために作動位置へと切り替わり、これにより、器具プラグ２１の送電線のピン２０１がレセプタクル５０１に挿入される。より具体的には、図面に示されるように、保護部材５１１は、初期の水平位置から垂直位置へと時計回りに回転し、これにより器具プラグ２１の送電線のピン２０１は、レセプタクル５０１に挿入される。
【０２９６】
保護アセンブリ５１０は、レセプタクル５０１に配置され、レセプタクル５０１の内壁に取り付けられ、または安全ソケット１０のソケットシェル１１の内面に取り付けられている。本発明のこの好ましい実施形態では、保護アセンブリ５１０は、安全ソケット１０のソケットシェル１１の内面に取り付けられている。より具体的には、保護アセンブリ５１０は、少なくとも１つの第１の接続部材５１４１および少なくとも１つの第２の接続部材５１４２を備え、ソケットシェル１１の内面に固定して接続するように適合されている取り付け部材５１４をさらに備える。たとえば、第１の接続部材５１４１および第２の接続部材５１４２は、ねじ止めにより互いに接続することができ、第１の接続部材５１４１は、雄ネジを備えたネジロッドであり、第２の接続部材５１４２は、雌ネジを備えたナットである。取り付け部材５１４が、ソケットシェルと一体形成できることは注目に値する。
【０２９７】
取り付け部材５１４は、保護部材５１１を受入れるための取り付け凹型溝５１４４を有する本体部５１４３をさらに備える。保護部材は、保護体５１１１およびベース部５１１２を備える。保護体５１１１は、ベース部５１１２と固定して接続されている、またはベース部５１１２から一体化して延在する。ベース部５１１２は、穿孔５１１３および取り付け溝５１１４をさらに有する。回転軸５１２は、穿孔５１１３を介して貫通し、ベース部５１１２と共に組み立てられており、これにより保護部材５１１は、回転運動を実施するために、回転軸５１２の周りを回転するように適合されている。
【０２９８】
本発明の好ましい実施形態によると、リセット部材５１３は、リセットねじりバネとして使用でき、バネ体５１３１と、バネ体５１３１から一体化して延在する第１の押さえ部５１３２と、第２の押さえ部５１３３とを備える。バネ体５１３１は中心孔５１３４を有し、リセット部材５１３は、回転軸５１２の穿孔５１１３にバネ体５１３１の中心孔５１３４に対応させるように、ベース部５１１２の取り付け溝に組み立てられており、回転軸５１２は、ベース部５１１２の穿孔５１１３およびバネ体５１３１の中心孔５１３４を介して貫通し、回転軸５１２は、リセット部材５１３とベース部５１１２を組み立てて、回転軸５１２は、運動が発生しない安定した状態になることが好ましい。またリセット部材５１３が他の構造を有することができ、上記の特定のリセットねじりバネは単なる例示であり、この態様に限定するよう意図されていないことが理解されている。
【０２９９】
保護位置では、第１の押さえ部５１３２は、保護体５１１１の内面に作用力を加え、これにより、導電性物体が、保護体５１１１を引いて開口しないようにする。器具プラグ２１の送電線のピン２０１が保護体５１１１と接触しており、押力が、第１の押さえ部５１３２が加えた圧力に打ち勝つために十分である場合には、保護体５１１１は、保護位置から作動位置に切り替わる。第２の押さえ部５１３３は、レセプタクル５０１の内壁で押圧されてよい。器具プラグ２１の送電線のピン２０１がレセプタクル５０１から抜かれ、さらにソケットの本体５００から取り外されると、蓄えられたリセット部材５１３の応力が解放され、これにより保護体５１１１は、保護体５１１１を押圧した第１の押さえ部により元の保護位置へと戻る。
【０３００】
さらに、本発明の好ましい実施形態によると、保護体５１１１は、さらにはフック状であり、かつジャックのスロット５１１５を有する。図４３に示されるように、細い鉄線、金属棒などの導電性物体４０がジャック１３に挿入され、導電性物体４０がジャックのスロット５１１５に入っても、保護体５１１１が、導電性物体４０をジャックのスロット５１１５で留め、レセプタクル５０１に入ることができないため、感電事故をさらに防止する。
【０３０１】
好ましくは、ジャックのスロット５１１５の開口部５１１６は、安全ソケットのジャック１３のサイズよりもわずかに小さくてもよく、保護体５１１１の末端５１１７は、適切にジャック１３へ適切に延在することができ、さらに器具プラグ２１の送電線のピン２０１が、保護体５１１１を押し開けるようにすることで、保護体５１１１は、器具プラグ２１の送電線のピン２０１の正常な作動を妨害しない。
【０３０２】
保護部材５１１は、保護体５１１１が、レセプタクルの開口部を密閉することができ、これによりほこりが入らないようにし、かつ水または他の導電性液体が容易にレセプタクル５０１へ侵入しないようにし、これにより短絡を防止することは注目に値する。さらに、本体部５１４３のジャックのスロット５１１５および取り付け凹型溝５１４４が備えられているため、対応するジャック１３からジャックのスロット５１１５へと流れ込む水滴が、ジャックのスロット５１１５で止められ、かつレセプタクル５０１へ侵入しないようにし、これにより、さらに効果を確実にする。
【０３０３】
図４５〜図４８を参照して、本発明の安全ソケット１０の第５の実施形態を例示する。安全ソケット１０は、ソケットシェル１１に組み立てられた１つまたは複数のソケット本体６００を備える。ソケット本体６００は、２、３、またはそれ以上のレセプタクルを有し、それにより、２つ孔のジャックのソケット、３つ孔のジャックのソケット、または複数の孔のジャックのソケットを形成する。たとえばこの実施形態では、ソケット本体６００は、送電線のレセプタクル６１１および中性線のレセプタクル６２１を含む、２つのレセプタクルを有する。ソケットシェル１１は、対応するように２つのジャック１３を形成する。ソケット本体６００は、ＤＣ電源またはＡＣ電源に電気器具を電気的に接続するように適合されている。本発明の好ましい実施形態は、上記の４つの好ましい実施形態に特有の防水性の構造を技術的に改善した解決策に関してさらに説明する。
【０３０４】
上記の実施形態では、一部の特定のレセプタクルは、対応するロックおよび制御機構を取り付けるための作動孔と共に備えられているため、レセプタクルへ侵入する水または他の導電性液体が対応する作動孔を介して安全ソケットの絶縁キャビティへ侵入しないようにするための防水性の手段を提供する必要がある。このようなレセプタクルおよび作動孔は、実施形態のアース線のレセプタクル１３１および作動孔１３４、送電線のレセプタクル２１１、送電線の作動孔２１６、中性線のレセプタクル２２１、および中性線の作動孔２２６などの第２および第３の実施形態のレセプタクルおよび作動孔などとして上述されている。
【０３０５】
本発明の好ましい実施形態では、例としての２つ孔のジャックのソケットでは、ソケット本体６００は、送電線のレセプタクル６１１および中性線のレセプタクル６２１を有する。送電線の作動孔６１６および中性線の作動孔６２６は、それぞれ、ロックおよび制御機構６４０の第１のロック制御ユニット６４１の押圧部６４１１および第２のロック制御ユニット６４２の押圧部材６４２１をそれぞれ設置するように適合されている、送電線のレセプタクル６１１および中性線のレセプタクル６２１の側壁に、それぞれ存在する。
【０３０６】
対応するように、ソケット本体６００は、互いに独立しており、絶縁している送電線のレセプタクル６１１および中性線のレセプタクル６２１を含む、２つのレセプタクルを形成する。言い換えると、レセプタクルは、それぞれ、別のレセプタクルと連通していないため、水または他の導電性流体はあるレセプタクルには侵入するが、他のレセプタクルへは侵入せず、これにより、短絡から生じる感電事故を防止する。
【０３０７】
好ましい実施形態では、２つのレセプタクルは、それぞれ、ＡＣ電源の送電線回路および中性線回路にそれぞれ接続する２つの配線端子（ｗｉｒｉｎｇ  ｔｅｒｍｉｎａｌ）を有する。確かに、本発明のソケット本体６００が３つのジャックを有する場合には、電気器具を、ＡＣ電源の送電線回路、中性線回路、およびアース線回路に接続することができる。
【０３０８】
また、送電線のレセプタクル６１１および中性線のレセプタクル６２１のそれぞれの側壁には、通水口６１７および通水口６２７が設けられている。好ましくは、通水口６１７、６２７は、それぞれ、送電線レセプタクル６１１および中性線のレセプタクル６２１のそれぞれの外周壁６１０、６２０に形成することができる。よって、水または他の導電性流体がレセプタクルの側壁に侵入しても、水または他の導電性流体は通水口６１７、６２７を介して排出され、これにより、水または他の導電性流体は、送電線のレセプタクル６１１および中性線のレセプタクル６２１に留まらず、あふれ出た水から生じる短絡が防止される。通水口６１７、６２７を外周壁１２１の底端部に設けることにより、水または他の導電性流体を完全に排出できることは注目に値する。通水口６１７、６２７は、送電線のレセプタクル６１１および中性線のレセプタクル６２１の同一の側部に形成されており、互いに隣接している。
【０３０９】
送電線のレセプタクル６１１および中性線のレセプタクル６２１が、それぞれ、対応する送電線の作動孔６１６および中性線の作動孔６２６も有するため、通水口６１７および送電線の作動孔６１６を、送電線のレセプタクル６１１の対向する側または２つの隣接する側部に設けることができる。通水口６２７および中性線の作動孔６２６は、中性線のレセプタクル６２１の対向する側、または２つの隣接する側部に設けることができる。よって、対応するロック制御ユニットの正常な作動のみが確実となるだけでなく、同様に、送電線のレセプタクル６１１および中性線のレセプタクル６２１の中の水または他の導電性流体も素早く排出することができる。
【０３１０】
さらに、図４５および図４６に示されるように、排出部６１８、６２８は、それぞれ、通水口６１７、６２７に形成されている。排出部６１８および排出部６２８は、それぞれ、外周壁６１０、６２０から突き出て延在する。安全ソケット１０は、排出部６１８および排出部６２８と接続しており、水または他の導電性流体が、安全ソケット１０の外へ流れるように適合されている排出機構を１４さらに備える。本実施形態によると、排出機構１４は、一体形成された部材であり、安全ソケット１０のソケットシェル１１の中の水または他の導電性流体をそれぞれ排出するための２つの誘導チャネル１４２をそれぞれ形成する２つの誘導部を備える。２つの誘導部１４１は、接続部１４３により共に一体となり組み立てられている。
【０３１１】
本実施形態によると、安全ソケット１０は、ソケットシェル１１および１つまたは複数のソケット本体６００を備える。ジャック１３は、ソケットシェル１１に形成されている。送電線のレセプタクル６１１および中性線のレセプタクル６２１は、それぞれ、ソケット本体６００の内部に形成されている。排出機構１４は、送電線のレセプタクル６１１の外周壁６１０および中性線のレセプタクル６２１の外周壁６２０から一体化して延在することができ、これにより、排出部６１８および排出部６２８を設ける必要があないことは注目に値する。２つの通水口６１７、６２７は、それぞれ、安全ソケット１０の外へと、レセプタクルの中の水を排出するための２つの作動部と協同していることは注目に値する。排出機構１４は、それぞれ、ソケット本体６００へと延在し、ソケット本体６００の通水口６１７、６２７と連通する。
【０３１２】
さらに、図４８に示されるように、ソケット本体６００の内部回路構造は、完全に密閉されており、送電線のレセプタクル６１１および中性線のレセプタクル６２１と絶縁しており、これにより、水または他の導電性流体がレセプタクルへと侵入しても、水または他の導電性流体が、ソケット本体６００の内部へと侵入せず、これにより、内部の回路構造の短絡から生じる感電事故を防止する。
【０３１３】
言い換えると、本発明の安全ソケット１０は、排水路を提供し、これにより水が安全ソケット１０に入り、かつジャック１３を介して送電線のレセプタクル６１１または中性線のレセプタクル６２１へと侵入しても、水は、送電線のレセプタクル６１１の通水口６１７または中性線のレセプタクル６２１の排出部６２８を介して排出機構１４の誘導チャネル１４２に入り、水は、結果的に安全ソケット１０の外へと排出され、これにより、感電事故を生じる可能性のある短絡を防止する。
【０３１４】
水は、ネジ、リベットなどを使用して留めるまたは固定するなど、様々な環境で固定するための可動ソケットであり得る。たとえば、安全ソケット１０は、直接壁に留めることができる。または防水性のソケットのソケットシェル１１は、取り付け孔と共に備えられ、固定部材は、壁にソケットを固定するため取り付け孔を介して貫通する。本発明の好ましい実施形態では、壁ソケットとして使用される安全ソケット１０は、より効果的に排出作用を行うことができる。当然、本実施形態の壁ソケットは単なる例示であり、この態様に限定するよう意図されるものではない。第１〜第４の実施形態の安全ソケットは、壁ソケットに限定されるものではなく、可能性のある様々な状況に適用できることが指摘される必要がある。
【０３１５】
図４９〜図５３に示されるように、本発明の第６の好ましい実施形態に係る安全ソケット１０を例示する。安全ソケット１０は、壁の表面、家具の表面、床などの様々な環境上の表面に配置するように適合されている。本発明のこの実施形態によると、安全ソケット１０は、環境上の表面に安全ソケット１０を固定するために使用される固定したプレート１５も備える。
【０３１６】
同様に、安全ソケット１０は、ソケットシェル１１に組み立てられる１つまたは複数のソケット本体７００を備え、ソケット本体７００は、２、３、またはそれ以上のレセプタクルを有することにより、２つ孔のジャックのソケット、３つ孔のジャックのソケット、または複数の孔のジャックのソケットを形成する。
【０３１７】
対応するように、ソケット本体７００のレセプタクルは、それぞれ互いに独立しており、絶縁している。言い換えると、レセプタクルは互いに連通していないため、水または他の導電性流体はあるレセプタクルに侵入しても、別のレセプタクルには侵入しないので、短絡から生じる感電を防止する。
【０３１８】
本発明の好ましい実施形態では、例としての２つ孔のジャックのソケットでは、ソケット本体７００は、送電線のレセプタクル７１１および中性線のレセプタクル７２１を有する。ソケットシェル１１は、送電線のレセプタクル７１１および中性線のレセプタクル７２１に対応する２つのジャック１３を形成する。レセプタクルは、それぞれ、各対応するジャックと連通する。言い換えると、電気器具のピンは、ジャックを介して貫通し、対応するレセプタクルに挿入される。より具体的には、レセプタクルは、それぞれ、電気器具のピンと電源との間の電気回路を電気的に接続するための配線端子（ｗｉｒｉｎｇ  ｔｅｒｍｉｎａｌ）を有する。
【０３１９】
同様に、例として送電線のレセプタクル７１１を挙げると、送電線のレセプタクル７１１は、排出部７１８に配置されている通水口７１７と共に備えられている。排出部７１８は、送電線のレセプタクル７１１および中性線のレセプタクル７２１から突き出て延在する。
【０３２０】
安全ソケット１０は、排出部７１８と接続する排出機構１４をさらに備える。図５１および図５２に示されるように、排出機構１４が設置されてない場合、通水口７１７を見ることができる。ソケットシェル１１は、支持部１０１と、通水口７１７に隣接した位置にある固定部１０２と、排出機構１４を設置するための支持部１０１と固定部１０２との間に形成される設置孔１０３とを有する。
【０３２１】
図５１および図５２に示されるように、排出機構１４は、設置孔１０３に設置される排出部７１８に向けて滑動する。支持部１０１は、排出機構１４を支持するように適合されている。排出機構１４は、ソケットシェル１１の固定部１０２と共に組み立てるための設置部１４４をさらに有する。たとえば、設置部１４４は、防水性の接着剤を介して固定部１０２と結合する。固定部１０２は、固定部１０２のサイズおよび形状と一致する溝１０５に設けることができ、設置部１２２は、組み立ての間、溝１０５に受入られている。
【０３２２】
さらに、排出機構１４は、位置決め部１４５と、誘導部１４１と位置決め部１４５との間に形成されるネックスロット１４６とを備えることもできる、ネックスロット１４６が支持部と一致する形状およびサイズを有することにより、支持部１０１は、位置決め部１４５と押圧部１４１との間に形成されるネックスロット１４６に受いれられるように適合されており、さらにはしっかりとした位置決め作用を有する。
【０３２３】
安全ソケット１０が、壁の表面などの環境上の表面に取り付けられている場合、通水口７１７は、重力に従った方向へと向けられるため水は、通水口７１７を介して送電線のレセプタクル７１１へと侵入せず、これにより、本質的に二重の保護を提供する。図４９に示されるように、安全ソケット１０が壁の表面などの環境上の表面に取り付けられている場合、排出機構１４の作動部１４２が壁にある壁穴に確実に埋まらないようにするために、排出機構１４は壁の表面と平行にある。
【０３２４】
図５３に示されるように、本発明の壁の表面に取り付けられた安全ソケット１０の概略図を例示する。安全ソケット１０は、固定したプレート１５により垂直方向に壁に取り付けられている場合には、電気器具のピンのみが水平方向にレセプタクルへと挿入することができる。例として送電線のレセプタクル７１１を挙げると、水は、水平方向に、ジャック１３を介して送電線のレセプタクル７１１へのみ侵入する可能性がある。通水口７１７および排出機構１４の誘導チャネル１４２は、垂直方向に配置されている。よって水が送電線のレセプタクル７１１に侵入しても、水は、重力により垂直方向に安全ソケット１０の外へ排出される。
【０３２５】
送電線のレセプタクル７１１は、設置の後で垂直方向に配置されているため、通水口７１７は、送電線のレセプタクル７１１の最もの内側に配置される必要はないが、ジャック１３に隣接して配置されていることは注目に値する。言い換えると、通水口７１７は、ジャック１３に隣接して送電線のレセプタクル７１１に配置することにより、水がジャック１３から送電線のレセプタクル７１１に侵入しても、すぐに、通水口７１７から水を、排出することができる。上記の７２１の挿入の原則および送電線のレセプタクル７１１の挿入の原則は同一である。この改善された排出構造は、３つ孔のジャックのソケットのアース線のレセプタクルに適用するように適合することもできることが理解されている。
【０３２６】
図５４〜図５７を参照して、本発明の第７の好ましい実施形態に係る安全ソケット１０を例示する。同様に、安全ソケット１０は、ソケットシェル１１および１つまたは複数のソケット本体を備える。この好ましい実施形態では、安全ソケット１０は、１つまたは複数のＵＳＢ端末部１６も備えている。携帯電話、タブレットコンピュータ、携帯情報端末、ＭＰ３、ＭＰ４、移動電源、デジタルカメラなどのインテリジェントデジタルデバイス５０は、ＵＳＢデータケーブル５１によりＵＳＢ端末部１６に接続することができ、これにより、インテリジェントデジタルデバイス５０は、電源に安全ソケット１０を電気的に接続することにより充電できる。
【０３２７】
言い換えると、本発明の好ましい実施形態に係る安全ソケット１０は、通常の電源ソケットおよびＵＳＢ電源ソケットの機能を統合しており、単に、グリッドにより提供されるＡＣ電源に電気的な器具を接続できるだけでなく、上述のインテリジェントデジタルデバイス５０などの小さな電気器具用のＤＣ電源も提供することができる。インテリジェントデジタルデバイス５０は、ＵＳＢ端末部１６を介して充電されるための、安全ソケット１０と直接接続でき、これにより、変換装置または他の充電装置は必要ではなくなり、本発明の安全ソケットは、電源の組み合わせに関して現在の人々の電気のニーズと一致する。
【０３２８】
図５５〜図５７に示されるように、安全ソケット１０のＵＳＢ端末部１６は、ピン１６１を備え、ソケットシェル１１に備え付けられるＵＳＢレセプタクル１６２を有する。ＵＳＢ端末部１６およびソケットシェル１１は、注入成形工程により一体形成される。また、ＵＳＢ端末部１６は、プラスチック部材１９で一体形成され、次いでＵＳＢ端末部１６を備えるプラスチック部材１９は、超音波および他の代替的な方法により安全ソケット１０のソケットシェル１１と共に組み立てる。当業者は、上述の方法が単なる例示であり、限定を意図するものではないことを理解するものである。
【０３２９】
上述の第１〜第３の実施形態と同様に、絶縁キャビティ１２は、安全ソケット１０に形成されており、ソケット本体の絶縁キャビティ１２およびレセプタクルは、防水性の特性を提供するように絶縁している。好ましい実施形態によると、ＵＳＢ端末部１６の絶縁キャビティ１２およびＵＳＢレセプタクル１６２は、互いに連通していないため、ＵＳＢレセプタクル１６２の中の水または他の液体は、絶縁キャビティ１２に侵入しない。
【０３３０】
加えて、安全ソケット１０は、回路基板１７をさらに備える。ＵＳＢ端末部１６のＵＳＢレセプタクル１６２は、回路基板１７にはんだ付けされる。安全ソケット１０は、回路基板１７に電気的に接続したインジケーターライト１８をさらに備える。必要に応じて、回路基板１７は、電源スイッチも設定することができ、電源スイッチがオンにすると、回路基板が作動状態になる。安全ソケット１０および電源を接続すると、回路基板１７に接続するインジケーターライトが光を発するので、次にユーザは、ＵＳＢ端末部１６のＵＳＢレセプタクル１６２にＵＳＢデータケーブル５１のピンを挿入することができる。これにより、インテリジェントデジタルデバイス５０は、安全ソケット１０を介して充電される。
【０３３１】
当業者は、図面に示されており、上述された本発明の実施形態は単なる例示であり、限定を意図するものではないことを理解するものである。
【０３３２】
よって、本発明の目的は、完全かつ効果的に達成されている。これら実施形態は、本発明の機能的および構造上の原則を例示する目的のために示され、記載されており、当該原則から逸脱することなく変更される。よって、本発明は、以下の特許請求の範囲の趣旨および範囲内に包有されるすべての変更を含む。
【図１Ａ】
0006346957.tif 000002
【図１Ｂ】
0006346957.tif 000003
【図１Ｃ】
0006346957.tif 000004
【図２】
0006346957.tif 000005
【図３】
0006346957.tif 000006
【図４】
0006346957.tif 000007
【図５】
0006346957.tif 000008
【図６】
0006346957.tif 000009
【図７】
0006346957.tif 000010
【図８】
0006346957.tif 000011
【図９】
0006346957.tif 000012
【図１０】
0006346957.tif 000013
【図１１】
0006346957.tif 000014
【図１２】
0006346957.tif 000015
【図１３】
0006346957.tif 000016
【図１４】
0006346957.tif 000017
【図１５】
0006346957.tif 000018
【図１６Ａ】
0006346957.tif 000019
【図１６Ｂ】
0006346957.tif 000020
【図１７】
0006346957.tif 000021
【図１８】
0006346957.tif 000022
【図１９】
0006346957.tif 000023
【図２０】
0006346957.tif 000024
【図２１】
0006346957.tif 000025
【図２２】
0006346957.tif 000026
【図２３】
0006346957.tif 000027
【図２４】
0006346957.tif 000028
【図２５】
0006346957.tif 000029
【図２６】
0006346957.tif 000030
【図２７】
0006346957.tif 000031
【図２８】
0006346957.tif 000032
【図２９】
0006346957.tif 000033
【図３０】
0006346957.tif 000034
【図３１】
0006346957.tif 000035
【図３２】
0006346957.tif 000036
【図３３】
0006346957.tif 000037
【図３４】
0006346957.tif 000038
【図３５】
0006346957.tif 000039
【図３６Ａ】
0006346957.tif 000040
【図３６Ｂ】
0006346957.tif 000041
【図３７】
0006346957.tif 000042
【図３８Ａ】
0006346957.tif 000043
【図３８Ｂ】
0006346957.tif 000044
【図３９Ａ】
0006346957.tif 000045
【図３９Ｂ】
0006346957.tif 000046
【図４０】
0006346957.tif 000047
【図４１】
0006346957.tif 000048
【図４２Ａ】
0006346957.tif 000049
【図４２Ｂ】
0006346957.tif 000050
【図４３】
0006346957.tif 000051
【図４４】
0006346957.tif 000052
【図４５】
0006346957.tif 000053
【図４６】
0006346957.tif 000054
【図４７】
0006346957.tif 000055
【図４８】
0006346957.tif 000056
【図４９】
0006346957.tif 000057
【図５０】
0006346957.tif 000058
【図５１】
0006346957.tif 000059
【図５２】
0006346957.tif 000060
【図５３】
0006346957.tif 000061
【図５４】
0006346957.tif 000062
【図５５】
0006346957.tif 000063
【図５６】
0006346957.tif 000064
【図５７】
0006346957.tif 000065